(57)【特許請求の範囲】
【請求項１】
少なくとも、第１の色材、第２の色材及び第３の色材の、３つの色材を含有するインク組成物を含有するインクジェット記録用インクであって、
前記インク組成物が水を含有し、
前記第１の色材が、下記一般式（Ｙ）で表される化合物であり、前記第２の色材が、下記群Ａから選択される少なくとも１種の化合物であり、前記第２の色材の組成物中における含有量（質量％）が、前記第１の色材の組成物中における含有量（質量％）に対して、質量比率で、０．００１以上１．０以下であり、
前記第３の色材が前記第１の色材とは異なる化合物であり、下記一般式（１）〜（８）のいずれかで表される化合物であり、前記第３の色材の組成物中における含有量が、インク組成物全質量に対して、０．１〜１０質量％であるインク組成物を含有するインクジェット記録用インク。
一般式（Ｙ）：
【化１０１】
0005835965.tif 000133
（一般式（Ｙ）中、Ｍはそれぞれ独立に水素原子又はカチオンを表し、Ｍがカチオンを表す場合は、Ｌｉ＋イオン、Ｎａ＋イオン、Ｋ＋イオン又はＮＨ４＋イオンを表す。）
【化１０２】
0005835965.tif 000134
（群Ａ中、Ｍはそれぞれ独立に水素原子又はカチオンを表し、Ｍがカチオンを表す場合はＬｉ＋イオン、Ｎａ＋イオン、Ｋ＋イオン又はＮＨ４＋イオンを表す。）
一般式（１）：
【化１０３】
0005835965.tif 000135
（一般式（１）中、ＡＡ及びＡＡ’は、それぞれ独立してアリール基又は１価のヘテロ環基を表し、ＢＡ及びＢＡ’は、それぞれ独立してアリーレン基又は２価のヘテロ環基を表し、ＸＡ１は２価の連結基を表し、ｎ１は０又は１を表す。但し、ＡＡ、ＢＡ、ＡＡ’及びＢＡ’の少なくとも１つはヘテロ環基である。）
一般式（２）：
【化１０４】
0005835965.tif 000136
（一般式（２）中、ＧＢはヘテロ環基を表し、ｎ２は１〜３の整数を表す。ｎ２が１の時は、ＲＢ、ＸＢ、ＹＢ、ＺＢ、ＱＢ、ＧＢは一価の基を表す。ｎ２が２の時は、ＲＢ、ＸＢ、ＹＢ、ＺＢ、ＱＢ、ＧＢは一価又は２価の置換基を表し、少なくとも１つは２価の置換基を表す。ｎ２が３の時は、ＲＢ、ＸＢ、ＹＢ、ＺＢ、ＱＢ、ＧＢは一価、２価又は３価の置換基を表し、少なくとも二つが２価の置換基を表すか又は少なくとも１つが３価の置換基を表す。）
一般式（３）：
【化１０５】
0005835965.tif 000137
（一般式（３）中、ＲＣは炭素数１〜４のアルキル基、ｎ３は１又は２、ｘ３は２から４の整数、ｍ３及びｐ３は、それぞれ独立に１から３の整数を、それぞれ表す。）
一般式（４）：
【化１０６】
0005835965.tif 000138
（一般式（４）中、ｎは１又は２、ｘは２から４の整数、Ａは下記式（Ａ−１）〜（Ａ−３）のいずれか１つで表される二価の結合基を示す。）
【化１０７】
0005835965.tif 000139
【化１０８】
0005835965.tif 000140
【化１０９】
0005835965.tif 000141
（式（Ａ−１）及び（Ａ−３）中、ｙは２から６の整数、ｗは１から４の整数を示す。）
一般式（５）：
【化１１０】
0005835965.tif 000142
（一般式（５）中、ＡＥ１及びＡＥ２は各々独立して、置換されていてよいフェニル基又はナフチル基であり；各ＱＥは独立して、置換されていてよいフェニレン基であり；各ＲＥ１は独立して、Ｈ又は置換されていてよいアルキル基であり；ＲＥ２は、Ｈ又は置換されていてよいアルキル基であり；ＲＥ３は、スルホ基を有するアルキル基であり；但し、一般式（５）の化合物は、少なくとも１つのカルボン酸基を有し；但し、一般式（５）の化合物は、
一般式（Ｂ−１）：
【化１１１】
0005835965.tif 000143
ここで、ｍ５は１又は２であり；ｎ５は１又は２であり；ｘ５は２〜４である；の化合物ではない。）
一般式（６）：
【化１１２】
0005835965.tif 000144
（一般式（６）中、各ＳＦ１、ＳＦ２、ＳＦ３及びＳＦ４は、独立して水分散性置換基以外の置換基であり；各ＷＦ１、ＷＦ２、ＷＦ３及びＷＦ４は、独立して水分散性置換基であり；ａ６、ｂ６、ｃ６及びｄ６は、それぞれ独立して０〜４であり；ｍ６、ｎ６、ｏ６及びｐ６は、それぞれ独立して０〜４であり；
（ａ６＋ｍ６）は、０〜４の値を有し；
（ｂ６＋ｎ６）は、０〜４の値を有し；
（ｃ６＋ｏ６）は、０〜４の値を有し；
（ｄ６＋ｐ６）は、０〜４の値を有し；そして
（ｎ６＋ｏ６）は、１〜８の値を有する）
一般式（７）：
【化１１３】
0005835965.tif 000145
【化１１４】
0005835965.tif 000146
（一般式（７）及び（８）中、ＡＧは、アリール又はヘテロアリール基であるか、あるいはアリール又はヘテロアリール基を含む基であり；ＱＧ１及びＱＧ２は、それぞれ独立して置換されていてよいフェニレン基であり；ＲＧ１、ＲＧ２、ＲＧａ及びＲＧｂは、それぞれ独立してＨ、置換されていてよいアルキル基、置換されていてよいアリール基又は置換されていてよいアリールアルキル基であり；各ＷＧ１、ＷＧ２、ＷＧ３及びＷＧ４は、独立して−ＣＯ２Ｈ、−ＳＯ３Ｈ、−ＰＯ３Ｈ２基、又は−ＣＯ２Ｈ、−ＳＯ３Ｈ、−ＰＯ３Ｈ２から選択される１つ以上の基で置換されたアルキル基であり；各ＳＧ１、ＳＧ２、ＳＧ３及びＳＧ４は、独立してＷＧ１、ＷＧ２、ＷＧ３及びＷＧ４で定義された基以外の置換基であり；ａ７及びｄ７は、それぞれ独立して１〜５であり；ｂ７及びｃ７は、それぞれ独立して０〜４であり；
（ａ７＋ｂ７）は、１〜５の値であり；
（ｃ７＋ｄ７）は、１〜５の値であり；ｅ７及びｈ７は、それぞれ独立して１〜７であり；ｆ７及びｇ７は、それぞれ独立して０〜６であり；
（ｅ７＋ｆ７）は、１〜７の値を有し；かつ
（ｇ７＋ｈ７）は、１〜７の値を有する。）
【請求項２】
前記群Ａより選択される化合物が、１、２、３及び８から選ばれる少なくとも１種である請求項１に記載のインク組成物を含有するインクジェット記録用インク。
【請求項３】
前記一般式（Ｙ）で表される化合物において、Ｍの主成分がＫ＋イオンであり、群Ａより選択される化合物において、Ｍの主成分がＫ＋イオンである請求項１又は２に記載のインク組成物を含有するインクジェット記録用インク。
【請求項４】
前記一般式（Ｙ）で表される化合物及び群Ａより選択される化合物におけるＭが全てＫ＋イオンである請求項１〜３のいずれか一項に記載のインク組成物を含有するインクジェット記録用インク。
【請求項５】
前記第２の色材のインク組成物中における含有量（質量％）が、前記第１の色材のインク組成物中における含有量（質量％）に対して、質量比率で、０．００１以上０．２以下である請求項１〜４のいずれか一項に記載のインク組成物を含有するインクジェット記録用インク。
【請求項６】
前記第２の色材のインク組成物中における含有量が、インク組成物全質量に対して０．０１〜１．１質量％である請求項１〜５のいずれか一項に記載のインク組成物を含有するインクジェット記録用インク。
【請求項７】
前記一般式（Ｙ）で表される第１の色材の含有量が、インク組成物全質量に対して、０．１〜１０質量％である請求項１〜６のいずれか一項に記載のインク組成物を含有するインクジェット記録用インク。
【請求項８】
前記インク組成物中における前記第１の色材の含有量（質量％）が、前記第３の色材の含有量（質量％）に対して、質量比で１．０倍以上５．０倍以下である請求項１〜７のいずれか一項に記載のインク組成物を含有するインクジェット記録用インク。
【請求項９】
前記インク組成物中における前記第１の色材の含有量（質量％）が、前記第３の色材の含有量（質量％）に対して、質量比で２．０倍以上４．０倍以下である請求項８に記載のインク組成物を含有するインクジェット記録用インク。
【請求項１０】
請求項１〜９のいずれか一項に記載のインクジェット記録用インクを用いる、インクジェット記録方法。
【請求項１１】
支持体上に白色無機顔料粒子を含有する受像層を有する受像材料にインク滴を記録信号に応じて吐出させ、受像材料上に画像を記録するインクジェット記録方法であって、インク滴が請求項１〜９のいずれか一項に記載のインクジェット記録用インクからなる、インクジェット記録方法。
【発明の詳細な説明】
【技術分野】
【０００１】
本発明は、インク組成物、インクジェット記録用インク及びインクジェット記録方法に関する。
【背景技術】
【０００２】
インクジェット記録方法は、インク小滴を普通紙や光沢メディアなどの記録媒体に付与して画像を形成する記録方法であり、その低価格化、記録速度の向上により、急速に普及が進んでいる。また、インクジェット記録方法により得られる画像の高画質化が進んだことに加えて、デジタルカメラの急速な普及に伴い、銀塩写真に匹敵する画像の出力方法として広く一般的になっている。
【０００３】
インクジェット記録方法の問題点としては、得られた記録物の画像堅牢性に劣ることが挙げられる。一般に、インクジェット記録方法で得られた記録物は銀塩写真と比較してその画像堅牢性が低い。具体的には、記録物が、水、光、湿度、熱又は空気中に存在する環境ガスなどに長時間さらされた際に、記録物上の色材が劣化し、画像の色調変化や褪色が発生しやすいといった問題がある。
【０００４】
カラー画像形成には、複数色のインク組成物を組み合わせたインクセットが用いられる。インクセットおいて、特定のインク組成物の耐光性や耐オゾン性などの画像堅牢性が、他のインク組成物よりも著しく低い場合、その特定のインク組成物によって形成された色が、他の色よりも早く退色や変色してしまい、カラー画像全体の色調のバランスが悪くなる。従って、インクセットを構成する各インク組成物の画像堅牢性が優れているとともに、各インク組成物間の画像堅牢性の差が小さいことが好ましい。
インクジェット用インクとして広く用いられているイエロー、マゼンタ、及びシアンの各インクの中でも、特にイエローインクの画像の耐光性が他のインクの画像に比べて劣る傾向がある。イエローインクに用いられる色素としては、種々のアゾ化合物が知られている（例えば、特許文献１〜８）。
このような問題に対して、色調が良好で、光、湿熱、オゾン等のガスなど対する堅牢性の改善を目指した種々のイエローインクが提案されている（特許文献９〜１１参照）。
また特許文献１２には、特定の波長の関係を満たす少なくとも２種以上のイエロー染料を含むインク組成物が開示されている。
【０００５】
更に、インクジェット用インクでは、得られる記録物の画像品質向上の観点から、上記点に加え、インク自体の色調及び受像紙への浸透性の改善、また印画物のブロンズ発生の抑制性能の向上が望まれている。
【先行技術文献】
【特許文献】
【０００６】
【特許文献１】特開２００４−８３９０３号公報
【特許文献２】特開２００７−０６３５２０号公報
【特許文献３】特開２０１０−０２４４４４号公報
【特許文献４】特開２０１０−１８４９８５号公報
【特許文献５】国際公開第２００８／１４２９８９号
【特許文献６】特表２００５−５３３１４７号公報
【特許文献７】特表２０１０−５２６１６６号公報
【特許文献８】特表２０１０−５３０９１６号公報
【特許文献９】特許第４４０２９１７号
【特許文献１０】特開２００８−２９７５４１号公報
【特許文献１１】特開２００９−２６３５１４号公報
【特許文献１２】特開２００５−２６４０８５号公報
【発明の概要】
【発明が解決しようとする課題】
【０００７】
特許文献９〜１２に記載のイエローインクでは耐光性、耐オゾン性などの堅牢性改善には一定の効果があるが、近年の使用環境の多様化を鑑みると、更に高いレベルの堅牢性を有し、かつ、色調、受像紙への浸透性、得られる印画物のブロンズ発生の抑制に優れたインク組成物が求められる。
【０００８】
本発明は、耐光性及び耐オゾン性に優れる画像を形成することができ、かつ、色調、受像紙への浸透性、印画物のブロンズ発生抑制に優れたインク組成物、該インク組成物を用いたインクジェット記録用インク、及びインクジェット記録方法を提供することを目的とする。
【課題を解決するための手段】
【０００９】
上記課題は、以下の手段により解決することができる。
＜１＞
少なくとも、第１の色材、第２の色材及び第３の色材の、３つの色材を含有するインク組成物を含有するインクジェット記録用インクであって、
前記インク組成物が水を含有し、
前記第１の色材が、下記一般式（Ｙ）で表される化合物であり、前記第２の色材が、下記群Ａから選択される少なくとも１種の化合物であり、前記第２の色材の組成物中における含有量（質量％）が、前記第１の色材の組成物中における含有量（質量％）に対して、質量比率で、０．００１以上１．０以下であり、
前記第３の色材が前記第１の色材とは異なる化合物であり、下記一般式（１）〜（８）のいずれかで表される化合物であり、前記第３の色材の組成物中における含有量が、インク組成物全質量に対して、０．１〜１０質量％であるインク組成物を含有するインクジェット記録用インク。
一般式（Ｙ）：
【化１１５】
0005835965.tif 000002
（一般式（Ｙ）中、Ｍはそれぞれ独立に水素原子又はカチオンを表し、Ｍがカチオンを表す場合は、Ｌｉ＋イオン、Ｎａ＋イオン、Ｋ＋イオン又はＮＨ４＋イオンを表す。）
【化１１６】
0005835965.tif 000003
（群Ａ中、Ｍはそれぞれ独立に水素原子又はカチオンを表し、Ｍがカチオンを表す場合はＬｉ＋イオン、Ｎａ＋イオン、Ｋ＋イオン又はＮＨ４＋イオンを表す。）
一般式（１）：
【化１１７】
0005835965.tif 000004
（一般式（１）中、ＡＡ及びＡＡ’は、それぞれ独立してアリール基又は１価のヘテロ環基を表し、ＢＡ及びＢＡ’は、それぞれ独立してアリーレン基又は２価のヘテロ環基を表し、ＸＡ１は２価の連結基を表し、ｎ１は０又は１を表す。但し、ＡＡ、ＢＡ、ＡＡ’及びＢＡ’の少なくとも１つはヘテロ環基である。）
一般式（２）：
【化１１８】
0005835965.tif 000005
（一般式（２）中、ＧＢはヘテロ環基を表し、ｎ２は１〜３の整数を表す。ｎ２が１の時は、ＲＢ、ＸＢ、ＹＢ、ＺＢ、ＱＢ、ＧＢは一価の基を表す。ｎ２が２の時は、ＲＢ、ＸＢ、ＹＢ、ＺＢ、ＱＢ、ＧＢは一価又は２価の置換基を表し、少なくとも１つは２価の置換基を表す。ｎ２が３の時は、ＲＢ、ＸＢ、ＹＢ、ＺＢ、ＱＢ、ＧＢは一価、２価又は３価の置換基を表し、少なくとも二つが２価の置換基を表すか又は少なくとも１つが３価の置換基を表す。）
一般式（３）：
【化１１９】
0005835965.tif 000006
（一般式（３）中、ＲＣは炭素数１〜４のアルキル基、ｎ３は１又は２、ｘ３は２から４の整数、ｍ３及びｐ３は、それぞれ独立に１から３の整数を、それぞれ表す。）
一般式（４）：
【化１２０】
0005835965.tif 000007
（一般式（４）中、ｎは１又は２、ｘは２から４の整数、Ａは下記式（Ａ−１）〜（Ａ−３）のいずれか１つで表される二価の結合基を示す。）
【化１２１】
0005835965.tif 000008
【化１２２】
0005835965.tif 000009
【化１２３】
0005835965.tif 000010
（式（Ａ−１）及び（Ａ−３）中、ｙは２から６の整数、ｗは１から４の整数を示す。）
一般式（５）：
【化１２４】
0005835965.tif 000011
（一般式（５）中、ＡＥ１及びＡＥ２は各々独立して、置換されていてよいフェニル基又はナフチル基であり；各ＱＥは独立して、置換されていてよいフェニレン基であり；各ＲＥ１は独立して、Ｈ又は置換されていてよいアルキル基であり；ＲＥ２は、Ｈ又は置換されていてよいアルキル基であり；ＲＥ３は、スルホ基を有するアルキル基であり；但し、
一般式（５）の化合物は、少なくとも１つのカルボン酸基を有し；但し、一般式（５）の化合物は、
一般式（Ｂ−１）：
【化１２５】
0005835965.tif 000012
ここで、ｍ５は１又は２であり；ｎ５は１又は２であり；ｘ５は２〜４である；の化合物ではない。）
一般式（６）：
【化１２６】
0005835965.tif 000013
（一般式（６）中、各ＳＦ１、ＳＦ２、ＳＦ３及びＳＦ４は、独立して水分散性置換基以外の置換基であり；各ＷＦ１、ＷＦ２、ＷＦ３及びＷＦ４は、独立して水分散性置換基であり；ａ６、ｂ６、ｃ６及びｄ６は、それぞれ独立して０〜４であり；ｍ６、ｎ６、ｏ６及びｐ６は、それぞれ独立して０〜４であり；
（ａ６＋ｍ６）は、０〜４の値を有し；
（ｂ６＋ｎ６）は、０〜４の値を有し；
（ｃ６＋ｏ６）は、０〜４の値を有し；
（ｄ６＋ｐ６）は、０〜４の値を有し；そして
（ｎ６＋ｏ６）は、１〜８の値を有する）
一般式（７）：
【化１２７】
0005835965.tif 000014
【化１２８】
0005835965.tif 000015
（一般式（７）及び（８）中、ＡＧは、アリール又はヘテロアリール基であるか、あるいはアリール又はヘテロアリール基を含む基であり；ＱＧ１及びＱＧ２は、それぞれ独立して置換されていてよいフェニレン基であり；ＲＧ１、ＲＧ２、ＲＧａ及びＲＧｂは、それぞれ独立してＨ、置換されていてよいアルキル基、置換されていてよいアリール基又は置換されていてよいアリールアルキル基であり；各ＷＧ１、ＷＧ２、ＷＧ３及びＷＧ４は、独立して−ＣＯ２Ｈ、−ＳＯ３Ｈ、−ＰＯ３Ｈ２基、又は−ＣＯ２Ｈ、−ＳＯ３Ｈ、−ＰＯ３Ｈ２から選択される１つ以上の基で置換されたアルキル基であり；各ＳＧ１、ＳＧ２、ＳＧ３及びＳＧ４は、独立してＷＧ１、ＷＧ２、ＷＧ３及びＷＧ４で定義された基以外の置換基であり；ａ７及びｄ７は、それぞれ独立して１〜５であり；ｂ７及びｃ７は、それぞれ独立して０〜４であり；
（ａ７＋ｂ７）は、１〜５の値であり；
（ｃ７＋ｄ７）は、１〜５の値であり；ｅ７及びｈ７は、それぞれ独立して１〜７であり；ｆ７及びｇ７は、それぞれ独立して０〜６であり；
（ｅ７＋ｆ７）は、１〜７の値を有し；かつ
（ｇ７＋ｈ７）は、１〜７の値を有する。）
＜２＞
前記群Ａより選択される化合物が、１、２、３及び８から選ばれる少なくとも１種である＜１＞に記載のインク組成物を含有するインクジェット記録用インク。
＜３＞
前記一般式（Ｙ）で表される化合物において、Ｍの主成分がＫ＋イオンであり、群Ａより選択される化合物において、Ｍの主成分がＫ＋イオンである＜１＞又は＜２＞に記載のインク組成物を含有するインクジェット記録用インク。
＜４＞
前記一般式（Ｙ）で表される化合物及び群Ａより選択される化合物におけるＭが全てＫ＋イオンである＜１＞〜＜３＞のいずれか一項に記載のインク組成物を含有するインクジェット記録用インク。
＜５＞
前記第２の色材のインク組成物中における含有量（質量％）が、前記第１の色材のインク組成物中における含有量（質量％）に対して、質量比率で、０．００１以上０．２以下である＜１＞〜＜４＞のいずれか一項に記載のインク組成物を含有するインクジェット記録用インク。
＜６＞
前記第２の色材のインク組成物中における含有量が、インク組成物全質量に対して０．０１〜１．１質量％である＜１＞〜＜５＞のいずれか一項に記載のインク組成物を含有するインクジェット記録用インク。
＜７＞
前記一般式（Ｙ）で表される第１の色材の含有量が、インク組成物全質量に対して、０．１〜１０質量％である＜１＞〜＜６＞のいずれか一項に記載のインク組成物を含有するインクジェット記録用インク。
＜８＞
前記インク組成物中における前記第１の色材の含有量（質量％）が、前記第３の色材の含有量（質量％）に対して、質量比で１．０倍以上５．０倍以下である＜１＞〜＜７＞のいずれか一項に記載のインク組成物を含有するインクジェット記録用インク。
＜９＞
前記インク組成物中における前記第１の色材の含有量（質量％）が、前記第３の色材の含有量（質量％）に対して、質量比で２．０倍以上４．０倍以下である＜８＞に記載のインク組成物を含有するインクジェット記録用インク。
＜１０＞
＜１＞〜＜９＞のいずれか一項に記載のインクジェット記録用インクを用いる、インクジェット記録方法。
＜１１＞
支持体上に白色無機顔料粒子を含有する受像層を有する受像材料にインク滴を記録信号に応じて吐出させ、受像材料上に画像を記録するインクジェット記録方法であって、インク滴が＜１＞〜＜９＞のいずれか一項に記載のインクジェット記録用インクからなる、インクジェット記録方法。
本発明は、前記＜１＞〜＜１１＞に係る発明であるが、以下、それ以外の事項についても参考のため記載している。
【００１０】
〔１〕
少なくとも、第１の色材、第２の色材及び第３の色材の、３つの色材を含有するインク組成物であって、
前記第１の色材が、下記一般式（Ｙ）で表される化合物であり、前記第２の色材が、下記群Ａから選択される少なくとも１種の化合物であり、前記第２の色材の組成物中における含有量（質量％）が、前記第１の色材の組成物中における含有量（質量％）に対して、質量比率で、０．００１以上１．０以下であり、
前記第３の色材が前記第１の色材とは異なる化合物であり、下記一般式（１）〜（８）のいずれかで表される化合物であるインク組成物。
一般式（Ｙ）：
【化１】
0005835965.tif 000016
（一般式（Ｙ）中、Ｍはそれぞれ独立に水素原子又はカチオンを表し、Ｍがカチオンを表す場合は、Ｌｉ＋イオン、Ｎａ＋イオン、Ｋ＋イオン又はＮＨ４＋イオンを表す。）
【化２】
0005835965.tif 000017
（群Ａ中、Ｍはそれぞれ独立に水素原子又はカチオンを表し、Ｍがカチオンを表す場合はＬｉ＋イオン、Ｎａ＋イオン、Ｋ＋イオン又はＮＨ４＋イオンを表す。）
一般式（１）：
【化３】
0005835965.tif 000018
（一般式（１）中、ＡＡ及びＡＡ’は、それぞれ独立してアリール基又は１価のヘテロ環基を表し、ＢＡ及びＢＡ’は、それぞれ独立してアリーレン基又は２価のヘテロ環基を表し、ＸＡ１は２価の連結基を表し、ｎ１は０又は１を表す。但し、ＡＡ、ＢＡ、ＡＡ’及びＢＡ’の少なくとも１つはヘテロ環基である。）
一般式（２）：
【化４】
0005835965.tif 000019
（一般式（２）中、ＧＢはヘテロ環基を表し、ｎ２は１〜３の整数を表す。ｎ２が１の時は、ＲＢ、ＸＢ、ＹＢ、ＺＢ、ＱＢ、ＧＢは一価の基を表す。ｎ２が２の時は、ＲＢ、ＸＢ、ＹＢ、ＺＢ、ＱＢ、ＧＢは一価又は２価の置換基を表し、少なくとも１つは２価の置換基を表す。ｎ２が３の時は、ＲＢ、ＸＢ、ＹＢ、ＺＢ、ＱＢ、ＧＢは一価、２価又は３価の置換基を表し、少なくとも二つが２価の置換基を表すか又は少なくとも１つが３価の置換基を表す。）
一般式（３）：
【化５】
0005835965.tif 000020
（一般式（３）中、ＲＣは炭素数１〜４のアルキル基、ｎ３は１又は２、ｘ３は２から４の整数、ｍ３及びｐ３は、それぞれ独立に１から３の整数を、それぞれ表す。）
一般式（４）：
【化６】
0005835965.tif 000021
（一般式（４）中、ｎは１又は２、ｘは２から４の整数、Ａは下記式（Ａ−１）〜（Ａ−３）のいずれか１つで表される二価の結合基を示す。）
【化７】
0005835965.tif 000022
【化８】
0005835965.tif 000023
【化９】
0005835965.tif 000024
（式（Ａ−１）及び（Ａ−３）中、ｙは２から６の整数、ｗは１から４の整数を示す。）一般式（５）：
【化１０】
0005835965.tif 000025
（一般式（５）中、ＡＥ１及びＡＥ２は各々独立して、置換されていてよいフェニル基又はナフチル基であり；各ＱＥは独立して、置換されていてよいフェニレン基であり；各ＲＥ１は独立して、Ｈ又は置換されていてよいアルキル基であり；ＲＥ２は、Ｈ又は置換されていてよいアルキル基であり；ＲＥ３は、スルホ基を有するアルキル基であり；但し、一般式（５）の化合物は、少なくとも１つのカルボン酸基を有し；但し、一般式（５）の化合物は、
一般式（Ｂ−１）：
【化１１】
0005835965.tif 000026
ここで、ｍ５は１又は２であり；ｎ５は１又は２であり；ｘ５は２〜４である；の化合物ではない。）
一般式（６）：
【化１２】
0005835965.tif 000027
（一般式（６）中、各ＳＦ１、ＳＦ２、ＳＦ３及びＳＦ４は、独立して水分散性置換基以外の置換基であり；各ＷＦ１、ＷＦ２、ＷＦ３及びＷＦ４は、独立して水分散性置換基であり；ａ６、ｂ６、ｃ６及びｄ６は、それぞれ独立して０〜４であり；ｍ６、ｎ６、ｏ６及びｐ６は、それぞれ独立して０〜４であり；
（ａ６＋ｍ６）は、０〜４の値を有し；
（ｂ６＋ｎ６）は、０〜４の値を有し；
（ｃ６＋ｏ６）は、０〜４の値を有し；
（ｄ６＋ｐ６）は、０〜４の値を有し；そして
（ｎ６＋ｏ６）は、１〜８の値を有する）
一般式（７）：
【化１３】
0005835965.tif 000028
【化１４】
0005835965.tif 000029
（一般式（７）及び（８）中、ＡＧは、アリール又はヘテロアリール基であるか、あるいはアリール又はヘテロアリール基を含む基であり；ＱＧ１及びＱＧ２は、それぞれ独立して置換されていてよいフェニレン基であり；ＲＧ１、ＲＧ２、ＲＧａ及びＲＧｂは、それぞれ独立してＨ、置換されていてよいアルキル基、置換されていてよいアリール基又は置換されていてよいアリールアルキル基であり；各ＷＧ１、ＷＧ２、ＷＧ３及びＷＧ４は、独立して−ＣＯ２Ｈ、−ＳＯ３Ｈ、−ＰＯ３Ｈ２基、又は−ＣＯ２Ｈ、−ＳＯ３Ｈ、−ＰＯ３Ｈ２から選択される１つ以上の基で置換されたアルキル基であり；各ＳＧ１、ＳＧ２、ＳＧ３及びＳＧ４は、独立してＷＧ１、ＷＧ２、ＷＧ３及びＷＧ４で定義された基以外の置換基であり；ａ７及びｄ７は、それぞれ独立して１〜５であり；ｂ７及びｃ７は、それぞれ独立して０〜４であり；
（ａ７＋ｂ７）は、１〜５の値であり；
（ｃ７＋ｄ７）は、１〜５の値であり；ｅ７及びｈ７は、それぞれ独立して１〜７であり；ｆ７及びｇ７は、それぞれ独立して０〜６であり；
（ｅ７＋ｆ７）は、１〜７の値を有し；かつ
（ｇ７＋ｈ７）は、１〜７の値を有する。）
〔２〕
前記群Ａより選択される化合物が、１、２、３及び８から選ばれる少なくとも１種である上記〔１〕に記載のインク組成物。
〔３〕
前記一般式（Ｙ）で表される化合物において、Ｍの主成分がＫ＋イオンであり、群Ａより選択される化合物において、Ｍの主成分がＫ＋イオンである上記〔１〕又は〔２〕に記載のインク組成物。
〔４〕
前記一般式（Ｙ）で表される化合物及び群Ａより選択される化合物におけるＭが全てＫ＋イオンである上記〔１〕〜〔３〕のいずれか一項に記載のインク組成物。
〔５〕
前記第２の色材のインク組成物中における含有量（質量％）が、前記第１の色材のインク組成物中における含有量（質量％）に対して、質量比率で、０．００１以上０．２以下である上記〔１〕〜〔４〕のいずれか一項に記載のインク組成物。
〔６〕
前記第２の色材のインク組成物中における含有量が、インク組成物全質量に対して０．０１〜１．１質量％である上記〔１〕〜〔５〕のいずれか一項に記載のインク組成物。
〔７〕
前記一般式（Ｙ）で表される第１の色材の含有量が、インク組成物全質量に対して、０．１〜１０質量％である上記〔１〕〜〔６〕のいずれか一項に記載のインク組成物。
〔８〕
前記第３の色材の含有量が、インク組成物全質量に対して、０．１〜１０質量％である上記〔１〕〜〔７〕のいずれか一項に記載のインク組成物。
〔９〕
前記インク組成物中における前記第１の色材の含有量（質量％）が、前記第３の色材の含有量（質量％）に対して、質量比で１．０倍以上５．０倍以下である上記〔１〕〜〔８〕のいずれか一項に記載のインク組成物。
〔１０〕
前記インク組成物中における前記第１の色材の含有量（質量％）が、前記第３の色材の含有量（質量％）に対して、質量比で２．０倍以上４．０倍以下である上記〔９〕に記載のインク組成物。
〔１１〕
上記〔１〕〜〔１０〕のいずれか一項に記載のインク組成物を含有するインクジェット記録用インク。
〔１２〕
上記〔１１〕に記載のインクジェット記録用インクを用いる、インクジェット記録方法。
〔１３〕
支持体上に白色無機顔料粒子を含有する受像層を有する受像材料にインク滴を記録信号に応じて吐出させ、受像材料上に画像を記録するインクジェット記録方法であって、インク滴が上記〔１１〕に記載のインクジェット記録用インクからなる、インクジェット記録方法。
【発明の効果】
【００１１】
本発明によれば、光、オゾンに対して堅牢な画像を形成することができ、かつ、色調、受像紙への浸透性、印画物のブロンズ発生抑制に優れたインク組成物、該インク組成物を用いたインクジェット記録用インク、及びインクジェット記録方法を提供することができる。
【発明を実施するための形態】
【００１２】
まず、本明細書中で用いられるハメットの置換基定数σｐ値について若干説明する。ハメット則はベンゼン誘導体の反応又は平衡に及ぼす置換基の影響を定量的に論ずるために１９３５年  Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ’ｓ  Ｈａｎｄｂｏｏｋ  ｏｆ  Ｃｈｅｍｉｓｔｒｙ」第１２版、１９７９年（Ｍｃ  Ｇｒａｗ−Ｈｉｌｌ）や「化学の領域」増刊、１２２号、９６〜１０３頁、１９７９年（南江堂）に詳しい。なお、本発明において各置換基をハメットの置換基定数σｐにより限定したり、説明したりするが、これは上記の成書で見出せる、文献既知の値がある置換基にのみ限定されるという意味ではなく、その値が文献未知であってもハメット則に基づいて測定した場合にその範囲内に包まれるであろう置換基をも含むことはいうまでもない。本発明の一般式で表される化合物がベンゼン誘導体ではない場合であっても、置換基の電子効果を示す尺度として、置換位置に関係なくσｐ値を使用する。本発明においては今後、σｐ値をこのような意味で使用する
また、本発明においては、化合物が塩である場合は、インク中では塩はイオンに解離して存在しているが、便宜上、「塩を含有する」と表現する。また、以下の記載において、第１の色材である、一般式（Ｙ）で表される化合物、及び式（Ｙ−１）で表される化合物は、それぞれ「一般式（Ｙ）の化合物」、及び「式（Ｙ−１）の化合物」と省略して記載することがある。また、第２の色材である、群Ａから選択される少なくとも１種の化合物は、「群Ａの化合物」と省略して記載することがある。
【００１３】
以下に、本発明を好ましい実施の形態を挙げて詳細に説明する。
（インク組成物）
本発明のインク組成物は、少なくとも、第１の色材、第２の色材及び第３の色材の、３つの色材を含有するインク組成物であって、前記第１の色材が、下記一般式（Ｙ）で表される化合物（以下一般式（Ｙ）で表される化合物を「アゾ染料」と表記する場合がある）であり、前記第２の色材が、下記群Ａから選択される少なくとも１種の化合物であり、前記第２の色材の組成物中における含有量（質量％）が、前記第１の色材の組成物中における含有量（質量％）に対して、質量比率で、０．００１以上１．０以下であり、前記第３の色材は、前記第１の色材とは異なる化合物であり、上記一般式（１）〜（８）のいずれかで表される。
一般式（Ｙ）
【００１４】
【化１５】
0005835965.tif 000030
【００１５】
（一般式（Ｙ）中、Ｍはそれぞれ独立に水素原子又はカチオンを表し、Ｍがカチオンを表す場合はＬｉ＋イオン、Ｎａ＋イオン、Ｋ＋イオン又はＮＨ４＋イオンを表す。）
【００１６】
【化１６】
0005835965.tif 000031
【００１７】
（群Ａ中、Ｍはそれぞれ独立に水素原子又はカチオンを表し、Ｍがカチオンを表す場合はＬｉ＋イオン、Ｎａ＋イオン、Ｋ＋イオン又はＮＨ４＋イオンを表す。）
【００１８】
本発明においては特に、第１の色材として、下記式（Ｙ−１）で表される化合物を用い、かつ、第２の色材として、上記群Ａにおける化合物１、２、３、５、６又は８を用いることが好ましく、１、２、３、６又は８を用いることがより好ましく、１、２、３又は８を用いることが更に好ましい。
【００１９】
インクが、第１の色材として一般式（Ｙ）で表される化合物を含有し、更に第２の色材として下記群Ａから選択される少なくとも１種の化合物を特定量と、第３の色材として少なくとも１種の上記一般式（１）〜（８）のいずれかで表される化合物とを含有することにより、色調、受像紙への浸透性、印画物のブロンズ発生抑制に優れたインクが提供される。この理由は定かではないが、一般式（Ｙ）で表される化合物、前記第２の色材及び第３の色材がインク組成物に含有されることにより、全体の色調や着色のバランスを崩さずに、相互に溶解性を補いあって、過度の会合や凝集を抑制し、適度に受像紙への浸透性を高め受像紙表面でのブロンズ現象を起こしにくくしているためと推定される。
【００２０】
本発明のインク組成物は、少なくとも下記一般式（Ｙ）で表される１種以上の化合物（染料）と、前記第２の色材（染料）及び第３の色材（染料）とを、例えば水性媒体中に溶解してなる。すなわち、一般式（Ｙ）で表される染料、前記第２の染料及び第３の染料は、典型的には水溶性染料である。
一般式（Ｙ）で表される染料の含有量は、インク組成物全量に対し、好ましくは、０．１〜１０質量％であり、より好ましくは、１．０〜６．０質量％である。当該染料を使用することで、得られる画像のにじみや色移りを抑制することができ、また良好な色相や色濃度を有する品質とすることができる。更に、一般的なアゾ染料に比して、光、熱、空気、水、薬品等に対する堅牢性に優れるため、インク及び記録画像の保存安定性に寄与する。
【００２１】
第３の染料の含有量は、インク組成物全量に対し、好ましくは、０．１〜１０質量％であり、より好ましくは、０．５〜４．０質量％である。当該第３の染料を一般式（Ｙ）で表される染料と組み合わせて使用することで、色調、受像紙への浸透性、印画物のブロンズ発生抑制に優れたインク組成物とすることができる。
なお、インク組成物中における一般式（Ｙ）で表される第１の染料の含有量（質量％）は、第３の染料の含有量（質量％）に対して、質量比で０．１倍以上１０．０倍以下であることが好ましく、１．０倍以上５．０倍以下であることがより好ましく、２．０倍以上４．０倍以下であることが更に好ましい。この割合とすることで、ブロンズ発生抑制についてより優れた効果を得ることができる。
【００２２】
また本発明のインク組成物は、インクジェット記録用インクとして用いられることが好ましい。すなわち、本発明は、本発明のインク組成物を含有するインクジェット記録用インクにも関する。インクジェット記録用インクにおける一般式（Ｙ）で表される第１の染料及び第３の染料の含有量は、上記インク組成物中における含有量と同様である。
本発明のインクジェット記録用インクは、インクジェット記録用インクの原液を水等により希釈して調製してもよい。また本発明のインクジェット記録用インクには、本発明のインク組成物が含有していてもよい後述の成分を同様に含ませることができる。
【００２３】
〔色材〕
（第１の色材）
本発明のインク組成物において第１の色材として使用する水溶性アゾ染料は、一般式（Ｙ）で表される。以下に、一般式（Ｙ）で表されるアゾ染料（イエロー）について説明する。
一般式（Ｙ）：
【００２４】
【化１７】
0005835965.tif 000032
【００２５】
（一般式（Ｙ）中、Ｍはそれぞれ独立に水素原子又はカチオンを表し、Ｍがカチオンを表す場合はＬｉ＋イオン、Ｎａ＋イオン、Ｋ＋イオン又はＮＨ４＋イオンを表す。）
【００２６】
Ｍは、水素原子又はカチオンを表し、Ｍがカチオンを表す場合は、Ｌｉ＋イオン、Ｎａ＋イオン、Ｋ＋イオン、又はＮＨ４＋イオンを表す。Ｍは、Ｎａ＋イオン、Ｋ＋イオン又はＮＨ４＋イオンが好ましく、Ｎａ＋イオン、Ｋ＋イオンがより好ましく、Ｋ＋イオンが最も好ましい。一般式（Ｙ）で表される染料において、Ｍの主成分であるカウンターカチオンがＫ＋イオンであることが好ましく、全てのＭがＫ＋イオンであることがより好ましい。ここで、カウンターカチオンＭの主成分とは、全カウンターカチオンＭ中、８０％以上（好ましくは９０％以上）を占めるイオンを意味する。
一般式（Ｙ）で表される化合物のイオン性親水性基のカウンターカチオンＭの主成分がＫ＋イオンであれば、インク溶液中の溶解性が高くなり、塩の形成・析出を抑制しインク溶液の貯蔵安定性を大幅に向上することができるためである。
【００２７】
一般式（Ｙ）で表される染料は複数種類のＭが存在する混合塩の状態であってもよい。混合塩である場合、インク中に含まれる一般式（Ｙ）で表される染料が有するＭのうち、モル分率で好ましくは５０〜１００％、より好ましくは８０〜１００％、その中でも特に９０〜１００％のＭがＫ＋イオンであることが好ましい。Ｋ＋イオン以外のＭとしては、Ｎａ＋イオン、ＮＨ４＋イオンが好ましく、Ｎａ＋イオンがより好ましい。
【００２８】
また、混合塩ではなく、インク中に含まれる一般式（Ｙ）で表される染料の全てのＭがＫ＋イオンであることが最も好ましい。全てのＭがＫ＋イオンであることにより、水溶液又はインク溶液中に溶解した分子分散状態において、イオン性親水性基であるカルボキシ基又はその塩（−ＣＯ２Ｍ）が解離して−ＣＯ２−とＭ＋にイオン化した状態でカチオン種が交換することにより、より水溶液又はインク溶液に対して溶解性の低い塩の状態を形成して着色剤の塩の状態で析出することを抑制し易いといった効果が得られるためである。
上記一般式（Ｙ）の化合物の中でも特に、下記式（Ｙ−１）の化合物を使用することが好ましい。
【００２９】
式（Ｙ−１）
【００３０】
【化１８】
0005835965.tif 000033
【００３１】
一般式（Ｙ）及び式（Ｙ−１）で表される染料は、一般的な合成法で合成することが可能であり、例えば特開２００４−０８３９０３の［００６６］及び［００６７］の記載の方法と同様に合成することができる。
【００３２】
本発明に用いられる上記イエロー染料は、優れたオゾンガスに対する強制褪色速度定数を有する。オゾンガスに対する強制褪色速度定数の測定は、当該インクのみを反射型受像媒体に印画して得られた画像の該インクの主分光吸収領域の色であってステータスＡのフィルターを通して測定した反射濃度が０．９０〜１．１０の濃度の着色領域を初期濃度点として選択し、この初期濃度を開始濃度（＝１００％）とする。この画像を５ｍｇ／Ｌのオゾン濃度を常時維持するオゾン褪色試験機を用いて褪色させ、その濃度が初期濃度の８０％となるまでの時間を測定し、この時間の逆数［ｈｏｕｒ−１］を求め、褪色濃度と時間関係が一次反応の速度式に従うとの仮定のもとに、褪色反応速度定数とする。したがって、求められる褪色速度定数は当該インクによって印画された着色領域の褪色速度定数であるが、本明細書では、この値をインクの褪色速度定数として用いる。
【００３３】
試験用の印画パッチは、ＪＩＳコード２２２３の黒四角記号を印字したパッチ、マクベスチャートの階段状カラーパッチ、そのほか測定面積が得られる任意の階段濃度パッチを用いることができる。
【００３４】
測定用に印画される反射画像（階段状カラーパッチ）の反射濃度は、国際規格ＩＳＯ５−４（反射濃度の幾何条件）を満たした濃度計によりステータスＡフィルターを透した測定光で求められた濃度である。
【００３５】
オゾンガスに対する強制褪色速度定数測定用の試験チャンバーには、内部のオゾンガス濃度を定常的に５ｍｇ／Ｌに維持可能のオゾン発生装置（例えば乾燥空気に交流電圧を印可する高圧放電方式）が設けられ、曝気温度は２５℃に調節される。
【００３６】
なお、この強制褪色速度定数は、光化学スモッグ、自動車排気、家具の塗装面や絨毯などからの有機蒸気、明室の額縁内の発生ガスなどの環境中の酸化性雰囲気による酸化の受け易さの指標であって、オゾンガスによってこれらの酸化性雰囲気を代表させた指標である。
【００３７】
（第２の色材）
〔群Ａ〕
本発明のインク組成物は、第１の色材として使用する上記で説明した前記一般式（Ｙ）の化合物又は前記式（Ｙ−１）の化合物に加えて、インク組成物の貯蔵安定性、インクの着色性、印画物の画像堅牢性に優れるという特徴を有する第２の色材を含有してなることが必要である。本発明では、第２の色材として、下記群Ａから選択される少なくとも１種の化合物を用いる。下記群Ａから選択される少なくとも１種の化合物の中でも、特に群Ａにおける化合物１、２、３、５、６又は８を用いることが好ましく、１、２、３、６又は８を用いることがより好ましく、１、２、３又は８を用いることが更に好ましい。
【００３８】
本発明においては、第２の色材として、群Ａから選択される少なくとも１種の化合物は、単独でも、又は複数を組み合わせて使用してもよい。本発明においては、第２の色材として、１と２と３と５と６と８とを組み合わせて使用することが好ましく、１と２と３と６と８とを組み合わせて使用することがより好ましく、１と２と３と８とを組み合わせて使用することが更に好ましい。
【００３９】
また、下記群Ａから選択される少なくとも１種の化合物は、前記一般式（Ｙ）の化合物と組み合わせて用いることで相乗効果が発揮され、以下のような効果を得ることができる。すなわち、これらの色材を含有させることで、高い着色力を有するイエローインク組成物とすることができるだけではなく、更に耐光性に優れた画像を与え、加えて、インク供給経路の目詰まり防止や保存安定性を十分満足させることができる。以下、これらの一般式について説明する。
【００４０】
【化１９】
0005835965.tif 000034
【００４１】
群Ａから選択される少なくとも１種の化合物におけるＭは、水素原子、Ｌｉ＋イオン、Ｎａ＋イオン、Ｋ＋イオン、又はＮＨ４＋イオンを表し、Ｎａ＋イオン、Ｋ＋イオン、ＮＨ４＋イオン、が好ましく、更にＮａ＋イオン、Ｋ＋イオンが好ましく、Ｋ＋イオンがより好ましい。群Ａから選択される少なくとも１種の化合物において、カウンターカチオンＭの主成分がＫ＋イオンであることが好ましく、全てのＭがＫ＋イオンであることがより好ましい。
【００４２】
群Ａから選択される少なくとも１種の化合物は複数種類のＭが存在する混合塩の状態であってもよい。混合塩である場合、インク組成物中に含まれる群Ａから選択される化合物が有するＭのうち、モル分率で好ましくは５０〜１００％、更に好ましくは８０〜１００％、より好ましくは９０〜１００％のＭがＫ＋イオンであることが好ましい。Ｋ＋イオン以外のＭとしては、Ｎａ＋イオン、ＮＨ４＋イオンが好ましく、Ｎａ＋イオンがより好ましい。  
【００４３】
また、混合塩ではなく、インク組成物中に含まれる全ての群Ａから選択される化合物のＭがＫ＋であることが特に好ましい。全てのＭがＫ＋イオンであることにより、水溶液又はインク溶液中に溶解した分子分散状態において、イオン性親水性基であるカルボキシ基又はその塩（−ＣＯ２Ｍ）が解離して−ＣＯ２−とＭ＋にイオン化した状態でカチオン種が交換することにより、より水溶液又はインク溶液に対して溶解性の低い塩の状態を形成して着色剤の塩の状態で析出することを抑制し易いといった効果が得られるためである。
群Ａから選択される化合物は、一般的な合成法で合成することが可能であり、例えば特開２００４−０８３９０３公報中に記載のジアゾ成分及びカップリング成分を変更、種々組み合わせることで一般式（Ｙ）又は式（Ｙ−１）と同様に合成することができる。  
【００４４】
本発明においては、一般式（Ｙ）で表される化合物において、カウンターカチオンＭの主成分がＫ＋イオンであり、群Ａより選択される化合物においても、カウンターカチオンＭの主成分がＫ＋イオンであることが好ましい。ここで、カウンターカチオンＭの主成分とは、全カウンターカチオンＭ中、８０％以上を占めるイオン、好ましくは９０％以上を占めるイオンを意味する。
一般式（Ｙ）で表される化合物及び群Ａより選択される化合物のイオン性親水性基のカウンターカチオンＭの主成分がＫ＋イオンであれば、インク組成物中の溶解性が高くなり、塩の形成・析出を抑制しインク組成物の貯蔵安定性を大幅に向上することができるためである。
また、一般式（Ｙ）で表される化合物及び群Ａより選択される化合物におけるＭが全てＫ＋イオンであることがより好ましい。これによりインク組成物の貯蔵安定性を大幅に向上することができるためである。
【００４５】
〔色材の検証方法〕
本発明で用いる色材がインク組成物中に含まれているか否かの検証には、液体クロマトグラフ質量分析（ＬＣ−ＭＳ）を用いた下記（１）〜（３）の検証方法が適用できる。
（１）ピークの保持時間
（２）（１）のピークについての最大吸収波長
（３）（１）のピークについてのマススペクトルのｍ／ｚ（ｐｏｓｉ）、ｍ／ｚ（ｎｅｇａ）
【００４６】
液体クロマトグラフ質量分析の分析条件は、以下に示す通りである。純水で約１，０００倍に希釈した液体（インク）を測定用サンプルとした。そして、下記の条件で液体クロマトグラフ質量分析での分析を行い、ピークの保持時間（ｒｅｔｅｎｔｉｏｎ  ｔｉｍｅ）、及び、Ｍａｓｓ実測値ピークを測定した。
【００４７】
＜液体クロマトグラフ質量分析（ＬＣ−ＭＳ）測定条件＞
・装置：Ａｇｉｌｅｎｔ１１００（アジレント・テクノロジー社製）
・カラム：ＹＭＣ  ＡＭ−３１２  内径  ６．０  ｍｍ×  長さ  １５０  ｍｍ（ワイエムシー社製）
・溶離液：Ａ液  超純水＋０．１％酢酸、０．２％トリエチルアミン
Ｂ液  メタノール＋０．１％酢酸、０．２％トリエチルアミン
・移動相及びグラジエント条件：（表１（表１中Ｂ．  Ｃｏｎｃ．はＢ液の濃度を意味する））
【００４８】
【表１】
0005835965.tif 000035
【００４９】
また、マススペクトルの分析条件は以下に示す通りである。得られたピークについて、下記の条件でマススペクトルを測定し、最も強く検出されたｍ／ｚをｐｏｓｉ、ｎｅｇａそれぞれに対して測定する。
・装置：Ａｐｐｌｉｅｄ  ＢｉｏｓｙｓｔｅｍｓＴＭ  ＱＳＴＡＲ  ｐｕｌｓｅｒｉ（ライフテクノロジー社製）
・イオン化法：ＥＳＩ（ｐｏｓｉ）
・キャピラリ電圧：３．５ｋＶ
・脱溶媒ガス：３００℃
・イオン源温度：１２０℃
・検出法：ＴＯＦ−ＭＳ
・検出範囲：１２０〜１５００
【００５０】
上記の方法及び条件下で、それぞれの色材の代表例として、第１の色材化合物（Ｙ−１）、第２の色材の群Ａ中の化合物１〜８（Ｍ＝Ｋ）について測定を行った。その結果、得られた保持時間、Ｍａｓｓ実測値｛ｍ／ｚ（ｐｏｓｉ）｝を表２に示した。着色組成物及びインクについて、上記と同様の方法及び条件下で測定を行って、表２に示す値に該当する場合、本発明において用いる化合物に該当すると判断できる。
なお、Ｍは例えば、イオンクロマトグラフによる測定により検証することができる。
イオンクロマトグラフ測定条件：
装置：パーソナルイオンアナライザＰＩＡ−１０００（島津製作所製）
カラム：カチオン分析用セミミクロカラムＳｈｉｍ−ｐａｃｋ  ＩＣ−Ｃ３（Ｓ）（内径２ｍｍ  ×  長さ１００ｍｍ）
移動相：２．５  ｍＭシュウ酸水溶液
カラム温度：３５℃
流速：０．２ｍＬ／分
【００５１】
【表２】
0005835965.tif 000036
【００５２】
〔色材の含有量〕
本発明のインク組成物は、インク原料として、着色剤を高い濃度で含む濃厚水溶液とすることができる。濃厚水溶液の着色剤濃度は１５質量％以下、好ましくは１２質量％以下であることが染料の経時安定性、取り扱いの容易さ（粘度）の点で好ましく、染料の経時安定性の向上や輸送コストの抑制の観点から、８質量％以上の濃度であることが好ましい。
また、本発明のインク組成物は、インクジェット用インクとすることもできる。インクジェット用インクの着色剤濃度はインク粘度や、印画物の濃度の点で、１〜１２質量％が好ましく、２〜８質量％がより好ましく、３〜６質量％が特に好ましい。
インク組成物中の第２の色材［群Ａから選択される少なくとも１種の化合物］の含有量は、以下のようにすることが好ましい。すなわち、第２の色材の含有量（質量％）は、インク組成物全質量を基準として、０．００１質量％以上２．０質量％以下であることが好ましく、０．００５質量％以上１．５質量％以下であることがより好ましく、０．０１質量％以上１．１質量％以下であることが更に好ましく、０．０５質量％以上０．８質量％以下であることが特に好ましい。
【００５３】
なお、この場合の第２の色材の含有量は、他の色材との関連において、下記のようにすることが、より好ましい。群Ａから選択される少なくとも１種の化合物のいずれかを単独で用いる場合はその含有量が、また、これらから選ばれる２種以上を併用する場合はその合計含有量が、それぞれ上記の範囲を満足するように構成することが好ましい。第１の色材及び／又は第２の色材の含有量を上述の範囲とすることで、画像の耐光性と色調を満足させるだけではなく、保存安定性や記録耐久性といった、インク組成物を用いたインクの信頼性の点も満足させることが可能となる。
群Ａ中の化合物１は、インク組成物全質量を基準として、０．００１〜１．０質量％含まれることが好ましく、０．０１〜１．０質量％含まれることがより好ましい。
群Ａ中の化合物２は、インク組成物全質量を基準として、０．００３〜３．０質量％含まれることが好ましく、０．１〜３．０質量％含まれることがより好ましい。
群Ａ中の化合物３は、インク組成物全質量を基準として、０．００１〜１．０質量％含まれることが好ましく、０．０１〜１．０質量％含まれることがより好ましい。
群Ａ中の化合物４は、インク組成物全質量を基準として、０．０〜０．５質量％含まれることが好ましい。
群Ａ中の化合物５は、インク組成物全質量を基準として、０．０〜０．５質量％含まれることが好ましい。
群Ａ中の化合物６は、インク組成物全質量を基準として、０．０〜０．５質量％含まれることが好ましい。
群Ａ中の化合物７は、インク組成物全質量を基準として、０．０〜０．５質量％含まれることが好ましい。
群Ａ中の化合物８は、インク組成物全質量を基準として、０．００２〜２．０質量％含まれることが好ましく、０．０５〜２．０質量％含まれることがより好ましい。
【００５４】
インク組成物全質量を基準とした、第２の色材の含有量（質量％）は、第１の色材の含有量（質量％）に対して、質量比率で、（第２の色材／第１の色材）＝０．００１以上１．０以下であることが必要である。
【００５５】
本発明においては更に、第２の色材の含有量（質量％）は、第１の色材の含有量（質量％）に対して、質量比率で、（第２の色材／第１の色材）＝０．００１以上０．３以下であることが好ましい。色材の含有量の質量比率を上記範囲となるように構成することで、第１の色材が有する溶解性・耐光性と第２の色材が有する溶解性・耐光性との組み合わせから予測される性能をはるかに上回る高いレベルの耐光性を有する画像を形成することができる。また、より好ましい色調の画像を得ることができる。第２の色材の含有量（質量％）は、第１の色材の含有量（質量％）に対して、質量比率で、（第２の色材／第１の色材）＝０．００１以上０．２以下であることがより好ましく、０．０１以上０．２以下であることが更に好ましく、０．０２以上０．１２以下であることがより更に好ましい。色材の含有量の質量比率をこの範囲とすることで、上記の含有量の質量比率においても特に高いレベルの耐光性を有する画像を形成することができる。更には特に好ましい色調の画像を得ることができ、加えて、インクとしての信頼性も十分に満足することが可能となる。
【００５６】
質量比率が０．００１以上であると、インク溶液の保存安定性が向上し、１．０以下であれば、インク組成物の水溶液安定性に優れる。色材の含有量の質量比率を上記範囲となるように構成することで、第１の色材が有する溶解性・画像堅牢性と、第２の色材が有する溶解性・画像堅牢性との組み合わせから予測される性能を上回る高いレベルのインク液貯蔵安定性・印画物の画像堅牢性を達成することができる。また、好ましい色調の画像が得られ、インクとしての信頼性も満足できる。
【００５７】
第１の色材と第２の色材とを特定の質量比率で用いることで、相乗効果が発揮され、予測を上回るインクの貯蔵安定性付与と印画物の画像堅牢化を両立できる理由を本発明者らは以下のように推測している。第１の色材は、もともと水性媒体に対する溶解性が低い傾向があるため、これらの化合物を含有するインク組成物を用いたインクを記録媒体に付与すると、その直後から速やかに色材の会合や凝集が起こる。会合や凝集は、画像を形成している記録媒体上の色材の堅牢性を向上させる傾向がある。しかし、その一方で、過度の会合や凝集は、水溶液及びインク溶液への溶解性を低下させる場合がある。これに対し、第１の色材と第２の色材とを共存させることで、記録媒体上で、第１の色材が耐光性に関して最適な会合や凝集の状態を形成し、これにより、画像の耐光性が向上したものと考えられる。
【００５８】
また、第１の色材と第２の色材とを特定の質量比率で用いることで、相乗効果が発揮され、インク組成物を用いたインクの信頼性が達成される理由を本発明者らは以下のように推測している。上記で述べた通り、インク中には、インクカートリッジやインク供給経路を構成する部材から溶出したと考えられる不純物が混入し、インク供給経路の目詰まりやインク供給特性の低下、インク保存安定性の低下の原因となる場合がある。本発明者らは検討の結果、第一の色材構造に類似の第二の色材をインク中に共存させることにより、インクの着色力を低下させること無く、第一の色材の結晶化抑制を付与することができ、インクの貯蔵安定性を大幅に向上させることができたと考えている。つまり、色材として第１の色材のみを使用することでは達成が困難であったインクの信頼性に関して、第２の色材を併用することにより、予想を上回る効果が得られ、十分な信頼性を達成することができるのである。
【００５９】
また、インク組成物中の第１の色材と、第２の色材との含有量の合計（質量％）が、インク組成物全質量を基準として、１．００質量％以上１２．００質量％以下であることが好ましく、特に３．００質量％以上８．０質量％以下であることが好ましい。含有量の合計が１．００質量％以上であれば、耐光性及び発色性が十分に得られ、含有量の合計が１２．００質量％以下であれば、インク中に不溶物の析出等が無くインクジェット吐出特性に優れる。
【００６０】
なお、本発明のインク組成物がインクジェット記録用インクのイエローインクである場合、イエローインクとして好ましい色調とは、以下の二つのことを意味する。すなわち、イエローインクのみを用いて形成した画像が赤味や緑味を帯びていないことを意味する。更に、これに加えて、イエローインクを用いて形成する２次色の画像、つまりレッドやグリーンの画像を形成する際に、レッド及びグリーンの色再現範囲をいずれも大きく損失することがない色調を有することを意味する。
【００６１】
（第３の色材）
本発明のインク組成物は、下記一般式（１）〜（８）のいずれかで表される化合物を、第３の色材として含有する。これらの化合物は１種のみを使用してもよいし、２種以上を組み合わせてもよいが、着色バランスの観点からは、２種以上を組み合わせることが好ましい。
一般式（１）：
【００６２】
【化２０】
0005835965.tif 000037
【００６３】
（一般式（１）中、ＡＡ及びＡＡ’は、それぞれ独立してアリール基又は１価のヘテロ環基を表し、ＢＡ及びＢＡ’は、それぞれ独立してアリーレン基又は２価のヘテロ環基を表し、ＸＡ１は２価の連結基を表し、ｎ１は０又は１を表す。但し、ＡＡ、ＢＡ、ＡＡ’及びＢＡ’の少なくとも１つはヘテロ環基である。）
【００６４】
一般式（１）で表される化合物は、下記一般式（１−１）又は一般式（１−２）であることが好ましい。
一般式（１−１）：
【００６５】
【化２１】
0005835965.tif 000038
【００６６】
（式中、ＲＡ２は１価の基を表し、ＲＡ３は−ＯＲＡ６又は−ＮＨＲＡ７を表し、ＲＡ６及びＲＡ７は水素原子又は１価の基を表し、ＸＡ２は２価の連結基を表し、ｎ２は０又は１であり、ＡｒＡ１はアリール基又はヘテロ環基を表し、ＡｒＡ２はアルキレン基、アリーレン基又は２価のトリアジン環基を表す。）
一般式（１−２）：
【００６７】
【化２２】
0005835965.tif 000039
【００６８】
（式中、ＲＡ４は１価の基を表し、ＲＡ５は−ＯＲＡ６又は−ＮＨＲＡ７を表し、ＲＡ６及びＲＡ７は水素原子又は１価の基を表し、ＸＡ３は２価の連結基を表し、ｎ３は０又は１であり、ＡｒＡ３はアリーレン基又は２価のヘテロ環基を表し、ＡｒＡ４はアルキル基、アリール基又は１価のトリアジン環基を表す。）
【００６９】
以下、一般式（１）について詳細に説明する。ＡＡ、ＡＡ’、ＢＡ及びＢＡ’で表されるアリール基又はアリーレン基は、置換若しくは無置換の、アリール基又はアリーレン基が含まれる。置換若しくは無置換のアリール基又はアリーレン基としては、炭素数６から３０のアリール基又はアリーレン基が好ましい。置換基の例としては、ハロゲン原子、アルキル基、シクロアルキル基、アラルキル基、アルケニル基、アルキニル基、アリール基、ヘテロ環基、シアノ基、ヒドロキシル基、ニトロ基、カルボキシル基（塩の形でもよい）、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アニリノ基を含む）、アシルアミノ基、アミノカルボニルアミノ基、アルコキシカルボニルアミノ基、アリールオキシカルボニルアミノ基、スルファモイルアミノ基、アルキル若しくはアリールスルホニルアミノ基、メルカプト基、アルキルチオ基、アリールチオ基、ヘテロ環チオ基、スルファモイル基、スルホ基（塩の形でもよい）、アルキル若しくはアリールスルフィニル基、アルキル若しくはアリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基又はシリル基が例として挙げられる。
【００７０】
更に詳しく説明する。ハロゲン原子は、例えば塩素原子、臭素原子、ヨウ素原子を表し、アルキル基は、置換若しくは無置換のアルキル基が含まれる。置換又は無置換のアルキル基は、炭素原子数が１〜３０のアルキル基が好ましい。置換基の例としては、前記アリール基又はアリーレン基の置換基と同じものが挙げられる。中でも、ヒドロキシル基、アルコキシ基、シアノ基、ハロゲン原子、スルホ基（塩の形でもよい）及びカルボキシル基
（塩の形でもよい）が好ましい。前記アルキル基の例には、メチル、エチル、ブチル、ｔ−ブチル、ｎ−オクチル、エイコシル、２−クロロエチル、ヒドロキシエチル、シアノエチル及び４−スルホブチルを挙げることが出来る。
【００７１】
シクロアルキル基は、置換若しくは無置換のシクロアルキル基が含まれる。置換基又は無置換のシクロアルキル基は、炭素原子数が５〜３０のシクロアルキル基が好ましい。置換基の例としては、前記アリール基又はアリーレン基の置換基と同じものが挙げられる。前記シクロアルキル基の例にはシクロヘキシル、シクロペンチル、４−ｎ−ドデシルシクロヘキシルを挙げることが出来る。
【００７２】
アラルキル基は、置換若しくは無置換のアラルキル基が含まれる。置換若しくは無置換のアラルキル基としては、炭素原子数が７〜３０のアラルキル基が好ましい。置換基の例としては、前記アリール基又はアリーレン基の置換基と同じものが挙げられる。前記アラルキルの例にはベンジル及び２−フェネチルを挙げることが出来る。
アルケニル基は、直鎖、分岐、環状の置換若しくは無置換のアルケニル基を表す。それらは、好ましくは、炭素数２から３０の置換又は無置換のアルケニル基、例えば、ビニル、アリル、プレニル、ゲラニル、オレイル、２−シクロペンテン−１−イル、２−シクロヘキセン−１−イルを挙げることが出来る。
【００７３】
アルキニル基は、炭素数２から３０の置換又は無置換のアルキニル基が好ましく、例えば、エチニル、プロパルギルを挙げることが出来る。
アリール基は炭素数６から３０の置換若しくは無置換のアリール基が好ましく、例えばフェニル、ｐ−トリル、ナフチル、ｍ−クロロフェニル、ｏ−ヘキサデカノイルアミノフェニルである。
ヘテロ環基は５又は６員の置換若しくは無置換の、芳香族若しくは非芳香族のヘテロ環化合物から一個の水素原子を取り除いた一価の基が好ましく、更に好ましくは、炭素数３から３０の５若しくは６員の芳香族のヘテロ環基である。例えば、２−フリル、２−チエニル、２−ピリミジニル、２−ベンゾチアゾリルである。
【００７４】
アルコキシ基は置換若しくは無置換のアルコキシ基が含まれる。置換若しくは無置換のアルコキシ基としては、炭素原子数が１〜３０のアルコキシ基が好ましい。置換基の例としては、前記アリール基又はアリーレン基の置換基と同じものが挙げられる。前記アルコキシ基の例には、メトキシ、エトキシ、イソプロポキシ、ｎ−オクチルオキシ、メトキシエトキシ、ヒドロキシエトキシ及び３−カルボキシプロポキシなどを挙げることが出来る。
【００７５】
アリールオキシ基は、炭素数６から３０の置換若しくは無置換のアリールオキシ基が好ましく、例えば、フェノキシ、２−メチルフェノキシ、４−ｔ−ブチルフェノキシ、３−ニトロフェノキシ、２−テトラデカノイルアミノフェノキシである。
シリルオキシ基は、炭素数３から２０のシリルオキシ基が好ましく、例えば、トリメチルシリルオキシ、ｔ−ブチルジメチルシリルオキシである。
ヘテロ環オキシ基は、炭素数２から３０の置換若しくは無置換のヘテロ環オキシ基が好ましく、例えば、１−フェニルテトラゾールー５−オキシ、２−テトラヒドロピラニルオキシである。
【００７６】
アシルオキシ基はホルミルオキシ基、炭素数２から３０の置換若しくは無置換のアルキルカルボニルオキシ基、炭素数６から３０の置換若しくは無置換のアリールカルボニルオキシ基が好ましく、例えば、ホルミルオキシ、アセチルオキシ、ピバロイルオキシ、ステアロイルオキシ、ベンゾイルオキシ、ｐ−メトキシフェニルカルボニルオキシである。
カルバモイルオキシ基は、炭素数１から３０の置換若しくは無置換のカルバモイルオキシ基が好ましく、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシである。
【００７７】
アルコキシカルボニルオキシ基は、炭素数２から３０の置換若しくは無置換アルコキシカルボニルオキシ基が好ましく、例えばメトキシカルボニルオキシ、エトキシカルボニルオキシ、ｔ−ブトキシカルボニルオキシ、ｎ−オクチルカルボニルオキシである。
アリールオキシカルボニルオキシ基は、炭素数７から３０の置換若しくは無置換のアリールオキシカルボニルオキシ基が好ましく、例えば、フェノキシカルボニルオキシ、ｐ−メトキシフェノキシカルボニルオキシ、ｐ−（ｎ−ヘキサデシルオキシ）フェノキシカルボニルオキシである。
【００７８】
アミノ基は、炭素数１から３０の置換若しくは無置換のアルキルアミノ基、炭素数６から３０の置換若しくは無置換のアニリノ基が好ましく、例えば、アミノ、メチルアミノ、ジメチルアミノ、アニリノ、Ｎ−メチル−アニリノ、ジフェニルアミノである。
アシルアミノ基は、ホルミルアミノ基、炭素数１から３０の置換若しくは無置換のアルキルカルボニルアミノ基、炭素数６から３０の置換若しくは無置換のアリールカルボニルアミノ基が好ましく、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノである。
アミノカルボニルアミノ基は、炭素数１から３０の置換若しくは無置換のアミノカルボニルアミノが好ましく、例えば、カルバモイルアミノ、Ｎ，Ｎ−ジメチルアミノカルボニルアミノ、Ｎ，Ｎ−ジエチルアミノカルボニルアミノ、モルホリノカルボニルアミノである。
【００７９】
アルコキシカルボニルアミノ基は、炭素数２から３０の置換若しくは無置換アルコキシカルボニルアミノ基が好ましく、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノである。
アリールオキシカルボニルアミノ基は、炭素数７から３０の置換若しくは無置換のアリールオキシカルボニルアミノ基が好ましく、例えば、フェノキシカルボニルアミノ、ｐ−クロロフェノキシカルボニルアミノ、ｍ−（ｎ−オクチルオキシ）フェノキシカルボニルアミノである。
【００８０】
スルファモイルアミノ基は、炭素数０から３０の置換若しくは無置換のスルファモイルアミノ基が好ましく、例えば、スルファモイルアミノ、Ｎ，Ｎ−ジメチルアミノスルホニルアミノ、Ｎ−ｎ−オクチルアミノスルホニルアミノである。
アルキル又はアリールスルホニルアミノ基は、炭素数１から３０の置換若しくは無置換のアルキルスルホニルアミノ、炭素数６から３０の置換若しくは無置換のアリールスルホニルアミノが好ましく、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノである。
【００８１】
アルキルチオ基は、炭素数１から３０の置換若しくは無置換のアルキルチオ基が好ましく、例えばメチルチオ、エチルチオ、ｎ−ヘキサデシルチオである。
アリールチオ基は、炭素数６から３０の置換若しくは無置換のアリールチオが好ましく、例えば、フェニルチオ、ｐ−クロロフェニルチオ、ｍ−メトキシフェニルチオである。
ヘテロ環チオ基は、炭素数２から３０の置換又は無置換のヘテロ環チオ基が好ましく、例えば、２−ベンゾチアゾリルチオ、１−フェニルテトラゾール−５−イルチオである。
【００８２】
スルファモイル基は、炭素数０から３０の置換若しくは無置換のスルファモイル基が好ましく、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ‘−フェニルカルバモイル）スルファモイル）である。
アルキル又はアリールスルフィニル基は、炭素数１から３０の置換又は無置換のアルキルスルフィニル基、炭素数６から３０の置換又は無置換のアリールスルフィニル基が好ましく、例えば、メチルスルフィニル、エチルスルフィニル、フェニルスルフィニル、ｐ−メチルフェニルスルフィニルである。
アルキル又はアリールスルホニル基は、炭素数１から３０の置換又は無置換のアルキルスルホニル基、炭素数６から３０の置換又は無置換のアリールスルホニル基が好ましく、例えば、メチルスルホニル、エチルスルホニル、フェニルスルホニル、ｐ−メチルフェニルスルホニルである。
【００８３】
アシル基はホルミル基、炭素数２から３０の置換又は無置換のアルキルカルボニル基、炭素数７から３０の置換若しくは無置換のアリールカルボニル基、炭素数４から３０の置換若しくは無置換の炭素原子でカルボニル基と結合しているヘテロ環カルボニル基が好ましく、例えば、アセチル、ピバロイル、２−クロロアセチル、ステアロイル、ベンゾイル、ｐ−（ｎ−オクチルオキシ）フェニルカルボニル、２―ピリジルカルボニル、２―フリルカルボニルである。
【００８４】
アリールオキシカルボニル基は、炭素数７から３０の置換若しくは無置換のアリールオキシカルボニル基が好ましく、例えば、フェノキシカルボニル、ｏ−クロロフェノキシカルボニル、ｍ−ニトロフェノキシカルボニル、ｐ−（ｔ−ブチル）フェノキシカルボニルである。
アルコキシカルボニル基は、炭素数２から３０の置換若しくは無置換アルコキシカルボニル基が好ましく、例えば、メトキシカルボニル、エトキシカルボニル、ｔ−ブトキシカルボニル、ｎ−オクタデシルオキシカルボニルである。
カルバモイル基は、炭素数１から３０の置換若しくは無置換のカルバモイルが好ましく、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルである。
【００８５】
ホスフィノ基は、炭素数２から３０の置換若しくは無置換のホスフィノ基が好ましく、例えば、ジメチルホスフィノ、ジフェニルホスフィノ、メチルフェノキシホスフィノである。
ホスフィニル基は、炭素数２から３０の置換若しくは無置換のホスフィニル基が好ましく、例えば、ホスフィニル、ジオクチルオキシホスフィニル、ジエトキシホスフィニルである。
ホスフィニルオキシ基は、炭素数２から３０の置換若しくは無置換のホスフィニルオキシ基が好ましく、例えば、ジフェノキシホスフィニルオキシ、ジオクチルオキシホスフィニルオキシである。
ホスフィニルアミノ基は、炭素数２から３０の置換若しくは無置換のホスフィニルアミノ基が好ましく、例えば、ジメトキシホスフィニルアミノ、ジメチルアミノホスフィニルアミノである。
シリル基は、炭素数３から３０の置換若しくは無置換のシリル基が好ましく、例えば、トリメチルシリル、ｔ−ブチルジメチルシリル、フェニルジメチルシリルである。
【００８６】
上記のアリール基又はアリーレン基の置換基の中で、水素原子を有するものは、これを取り去り更に上記の基で置換されていても良い。そのような置換基の例としては、アルキルカルボニルアミノスルホニル基、アリールカルボニルアミノスルホニル基、アルキルスルホニルアミノカルボニル基、アリールスルホニルアミノカルボニル基が挙げられる。その具体例としては、メチルスルホニルアミノカルボニル、ｐ−メチルフェニルスルホニルアミノカルボニル、アセチルアミノスルホニル、ベンゾイルアミノスルホニル基が挙げられる。
【００８７】
ＡＡ、ＡＡ’、ＢＡ及びＢＡ’で表される１価又は２価のヘテロ環基としては、５員又は６員環のものが好ましく、それらは更に縮環していてもよい。また、芳香族ヘテロ環であっても非芳香族ヘテロ環であっても良い。本発明において、ヘテロ環基はＩ型とＩＩ型に分類することが出来る。Ｉ型としては、酸性核として知られているもので、例えば、５−ピラゾロン環、５−アミノピラゾール環、オキサゾロン環、バルビツール酸環、ピリドン環、ローダニン環、ピラゾリジンジオン環、ピラゾロピリドン環、メルドラム酸環があげられ、５−ピラゾロン環及び５−アミノピラゾール環が好ましい。ＩＩ型としては、塩基性核として知られているもので、例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中では芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。チアジアゾールが最も好ましい。それらは置換基を有していても良く、置換基の例としては、前述のアリール基又はアリーレン基の置換基と同じである。
【００８８】
ＡＡ、ＡＡ’、ＢＡ及びＢＡ’のＡＡとＡＡ’及びＢＡとＢＡ’は同じであるのが好ましく、どちらもヘテロ環であることが更に好ましい。どちらもヘテロ環の場合、ＡＡ，ＡＡ’及びＢＡ，ＢＡ’の一方がＩ型のヘテロ環であり、他方がＩＩ型であることが好ましい。更に、一方がチアジアゾール環で他方が５−アミノピラゾール環であることが最も好ましい。
【００８９】
一般式（１）のＸＡ１で表される二価の連結基はアルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６−クロロ−１，３，５−トリアジン−２，４−ジイル基、ピリミジン−２，４−ジイル基、キノキサリン−２，３−ジイル基）、−Ｏ−、−ＣＯ−、−ＮＲＡ−（ＲＡは水素原子、アルキル基又はアリール基）、−Ｓ−、−ＳＯ２−、−ＳＯ−又はこれらの組み合わせであることが好ましい。
アルキレン基、アルケニレン基、アルキニレン基、アリーレン基、二価のヘテロ環基、ＲＡで表されるアルキル基又はアリール基は、置換基を有していてもよい。置換基の例としては、前記アリール基又はアリーレン基の置換基と同じである。ＲＡで表されるアルキル基及びアリール基は前述と同義である。
更に好ましくは、炭素数１０以下のアルキレン基、炭素数１０以下のアルケニレン基、炭素数１０以下のアルキニレン基、炭素数６以上１０以下のアリーレン基、二価のヘテロ環基、−Ｏ―、−Ｓ−又はこれらの組み合わせであることが更に好ましい。
二価の連結基の総炭素数は０〜５０であることが好ましく、０〜３０であることがより好ましく、０〜１０であることが最も好ましい。
【００９０】
更に好ましくは、前記一般式（１−１）又は（１−２）で表されるビスアゾ化合物である。特に、一般式（１−２）のビスアゾ化合物が好ましい。
一般式（１−１）及び（１−２）について詳細に説明する。ＲＡ２、ＲＡ４、ＲＡ６、ＲＡ７で表される一価の基は、前述のアリール基又はアリーレン基の置換基と同義である。ＸＡ２又はＸＡ３で表される二価の連結基は一般式（１）のＸＡ１で表される連結基と同義である。ＡｒＡ１、ＡｒＡ２、ＡｒＡ３又はＡｒＡ４で表されるアリール基又はアリーレン基は前述（一般式（１））のアリール基又はアリーレン基と同義である。ＡｒＡ１又はＡｒＡ３で表されるヘテロ環基は前述のＩＩ型のヘテロ環基と同義である。ＡｒＡ２又はＡｒＡ４で表されるアルキル基又はアルキレン基は前述（一般式（１）における置換基）と同義である。ＡｒＡ２又はＡｒＡ４で表されるトリアジン環基は一価の置換基を有していてもよい（一価の置換基は前述と同義である）。一般式（１−１）においては、ＡｒＡ２及びＸＡ２の少なくともいずれかがスルホ基又はカルボキシル基（それらの塩を含む）を有しているのが好ましい。一般式（１−２）においては、ＡｒＡ４がスルホ基又はカルボキシル基（それらの塩を含む）を有しているのが好ましい。
【００９１】
更に好ましくはＲＡ３及びＲＡ５がアミノ基で、ＡｒＡ１及びＡｒＡ３がヘテロ環基である。更に、一般式（１−１）でＡｒＡ１がチアジアゾール環、一般式（１−２）でＡｒＡ３がチアジアゾール環であるのが最も好ましい。
【００９２】
前記一般式（１）、（１−１）又は（１−２）で表される化合物の具体例（例示色素１〜７５）を以下に示すが、本発明に用いられる化合物は、下記の例に限定されるものではない。なお、具体例中、Ｅｔはエチルを、Ｐｈはフェニルを、それぞれ意味する。
【００９３】
【化２３】
0005835965.tif 000040
【００９４】
【化２４】
0005835965.tif 000041
【００９５】
【化２５】
0005835965.tif 000042
【００９６】
【化２６】
0005835965.tif 000043
【００９７】
【化２７】
0005835965.tif 000044
【００９８】
【化２８】
0005835965.tif 000045
【００９９】
【化２９】
0005835965.tif 000046
【０１００】
【化３０】
0005835965.tif 000047
【０１０１】
【化３１】
0005835965.tif 000048
【０１０２】
【化３２】
0005835965.tif 000049
【０１０３】
【化３３】
0005835965.tif 000050
【０１０４】
【化３４】
0005835965.tif 000051
【０１０５】
【化３５】
0005835965.tif 000052
【０１０６】
【化３６】
0005835965.tif 000053
【０１０７】
【化３７】
0005835965.tif 000054
【０１０８】
これらの色素は例えば、特開２００４−８３９０３号公報に記載の方法により合成できる。
【０１０９】
更に、一般式（１）で表される化合物として、下記一般式（１−３）で表される化合物を好適に挙げることができる。
一般式（１−３）：
【０１１０】
【化３８】
0005835965.tif 000055
【０１１１】
上記一般式（１−３）中：ＡｒＡ１及びＡｒＡ２はそれぞれ独立に、芳香族炭化水素環基、非芳香族炭化水素環基、芳香族複素環基又は非芳香族複素環基を表し、ＡＡ１及びＡＡ２はそれぞれ独立に、水素原子又は置換基を表し、この置換基は更に置換基を有していても良い。ＹＡは−ＯＭＡ又は−ＮＲＡ１ＲＡ２を表し、ＭＡは水素原子又は金属イオンを表し、ＲＡ１及びＲＡ２はそれぞれ独立に、水素原子、アルキル基、アルケニル基、アルキニル基、アラルキル基、アリール基又は複素環基を表す。
【０１１２】
以下に、前記一般式（１−３）について更に詳しく説明する。ＡｒＡ１及びＡｒＡ２は芳香族炭化水素環基、非芳香族炭化水素環基、芳香族複素環基又は非芳香族複素環基を表し、単環であっても、更に他の環が縮環していても良い。前記各環は置換基を有しても良く、該置換基としては後述の置換基（ＳＵＢ）が挙げられる。芳香族炭化水素環基としては、後述の置換基（ＳＵＢ）に記載のアリール基が挙げられる。非芳香族炭化水素環基としては、後述の置換基（ＳＵＢ）に記載のシクロアルキル基、ビシクロアルキル基等が挙げられる。非芳香族複素環基としては、ピペリジル基、ピペリジノ基、モルホリニル基、モルホリノ基等が挙げられる。
ＡｒＡ１及びＡｒＡ２は芳香族複素環基が好ましく、より好ましくは含窒素５〜７員環の芳香族複素環基であり、５〜６員環の芳香族複素環が好ましい。以下にＡｒＡ１及びＡｒＡ２の好ましい例、より好ましい例、更に好ましい例を示すが、ＡｒＡ１及びＡｒＡ２のアゾ基と結合する置換位置及び、ＡｒＡ１及びＡｒＡ２の有しても良い置換基とその置換位置は限定されない。ＡｒＡ１及びＡｒＡ２の好ましい例としては、フェニル基、イミダゾリル基、ベンゾイミダゾリル基、ピラゾリル基、ベンゾピラゾリル基、トリアゾリル基、チアゾリル基、ベンゾチアゾリル基、イソチアゾリル基、ベンゾイソチアゾリル基、オキサゾリル基、ベンゾオキサゾリル基、チアジアゾリル基、ピロリル基、ベンゾピロリル基、インドリル基、イソオキサゾリル基、ベンゾイソオキサゾリル基、チオフェニル基、ベンゾチオフェニル基、フラニル基、ベンゾフラニル基、ピリジニル基、キノリニル基、イソキノリニル基、ピリダジニル基、ピリミジニル基、ピラジニル基、シンノリニル基、フタラジニル基、キナゾリニル基、キノクサリニル基、又はトリアジニル基が挙げられる。
【０１１３】
ＡｒＡ１及びＡｒＡ２としてより好ましくはピリジニル基、ピリミジニル基、ピリダジニル基、ピロリル基、イミダゾリル基、ピラゾリル基、トリアゾリル基、オキサゾリル基、イソオキサゾリル基、チアゾリル基、イソチアゾリル基、又はチアジアゾリル基であり、更に好ましい例は、ピラゾリル基、チアゾリル基、イソチアゾリル基、又はチアジアゾリル基である。特に好ましくはピラゾリル基又はチアジアゾリル基である。
【０１１４】
これらの基は更に置換基を有していても良い。
【０１１５】
ＡｒＡ１及びＡｒＡ２に置換する基としては、ハロゲン原子、アルキル基、アルケニル基、アルキニル基、アラルキル基、アリール基、複素環基、シアノ基、ヒドロキシ基、ニトロ基、カルボキシル基、アルコキシ基、アリールオキシ基、シリルオキシ基、複素環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル若しくはアリールスルホニルアミノ基、メルカプト基、アルキルチオ基、アリールチオ基、複素環チオ基、スルファモイル基、スルホ基、アルキル若しくはアリールスルフィニル基、アルキル若しくはアリールスルホニル基、アシル基、アリールオキシカルボニル基、アルコキシカルボニル基、カルバモイル基、アリール若しくは複素環アゾ基、イミド基、ホスフィノ基、ホスフィニル基、ホスフィニルオキシ基、ホスフィニルアミノ基、シリル基、及びイオン性親水性基が挙げられる。より好ましくは、ハロゲン原子、アルキル基、アリール基、複素環基、シアノ基、アミノ基、アシルアミノ基及びアルキル若しくはアリールスルホニル基であり、更に好ましくはアルキル基、アリール基、シアノ基、−ＳＯ２ＣＨ３及びＳＯ２Ｐｈである。
【０１１６】
ＡｒＡ１及びＡｒＡ２として好ましくはピラゾリル基であり、その置換基がアルキル基、アリール基、シアノ基、−ＳＯ２ＣＨ３又は−ＳＯ２Ｐｈであり、最も好ましくはピラゾリル基の置換基がアリール基、又はシアノ基である。また、ＡｒＡ１及びＡｒＡ２として好ましくはチアジアゾリル基でもあり、その置換基がアルキル基、フェニル基、アルコキシ基、チオアルコキシ基、フェノキシ基、アルキルチオ基、アリールチオ基、アルキルアミノ基、及びアリールアミノ基から選ばれる基であり、アルキル基、フェニル基、アルキルチオ基、アリールチオ基、アルキルアミノ基、又はアリールアミノ基が好ましく、更に好ましくはアルキル基、又はアリール基である。
【０１１７】
ここで前記ＡｒＡ１及びＡｒＡ２に置換しうる置換基（ＳＵＢ）の詳細を説明する。
【０１１８】
ハロゲン原子としては、例えば、フッ素原子、塩素原子、臭素原子、ヨウ素原子が挙げられる。
【０１１９】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。詳細には、アルキル基としては、好ましくは、置換基を除いた状態で炭素数１から３０のアルキル基であり、炭素数１から２０のアルキル基がより好ましく、炭素数１から１５の置換若しくは無置換のアルキル基が好ましい。例えば、メチル基、エチル基、ｎ−プロピル基、イソプロピル基、ｔ−ブチル基、ｎ−オクチル基、エイコシル基、２−クロロエチル基、２−シアノエチル基、２―エチルヘキシル基等が挙げられる。シクロアルキル基としては、好ましくは、置換基を除いた状態で炭素数３から３０の置換又は無置換のシクロアルキル基であり、より好ましくは炭素数３から２０のシクロアルキル基であり、炭素数３から１５のシクロアルキル基が更に好ましい。シクロアルキル基の好ましい例として、シクロヘキシル基、シクロペンチル基、４−ｎ−ドデシルシクロヘキシル基等が挙げられ、ビシクロアルキル基としては、好ましくは、置換基を除いた状態で炭素数５から３０の置換若しくは無置換のビシクロアルキル基が好ましく、炭素数５から２０のビシクロアルキル基がより好ましく、炭素数５から１５のビシクロアルキル基が更に好ましい。つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。置換基の例には、ヒドロキシ基、アルコキシ基、シアノ基、ハロゲン原子及びイオン性親水性基が含まれる。
但し、ここではアリール基が置換してアルキル基（アラルキル基）は含まないものとする。
【０１２０】
アルケニル基としては、直鎖、分岐、環状の置換若しくは無置換のアルケニル基が挙げられ、シクロアルケニル基、ビシクロアルケニル基を包含する。詳細には、アルケニル基としては、好ましくは、アルケニル基の置換基を除いた状態で炭素数２から３０、より好ましくは炭素数２から２０、更に好ましくは炭素数２から１５の置換又は無置換のアルケニル基、例えば、ビニル基、アリル基、プレニル基、ゲラニル基、オレイル基等が挙げられ、シクロアルケニル基としては、好ましくは、シクロアルケニル基の置換基を除いた状態で炭素数３から３０、より好ましくは炭素数３から２０、更に好ましくは炭素数３から１５の置換若しくは無置換のシクロアルケニル基である。つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、好ましくは、ビシクロアルケニル基の置換基を除いた状態で炭素数５から３０、より好ましくは炭素数５から２０、更に好ましくは炭素数５から１５の置換若しくは無置換のビシクロアルケニル基である。つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。置換基の例には、ヒドロキシ基、アルコキシ基、シアノ基、ハロゲン原子及びイオン性親水性基が含まれる。
【０１２１】
アルキニル基としては、好ましくは、置換基を除いた状態の炭素数２から３０、より好ましくは炭素数２から２０、更に好ましくは２から１５の置換又は無置換のアルキニル基、例えば、エチニル基、プロパルギル基、トリメチルシリルエチニル基等が挙げられる。置換基の例には、ヒドロキシ基、アルコキシ基、シアノ基、ハロゲン原子及びイオン性親水性基が含まれる。
【０１２２】
アラルキル基としては、置換基を有するアラルキル基及び無置換のアラルキル基が含まれる。アラルキル基としては、置換基を除いたときの炭素原子数が７から３０、より好ましくは７から２０、更に好ましくは７から１５である置換若しくは無置換のアラルキル基が好ましい。アラルキル基の例には、ベンジル基、及び２−フェネチル基が含まれる。置換基の例には、ヒドロキシ基、アルコキシ基、シアノ基、ハロゲン原子及びイオン性親水性基が含まれる。
【０１２３】
アリール基としては、好ましくは、置換基を除いた状態の炭素数６から３０、より好ましくは炭素数６から２０、更に好ましくは炭素数６から１５の置換若しくは無置換のアリール基である。例えば、フェニル基、ｐ−トリル基、ナフチル基、ｍ−クロロフェニル基、ｏ−ヘキサデカノイルアミノフェニル基等が挙げられる。置換基の例には、アルキル基、アリール基、ヒドロキシ基、アルコキシ基、シアノ基、ハロゲン原子及びイオン性親水性基が含まれる。
【０１２４】
複素環基としては、好ましくは、５又は６員の置換若しくは無置換の芳香族若しくは非芳香族の複素環化合物から一個の水素原子を取り除いた一価の基であり、更に好ましくは、複素環基の置換基を除いた状態で炭素数２から３０、より好ましくは炭素数２から２０、更に好ましくは炭素数２から１５の５又は６員の芳香族の複素環基である。例えば、２−フリル基、２−チエニル基、２−ピリミジニル基、２−ベンゾチアゾリル基等が挙げられる。置換基の例には、アルキル基、アリール基、ヒドロキシ基、アルコキシ基、シアノ基、ハロゲン原子及びイオン性親水性基が含まれる。
【０１２５】
アルコキシ基としては、好ましくは、置換基を除いた状態の炭素数１から３０、より好ましくは炭素数１から２０、更に好ましくは炭素数１から１５の置換若しくは無置換のアルコキシ基を表し、例えば、メトキシ基、エトキシ基、イソプロポキシ基、ｔ−ブトキシ基、ｎ−オクチルオキシ基、２−メトキシエトキシ基等が挙げられる。置換基の例には、アリール基、ヒドロキシ基、アルコキシ基、シアノ基、ハロゲン原子及びイオン性親水性基が含まれる。
【０１２６】
アリールオキシ基としては、好ましくは、置換基を除いた状態の炭素数６から３０、より好ましくは炭素数６から２０、更に好ましくは炭素数６から１５の置換若しくは無置換のアリールオキシ基を表し、例えば、フェノキシ基、２−メチルフェノキシ基、４−ｔ−ブチルフェノキシ基、３−ニトロフェノキシ基、２−テトラデカノイルアミノフェノキシ基等が挙げられる。置換基の例には、アルキル基、アリール基、ヒドロキシ基、アルコキシ基、シアノ基、ハロゲン原子及びイオン性親水性基が含まれる。
【０１２７】
シリルオキシ基としては、好ましくは、置換基を除いた状態の炭素数０から２０、更に好ましくは炭素数０から１５の置換若しくは無置換のシリルオキシ基を表し、例えば、トリメチルシリルオキシ基、ジフェニルメチルシリルオキシ基等が挙げられる。置換基の例には、アルキル基、アリール基、及び複素環基が含まれる。
【０１２８】
複素環オキシ基としては、好ましくは、置換基を除いた状態の炭素数２から３０、より好ましくは炭素数２から２０、更に好ましくは炭素数２から１５の置換若しくは無置換の複素環オキシ基を表し、例えば、１−フェニルテトラゾール−５−オキシ基、２−テトラヒドロピラニルオキシ基等が挙げられる。置換基の例には、アルキル基、アリール基、ヒドロキシ基、アルコキシ基、シアノ基、ハロゲン原子及びイオン性親水性基が含まれる。
【０１２９】
アシルオキシ基としては、好ましくは、ホルミルオキシ基、置換基を除いた状態で炭素数２から３０の置換若しくは無置換のアルキルカルボニルオキシ基であり、置換基を除いた状態で炭素数６から３０、より好ましくは炭素数６から２０、更に好ましくは炭素数６から１５の置換若しくは無置換のアリールカルボニルオキシ基である。例えば、アセチルオキシ基、ピバロイルオキシ基、ステアロイルオキシ基、ベンゾイルオキシ基、ｐ−メトキシフェニルカルボニルオキシ基等が挙げられる。置換基の例には、アルキル基、及びアリール基が含まれる。
【０１３０】
カルバモイルオキシ基としては、好ましくは、置換基を除いた状態の炭素数１から３０、より好ましくは炭素数１から２０、更に好ましくは炭素数１から１５の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。置換基の例には、アルキル基、アリール基、及び複素環基が含まれる。
【０１３１】
アルコキシカルボニルオキシ基としては、好ましくは、置換基を除いた状態の炭素数２から３０、より好ましくは炭素数２から２０、更に好ましくは炭素数２から１５の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。置換基の例には、ヒドロキシ基、アルコキシ基、シアノ基、ハロゲン原子及びイオン性親水性基が含まれる。
【０１３２】
アリールオキシカルボニルオキシ基としては、好ましくは、置換基を除いた状態の炭素数７から３０、より好ましくは炭素数７から２０、更に好ましくは炭素数７から１５の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。置換基の例には、アルキル基、ヒドロキシ基、アルコキシ基、シアノ基、ハロゲン原子及びイオン性親水性基が含まれる。
【０１３３】
アミノ基としては、アルキルアミノ基、アリールアミノ基、複素環アミノ基を含み、好ましくは、アミノ基、置換基を除いた状態の炭素数が１から３０、より好ましくは１から２０、更に好ましくは１から１５の置換若しくは無置換のアルキルアミノ基であり、置換基を除いた状態の炭素数が６から３０、より好ましくは６から２０、更に好ましくは６から１５の置換若しくは無置換のアリール基であり、例えば、メチルアミノ基、ジメチルアミノ基、アニリノ基、Ｎ−メチル−アニリノ基、ジフェニルアミノ基等が挙げられる。置換基の例にはアルキル基、アリール基、複素環基、ヒドロキシ基、アルコキシ基、シアノ基、ハロゲン原子及びイオン性親水性基が含まれる。
【０１３４】
アシルアミノ基としては、好ましくは、ホルミルアミノ基、置換基を除いた状態の炭素数が１から３０、より好ましくは１から２０、更に好ましくは１から１５の置換若しくは無置換のアルキルカルボニルアミノ基、置換基を除いた状態の炭素数が６から３０、より好ましくは６から２０、更に好ましくは６から１５の置換若しくは無置換のアリールカルボニルアミノ基であり、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。置換基の例には、ヒドロキシ基、アルコキシ基、シアノ基、ハロゲン原子及びイオン性親水性基が含まれる。
【０１３５】
アミノカルボニルアミノ基としては、好ましくは、置換基を除いた状態の炭素数１から３０、より好ましくは炭素数１から２０、更に好ましくは炭素数１から１５の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。置換基の例には、アルキル基、アリール基、及び複素環基が含まれる。
【０１３６】
アルコキシカルボニルアミノ基としては、好ましくは、置換基を除いた状態の炭素数２から３０、より好ましくは炭素数２から２０、更に好ましくは炭素数２から１５の置換若しくは無置換アルコキシカルボニルアミノ基を表し、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。置換基の例には、ヒドロキシ基、アルコキシ基、シアノ基、ハロゲン原子及びイオン性親水性基が含まれる。
【０１３７】
アリールオキシカルボニルアミノ基としては、好ましくは、置換基を除いた状態の炭素数７から３０、より好ましくは炭素数７から２０、更に好ましくは炭素数７から１５の置換若しくは無置換のアリールオキシカルボニルアミノ基を表し、例えば、フェノキシカルボニルアミノ基、ｐ−クロロフェノキシカルボニルアミノ基、ｍ−ｎ−オクチルオキシフェノキシカルボニルアミノ基等が挙げられる。置換基の例には、ヒドロキシ基、アルコキシ基、シアノ基、ハロゲン原子及びイオン性親水性基が含まれる。
【０１３８】
スルファモイルアミノ基としては、好ましくは、置換基を除いた状態の炭素数０から３０、より好ましくは炭素数０から２０、更に好ましくは炭素数０から１５の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。置換基の例には、アルキル基、アリール基、及び複素環基が含まれる。
【０１３９】
アルキル若しくはアリールスルホニルアミノ基としては、好ましくは、置換基を除いた状態の炭素数が１から３０、より好ましくは１から２０、更に好ましくは１から１５の置換若しくは無置換のアルキルスルホニルアミノ基であり、炭素数が６から３０、より好ましくは６から２０、更に好ましくは６から１５の置換若しくは無置換のアリールスルホニルアミノ基である。例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。置換基の例には、ヒドロキシ基、アルコキシ基、シアノ基、ハロゲン原子及びイオン性親水性基が含まれる。
【０１４０】
アルキルチオ基としては、好ましくは、置換基を除いた状態の炭素数１から３０、より好ましくは炭素数１から２０、更に好ましくは炭素数１から１５の置換若しくは無置換のアルキルチオ基、例えば、メチルチオ基、エチルチオ基、ｎ−ヘキサデシルチオ基等が挙げられる。置換基の例には、アリール基、ヒドロキシ基、アルコキシ基、シアノ基、ハロゲン原子及びイオン性親水性基が含まれる。
【０１４１】
アリールチオ基としては、好ましくは、置換基を除いた状態の炭素数６から３０、より好ましくは炭素数６から２０、更に好ましくは炭素数６から１５の置換若しくは無置換のアリールチオ基、例えば、フェニルチオ基、ｐ−クロロフェニルチオ基、ｍ−メトキシフェニルチオ基等が挙げられる。置換基の例には、アルキル基、アリール基、ヒドロキシ基、アルコキシ基、シアノ基、ハロゲン原子及びイオン性親水性基が含まれる。
【０１４２】
複素環チオ基としては、好ましくは、置換基を除いた状態の炭素数２から３０、より好ましくは炭素数２から２０、更に好ましくは炭素数２から１５の置換又は無置換の複素環チオ基、例えば、２−ベンゾチアゾリルチオ基、１−フェニルテトラゾール−５−イルチオ基等が挙げられる。置換基の例には、アルキル基、アリール基、ヒドロキシ基、アルコキシ基、シアノ基、ハロゲン原子及びイオン性親水性基が含まれる。
【０１４３】
スルファモイル基としては、好ましくは、置換基を除いた状態の炭素数０から３０、より好ましくは炭素数０から２０、更に好ましくは炭素数０から１５の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ‘−フェニルカルバモイル）スルファモイル基等が挙げられる。置換基の例には、アルキル基、アリール基、及び複素環基が含まれる。
【０１４４】
アルキル又はアリールスルフィニル基としては、好ましくは、置換基を除いた状態の炭素数が１から３０、より好ましくは１から２０、更に好ましくは１から１５の置換又は無置換のアルキルスルフィニル基であり、置換基を除いた状態の炭素数が６から３０、より好ましくは６から２０、更に好ましくは６から１５の置換又は無置換のアリールスルフィニル基、例えば、メチルスルフィニル基、エチルスルフィニル基、フェニルスルフィニル基、ｐ−メチルフェニルスルフィニル基等が挙げられる。置換基の例には、ヒドロキシ基、アルコキシ基、シアノ基、ハロゲン原子及びイオン性親水性基が含まれる。
【０１４５】
アルキル又はアリールスルホニル基としては、好ましくは、置換基を除いた状態の炭素数が１から３０、より好ましくは１から２０、更に好ましくは１から１５の置換又は無置換のアルキルスルホニル基、置換基を除いた状態の炭素数が６から３０、より好ましくは６から２０、更に好ましくは６から１５の置換又は無置換のアリールスルホニル基、例えば、メチルスルホニル基、エチルスルホニル基、フェニルスルホニル基、ｐ−メチルフェニルスルホニル基等が挙げられる。置換基の例には、ヒドロキシ基、アルコキシ基、シアノ基、ハロゲン原子及びイオン性親水性基が含まれる。
【０１４６】
アシル基としては、好ましくは、ホルミル基、置換基を除いた状態の炭素数が２から３０、より好ましくは２から２０、更に好ましくは２から１５の置換又は無置換のアルキルカルボニル基、置換基を除いた状態の炭素数が７から３０、より好ましくは７から２０、更に好ましくは７から１５の置換若しくは無置換のアリールカルボニル基、置換基を除いた状態の炭素数が２から３０、より好ましくは２から２０、更に好ましくは２から１５の置換若しくは無置換の炭素原子でカルボニル基と結合している複素環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。置換基の例には、アルキル基、アリール基、及び複素環基が含まれる。
【０１４７】
アリールオキシカルボニル基としては、好ましくは、アリールオキシカルボニル基の置換基を除いた状態で炭素数７から３０、より好ましくは炭素数７から２０、更に好ましくは炭素数７から１５の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。置換基の例には、ヒドロキシ基、アルコキシ基、シアノ基、ハロゲン原子及びイオン性親水性基が含まれる。
【０１４８】
アルコキシカルボニル基としては、好ましくは、アルコキシカルボニル基の置換基を除いた状態で炭素数２から３０、より好ましくは炭素数２から２０、更に好ましくは炭素数２から１５の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。置換基の例には、ヒドロキシ基、アルコキシ基、シアノ基、ハロゲン原子及びイオン性親水性基が含まれる。
【０１４９】
カルバモイル基としては、好ましくは、カルバモイル基の置換基を除いた状態で炭素数１から３０、より好ましくは炭素数１から２０、更に好ましくは炭素数１から１５の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。置換基の例には、アルキル基、アリール基、及び複素環基が含まれる。
【０１５０】
アリール又は複素環アゾ基としては、好ましくは置換基を除いた状態の炭素数が６から３０、より好ましくは６から２０、更に好ましくは６から１５の置換若しくは無置換のアリールアゾ基、置換基を除いた状態の炭素数が３から３０、より好ましくは３から２０、更に好ましくは３から１５の置換若しくは無置換の複素環アゾ基、例えば、フェニルアゾ、ｐ−クロロフェニルアゾ、５−エチルチオ−１，３，４−チアジアゾール−２−イルアゾ等が挙げられる。置換基の例には、ヒドロキシ基、アルコキシ基、シアノ基、ハロゲン原子及びイオン性親水性基が含まれる。
【０１５１】
イミド基としては、好ましくは、イミド基の置換基を除いた状態で炭素数０から３０、より好ましくは炭素数０から２０、更に好ましくは炭素数０から１５の置換若しくは無置換のイミド基を表し、Ｎ−スクシンイミド基、Ｎ−フタルイミド基等が挙げられる。置換基の例には、アルキル基、アリール基、及び複素環基が含まれる。
【０１５２】
ホスフィノ基としては、好ましくは、置換基を除いた状態の炭素数が０から３０、より好ましくは０から２０、更に好ましくは０から１５の置換若しくは無置換のホスフィノ基、例えば、ジメチルホスフィノ基、ジフェニルホスフィノ基、メチルフェノキシホスフィノ基等が挙げられる。
【０１５３】
ホスフィニル基としては、好ましくは、置換基を除いた状態の炭素数が０から３０、より好ましくは０から２０、更に好ましくは０から１５の置換若しくは無置換のホスフィニル基、例えば、ホスフィニル基、ジオクチルオキシホスフィニル基、ジエトキシホスフィニル基等が挙げられる。置換基の例には、アルキル基、アリール基、及び複素環基が含まれる。
【０１５４】
ホスフィニルオキシ基としては、好ましくは、置換基を除いた状態の炭素数が０から３０、より好ましくは０から２０、更に好ましくは０から１５の置換若しくは無置換のホスフィニルオキシ基、例えば、ジフェノキシホスフィニルオキシ基、ジオクチルオキシホスフィニルオキシ基等が挙げられる。置換基の例には、アルキル基、アリール基、及び複素環基が含まれる。
【０１５５】
ホスフィニルアミノ基としては、好ましくは、置換基を除いた状態の炭素数が０から３０、より好ましくは０から２０、更に好ましくは０から１５の置換若しくは無置換のホスフィニルアミノ基、例えば、ジメトキシホスフィニルアミノ基、ジメチルアミノホスフィニルアミノ基が挙げられる。置換基の例には、アルキル基、アリール基、及び複素環基が含まれる。
【０１５６】
シリル基としては、好ましくは、置換基を除いた状態の炭素数が０から３０、より好ましくは０から２０、更に好ましくは０から１５の置換若しくは無置換のシリル基、例えば、トリメチルシリル基、ｔ−ブチルジメチルシリル基、フェニルジメチルシリル基等が挙げられる。置換基の例には、アルキル基、アリール基、複素環基が含まれる。
【０１５７】
イオン性親水性基としては、スルホ基、カルボキシル基、ホスホノ基、及び４級アンモニウム基等が含まれる。イオン性親水性基としては、カルボキシル基及びスルホ基が好ましく、特にカルボキシル基が好ましい。カルボキシル基及びスルホ基は塩の状態であってもよく、塩を形成する対イオンの例には、アルカリ金属イオン（例、リチウムイオン、ナトリウムイオン、カリウムイオン）及び有機カチオン（例、テトラメチルグアニジウムイオン）が含まれる。塩の状態のイオン性親水性基の例としては、スルホン酸リチウム、カルボン酸カリウム、テトラメチルアンモニウムクロリドが挙げられる。
【０１５８】
上記の置換基の中で、水素原子を有するものは、該水素原子が上記の置換基で置換されていても良い。そのような置換基の例としては、アルキルカルボニルアミノスルホニル基、アリールカルボニルアミノスルホニル基、アルキルスルホニルアミノカルボニル基、アリールスルホニルアミノカルボニル基が挙げられる。その例としては、メチルスルホニルアミノカルボニル基、ｐ−メチルフェニルスルホニルアミノカルボニル基、アセチルアミノスルホニル基、ベンゾイルアミノスルホニル基が挙げられる。
【０１５９】
ＡＡ１及びＡＡ２はそれぞれ独立に、水素原子又は置換基を表す。該置換基としては前記置換基（ＳＵＢ）に記載のものが適用できる。ＡＡ１及びＡＡ２として好ましくは水素原子、ハロゲン原子、アルキル基、アルケニル基、アルキニル基、アラルキル基、アリール基、複素環基、シアノ基、ヒドロキシ基、ニトロ基、カルボキシル基、アルコキシ基、アリールオキシ基、シリルオキシ基、複素環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル若しくはアリールスルホニルアミノ基、メルカプト基、アルキルチオ基、アリールチオ基、複素環チオ基、スルファモイル基、スルホ基、アルキル若しくはアリールスルフィニル基、アルキル若しくはアリールスルホニル基、アシル基、アリールオキシカルボニル基、アルコキシカルボニル基、カルバモイル基、アリール若しくは複素環アゾ基、イミド基、ホスフィノ基、ホスフィニル基、ホスフィニルオキシ基、ホスフィニルアミノ基、シリル基又はイオン性親水性基を表し、より好ましくは水素原子、ハロゲン原子、アルキル基、アルケニル基、アルキニル基、アリール基、複素環基、ヒドロキシ基、アルコキシ基、アリールオキシ基、複素環オキシ基、アミノ基、アルキル基、アリール基若しくは複素環基で置換されたアミノ基、チオ基、アルキル若しくはアリールチオ基、複素環チオ基、又はイオン性親水性基を表す。その中でも好ましいＡＡ１及びＡＡ２としては水素原子、総炭素数１から８のアルキル基又は総炭素数６から１２のアリール基であり、水素原子、イソプロピル基、ｓｅｃ−ブチル基又はｔｅｒｔ−ブチル基が最も好ましい。各基は更に置換基を有していても良い。
【０１６０】
ＹＡは−ＯＭＡ又は−ＮＲＡ１ＲＡ２を表し、ＭＡは水素原子又は金属イオンを表し、ＲＡ１及びＲＡ２はそれぞれ独立に、水素原子若しくはアルキル基、アルケニル基、アルキニル基、アラルキル基、アリール基又は複素環基を表す。ＹＡとして好ましくは−ＯＭＡである。ＭＡとして好ましくは水素原子、アルカリ金属イオンであり、更に好ましくは、アルカリ金属イオンである。アルカリ金属イオンの中でも、リチウムイオン、ナトリウムイオン、又はカリウムイオンがより好ましく、リチウムイオン、又はカリウムイオンが更に好ましい。ＹＡが−ＮＲＡ１ＲＡ２である場合、ＲＡ１及びＲＡ２はそれぞれ前記置換基（ＳＵＢ）に記載の対応する基が適用できる。ＲＡ１及びＲＡ２としてより好ましくは水素原子、アルキル基又はアリール基であり、更に好ましくは水素原子又はアルキル基であり、特に好ましくは水素原子である。
【０１６１】
以上をまとめると、本発明の一般式（１−３）は、下記（イ）〜（ハ）の組み合わせからなるものが好ましい。
（イ）ＡｒＡ１及びＡｒＡ２はそれぞれ独立に、好ましくは、ピラゾリル基、チアゾリル基、イソチアゾリル基、又はチアジアゾリル基であり、特に好ましくはピラゾリル基、又はチアジアゾリル基である。ピラゾリル基の置換基として好ましくはアルキル基、アリール基、シアノ基、−ＳＯ２ＣＨ３又は−ＳＯ２Ｐｈであり、最も好ましくはピラゾリル基の置換基がアリール基、及びシアノ基であり、チアジアゾリル基の置換基として好ましくは、アルキル基又はアリール基である。
（ロ）ＡＡ１及びＡＡ２はそれぞれ独立に、水素原子、総炭素数１から８のアルキル基、総炭素数６から１２のアリール基が好ましく、水素原子、イソプロピル基、ｓｅｃ−ブチル基、又はｔｅｒｔ−ブチル基がより好ましく、ｔｅｒｔ−ブチル基が最も好ましい。
（ハ）ＹＡは−ＯＭＡ又は−ＮＲＡ１ＲＡ２を表し、好ましくはＹＡは−ＯＭＡである。ＭＡはアルカリ金属イオンが好ましく、アルカリ金属イオンの中でも、リチウムイオン又はカリウムイオンが更に好ましい。ＲＡ１及びＲＡ２はそれぞれ独立に、好ましくは水素原子又はアルキル基であり、特に好ましくは水素原子である。なお、一般式（１）で表される化合物は、種々の置換基の少なくとも１つが前記の好ましい基である化合物が好ましく、置換基のより多くが前記の好ましい基である化合物がより好ましく、全ての置換基が前記の好ましい基である化合物が最も好ましい
【０１６２】
一般式（１−３）で表される化合物は、下記一般式（１−４）〜一般式（１−７）であることが好ましい。
一般式（１−４）：
【０１６３】
【化３９】
0005835965.tif 000056
【０１６４】
上記一般式（１−４）中、ＡＡ１、ＡＡ２及びＹＡは一般式（１−３）におけるＡＡ１、ＡＡ２及びＹＡと同義である。ＹＡ１、及びＹＡ２はそれぞれ独立に、水素原子又は置換基を表し、ＸＡ１及びＸＡ２はそれぞれ独立に、ハメットのσｐ値０．２０以上の電子求引性基を表す。ＺＡ１、ＺＡ２はそれぞれ独立に、水素原子、アルキル基、アルケニル基、アルキニル基、アラルキル基、アリール基、又は複素環基を表す
【０１６５】
以下に、一般式（１−４）の基について詳細に説明する。
【０１６６】
ＡＡ１、ＡＡ２、及びＹＡは一般式（１−３）で説明した詳細と同義である。
【０１６７】
ＹＡ１及びＹＡ２として好ましくは、水素原子、ハロゲン原子、アルキル基、アルケニル基、アルキニル基、アラルキル基、アリール基、複素環基、シアノ基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、複素環オキシ基、アルコキシカルボニルオキシ基、アリールオキシカルボニルオキシ基、アミノ基、アルキル基、アリール基若しくは複素環基で置換されたアミノ基、アシルアミノ基、アミノカルボニルアミノ基、スルファモイルアミノ基、アルコキシカルボニルアミノ基、アルキル若しくはアリールスルホニルアミノ基、アリールオキシカルボニルアミノ基、ニトロ基、チオ基、アルキル若しくはアリールチオ基、アシルチオ基、カルバモイルチオ基、複素環チオ基、アルコキシカルボニルチオ基、アリールオキシカルボニルチオ基、アルキル若しくはアリールスルホニル基、アルキル若しくはアリールスルフィニル基、スルファモイル基、イオン性親水性基、又はアシルアミノ基である。前記の各基は前記置換基（ＳＵＢ）に記載の対応する基の記載が適用できる。
【０１６８】
ＹＡ１及びＹＡ２として更に好ましくは水素原子、ハロゲン原子、アルキル基、アリール基、複素環基、シアノ基、アルコキシ基、アシルアミノ基、アミノカルボニルアミノ基、アルキルスルホニルアミノ基、アリールスルホニルアミノ基、スルファモイル基、アルキルスルホニル基、アリールスルホニル基、カルバモイル基、又はアルコキシカルボニル基であり、特に水素原子、ハロゲン原子、アルキル基、アリール基、シアノ基、アルキルスルホニル基、アリールスルホニル基、又は複素環基が好ましく、水素原子が最も好ましい。
【０１６９】
置換基σｐ値が０．２０以上のＸＡ１及びＸＡ２として好ましくは、アシル基、アシルオキシ基、カルボキシル基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルチオ基、アリールチオ基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．２０以上の他の置換基で置換されたアリール基、複素環基、ハロゲン原子、アゾ基及びセレノシアネート基が挙げられる。前記の各基は前記置換基（ＳＵＢ）に記載の対応する基の記載が適用できる。
【０１７０】
好ましいＸＡ１及びＸＡ２は、シアノ基、カルバモイル基、アルコキシカルボニル基、アルキルスルホニル基、アリールスルホニル基、又はハロゲン原子であり、より好ましくは、シアノ基、アルコキシカルボニル基、アルキルスルホニル基、又はアリールスルホニル基であり、最も好ましくはシアノ基、アルキルスルホニル基、又はアリールスルホニル基である。この中でもシアノ基が最も好ましい。
【０１７１】
ＺＡ１及びＺＡ２として好ましくは、アルキル基、シクロアルキル基、アラルキル基、アルケニル基、アルキニル基、アリール基、複素環基、アルキルスルフィニル基、アリールスルフィニル基、アルキルスルホニル基、アリールスルホニル基、アシル基、アリールオキシ基、アリールオキシカルボニル基、アルコキシカルボニル基、カルバモイル基、ホスフィノ基、ホスフィニル基、又はシリル基を挙げることができ、各々は更に置換基を有していてもよい。
【０１７２】
ＺＡ１及びＺＡ２の中でも特に好ましいものは、アルキル基、アリール基、複素環基、アルキルスルホニル基、アリールスルホニル基、アシル基（好ましくはアリールカルボニル基）又はカルバモイル基がより好ましく、置換アリール基が更に好ましい。
【０１７３】
以上をまとめると、本発明の一般式（１−４）は、下記（イ）〜（ホ）の組み合わせからなるものが好ましい。
（イ）ＹＡ１及びＹＡ２はそれぞれ独立に、特に水素原子、ハロゲン原子、アルキル基、アリール基、シアノ基、アルキルスルホニル基、アリールスルホニル基、又は複素環基が好ましく、水素原子が最も好ましい。
（ロ）ＡＡ１及びＡＡ２はそれぞれ独立に、水素原子、総炭素数１から８のアルキル基、総炭素数６から１２のアリール基が好ましく、イソプロピル基、ｓｅｃ−ブチル基、又はｔｅｒｔ−ブチル基がより好ましく、ｔｅｒｔ−ブチル基が最も好ましい。
（ハ）ＸＡ１及びＸＡ２は、シアノ基、アルキルスルホニル基、又はアリールスルホニル基が好ましくシアノ基が更に好ましい。
（ニ）ＺＡ１及びＺＡ２はそれぞれ独立に、アルキル基、アリール基、複素環基、アルキルスルホニル基、アリールスルホニル基、アシル基、アリールカルボニル基又はカルバモイル基がより好ましく、置換アリール基が更に好ましい。該置換アリール基は少なくとも２つ（好ましくは２つ）がスルホ基又はカルボキシル基を置換基として有するフェニル基が好ましい。
（ホ）ＹＡは−ＯＭＡが好ましい。ＭＡはアルカリ金属イオンが好ましく、アルカリ金属イオンの中でも、リチウムイオン又はカリウムイオンが更に好ましい。なお、一般式（１−４）で表される化合物は、種々の置換基の少なくとも１つが前記の好ましい基である化合物が好ましく、置換基のより多くが前記の好ましい基である化合物がより好ましく、全ての置換基が前記の好ましい基である化合物が最も好ましい。
【０１７４】
一般式（１−４）で表される化合物の中でも、下記一般式（１−５）で表される化合物が更に好ましい。
一般式（１−５）：
【０１７５】
【化４０】
0005835965.tif 000057
【０１７６】
上記一般式（１−５）中、ＡＡ１、ＡＡ２、ＸＡ１、ＸＡ２、ＹＡ１及びＹＡ２は一般式（１−４）におけるＡＡ１、ＡＡ２、ＸＡ１、ＸＡ２、ＹＡ１及びＹＡ２と同義である。ＷＡ１１、ＷＡ１２、ＷＡ１３、ＷＡ１４、ＷＡ１５、ＷＡ２１、ＷＡ２２、ＷＡ２３、ＷＡ２４及びＷＡ２５はそれぞれ独立に、水素原子又は置換基を表し、ＭＡは水素原子又は金属イオンを表す。
【０１７７】
以下に、一般式（１−５）の基について詳細に説明する。
【０１７８】
ＡＡ１及びＡＡ２は一般式（１−３）で説明した詳細と同義である。
【０１７９】
ＹＡ１及びＹＡ２は、一般式（１−４）で説明した詳細と同義である。
【０１８０】
ＸＡ１及びＸＡ２は、一般式（１−４）で説明した詳細と同義である。
【０１８１】
ＷＡ１１、ＷＡ１２、ＷＡ１３、ＷＡ１４、ＷＡ１５、ＷＡ２１、ＷＡ２２、ＷＡ２３、ＷＡ２４及びＷＡ２５として好ましくは、水素原子、ハロゲン原子、アルキル基、アリール基、複素環基、シアノ基、アルコキシ基、アシルアミノ基、アミノカルボニルアミノ基、アルキルスルホニルアミノ基、アリールスルホニルアミノ基、スルファモイル基、アルキルスルホニル基、アリールスルホニル基、カルバモイル基、アルコキシカルボニル基、スルホ基（それらの塩を含む）、カルボキシル基（それらの塩を含む）、水酸基（塩でもよい）、ホスホノ基（塩でもよい）又は４級アンモニウムであり、その中でも水素原子、ハロゲン原子、アルキル基、スルホ基（それらの塩を含む）、カルボキシル基（それらの塩を含む）、水酸基（塩でもよい）（それらの塩を含む）が好ましく、更に水素原子、スルホ基（それらの塩を含む）、カルボキシル基（それらの塩を含む）が好ましく、特にＷＡ１１、ＷＡ１２、ＷＡ１３、ＷＡ１４及びＷＡ１５のうち少なくとも１つがスルホ基
（それらの塩を含む）、カルボキシル基（それらの塩を含む）かつＷＡ２１、ＷＡ２２、ＷＡ２３、ＷＡ２４及びＷＡ２５のうち少なくとも１つがスルホ基（それらの塩を含む）、カルボキシル基（それらの塩を含む）が好ましい。ＷＡ１１〜ＷＡ１５の中の２つ、かつ、ＷＡ２１〜ＷＡ２５の中の２つがカルボキシル基（それらの塩を含む）であり、かつ他は水素原子である場合が好ましい。前記のハロゲン原子、アルキル基、アリール基、複素環基、シアノ基、アルコキシ基、アシルアミノ基、アミノカルボニルアミノ基、アルキルスルホニルアミノ基、アリールスルホニルアミノ基、スルファモイル基、アルキルスルホニル基、アリールスルホニル基、カルバモイル基、アルコキシカルボニル基の各基は前記置換基（ＳＵＢ）に記載の対応する基の記載が適用できる。
【０１８２】
ＭＡは水素原子又は金属イオンを表す。より好ましくは、水素原子、アルカリ金属イオンであり、更に好ましくは、アルカリ金属イオンである。アルカリ金属イオンの中でも、リチウムイオン、ナトリウムイオン、又はカリウムイオンがより好ましく、リチウムイオン、又はカリウムイオンが最も好ましい。
【０１８３】
以上をまとめると、本発明の一般式（１−５）は、下記（イ）〜（ホ）の組み合わせからなるものが好ましい。
（イ）ＹＡ１及びＹＡ２はそれぞれ独立に、特に水素原子、ハロゲン原子、アルキル基、アリール基、シアノ基、アルキルスルホニル基、アリールスルホニル基、又は複素環基が好ましく、水素原子、又はアルキル基がより好ましく、水素原子が最も好ましい。
（ロ）ＡＡ１及びＡＡ２はそれぞれ独立に、水素原子、総炭素数１から８のアルキル基、総炭素数６から１２のアリール基が好ましく、イソプロピル基、ｓｅｃ−ブチル基、又はｔｅｒｔ−ブチル基がより好ましく、ｔｅｒｔ−ブチル基が最も好ましい。
（ハ）ＸＡ１及びＸＡ２はそれぞれ独立に、シアノ基、アルキルスルホニル基、又はアリールスルホニル基が好ましくシアノ基が更に好ましい。
（ニ）ＷＡ１１、ＷＡ１２、ＷＡ１３、ＷＡ１４、ＷＡ１５、ＷＡ２１、ＷＡ２２、ＷＡ２３、ＷＡ２４及びＷＡ２５はそれぞれ独立に、水素原子、スルホ基（それらの塩を含む）、又はカルボキシル基（それらの塩を含む）が好ましく、特にＷＡ１１、ＷＡ１２、ＷＡ１３、ＷＡ１４及びＷＡ１５のうち少なくとも１つがスルホ基（それらの塩を含む）、又はカルボキシル基（それらの塩を含む）で、かつＷＡ２１、ＷＡ２２、ＷＡ２３、ＷＡ２４及びＷＡ２５のうち少なくとも１つがスルホ基（それらの塩を含む）、カルボキシル基（それらの塩を含む）である場合が好ましい。ＷＡ１１〜ＷＡ１５の中の２つ、かつ、ＷＡ２１〜ＷＡ２５の中の２つがカルボキシル基（それらの塩を含む）である場合が好ましい。
（ホ）ＭＡはアルカリ金属イオンが好ましく、アルカリ金属イオンの中でも、リチウムイオン又はカリウムイオンが更に好ましい。なお、一般式（１−５）で表される化合物は、種々の置換基の少なくとも１つが前記の好ましい基である化合物が好ましく、置換基のより多くが前記の好ましい基である化合物がより好ましく、全ての置換基が前記の好ましい基である化合物が最も好ましい。
【０１８４】
一般式（１−５）で表される化合物の中でも、下記一般式（１−６）で表される化合物がより好ましい。
一般式（１−６）：
【０１８５】
【化４１】
0005835965.tif 000058
【０１８６】
上記一般式（１−６）中、ＡＡ１、ＡＡ２及びＹＡは一般式（１−４）におけるＡＡ１、ＡＡ２及びＹＡと同義である。ＤＡ１及びＤＡ２はそれぞれ独立に、水素原子又は置換基を表す。
【０１８７】
以下に置換基の詳細を説明する。
【０１８８】
ＡＡ１及びＡＡ２は一般式（１−３）で説明した詳細と同義である。
【０１８９】
ＹＡは一般式（１−３）で説明した詳細と同義である。
【０１９０】
ＤＡ１及びＤＡ２として好ましくは、それぞれ独立に、水素原子、アルキル基、シクロアルキル基、アラルキル基、アルケニル基、アルキニル基、アリール基、複素環基、シアノ基、ヒドロキシ基、ニトロ基、アルコキシ基、アリールオキシ基、シリルオキシ基、複素環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、複素環チオ基、スルファモイル基、アルキルスルフィニル基、アリールスルフィニル基、アルキルスルホニル基、アリールスルホニル基、アシル基、アリールオキシカルボニル基、アルキルオキシカルボニル基、カルバモイル基、ホスフィノ基、ホスフィニル基、ホスフィニルオキシ基、ホスフィニルアミノ基、シリル基、アゾ基、又はイミド基を挙げることができ、前記の各基は前記置換基（ＳＵＢ）に記載の対応する基の記載が適用できる。各々は更に置換基を有していてもよい。
【０１９１】
ＤＡ１及びＤＡ２は更に好ましくは、それぞれ独立に、置換アルキル基、置換アリール基、置換複素環基、置換アルキルチオ基、置換アリールチオ基、置換複素環チオ基、置換アルキルアミノ基、置換アリールアミノ基が好ましく、その中でも置換アリール基、置換アリールチオ基が好ましく、特に置換アリール基が好ましい。該置換アリール基は少なくとも２つ（好ましくは２つ）がスルホ基又はカルボキシル基を有するフェニル基が好ましい。
【０１９２】
以上をまとめると、本発明の一般式（１−６）は、下記（イ）〜（ハ）の組み合わせからなるものが好ましい。
（イ）ＡＡ１及びＡＡ２はそれぞれ独立に、水素原子、総炭素数１から８のアルキル基、又は総炭素数６から１２のアリール基が好ましく、イソプロピル基、ｓｅｃ−ブチル基、又はｔｅｒｔ−ブチル基がより好ましく、ｔｅｒｔ−ブチル基が最も好ましい。
（ロ）ＤＡ１及びＤＡ２はそれぞれ独立に、置換アルキル基、置換アリール基、置換複素環基、置換アルキルチオ基、置換アリールチオ基、又は置換複素環チオ基が好ましく、その中でも置換アリール基、又は置換アリールチオ基が好ましく、特に置換アリール基が好ましい。該置換アリール基は少なくとも２つ（好ましくは２つ）がスルホ基又はカルボキシル基を有するフェニル基が好ましい。
（ハ）ＹＡは−ＯＭＡが好ましい。ＭＡはアルカリ金属イオンが好ましく、アルカリ金属イオンの中でも、リチウムイオン又はカリウムイオンが更に好ましい。なお、一般式（１−６）で表される化合物は、種々の置換基の少なくとも１つが前記の好ましい基である化合物が好ましく、置換基のより多くが前記の好ましい基である化合物がより好ましく、全ての置換基が前記の好ましい基である化合物が最も好ましい。
【０１９３】
一般式（１−６）で表される化合物の中でも、下記一般式（１−７）で表される化合物がより好ましい。
一般式（１−７）：
【０１９４】
【化４２】
0005835965.tif 000059
【０１９５】
上記一般式（１−７）中、ＡＡ１、ＡＡ２、ＤＡ１及びＤＡ２は一般式（１−６）におけるＡＡ１、ＡＡ２、ＤＡ１及びＤＡ２と同義である。ＭＡは水素原子又は金属イオンを表す。
【０１９６】
以下に一般式（１−７）の置換基の詳細を説明する。
【０１９７】
ＡＡ１及びＡＡ２は一般式（１−３）で説明した詳細と同義である。
【０１９８】
ＤＡ１及びＤＡ２は一般式（１−６）で説明した詳細と同義である。
【０１９９】
ＭＡは一般式（１−３）で説明した詳細と同義である．
【０２００】
以上をまとめると、本発明の一般式（１−７）は、下記（イ）〜（ハ）の組み合わせからなるものが好ましい。
（イ）ＡＡ１及びＡＡ２はそれぞれ独立に、水素原子、総炭素数１から８のアルキル基、又は総炭素数６から１２のアリール基が好ましく、イソプロピル基、ｓｅｃ−ブチル基、又はｔｅｒｔ−ブチル基がより好ましく、ｔｅｒｔ−ブチル基が最も好ましい。
（ロ）ＤＡ１及びＤＡ２はそれぞれ独立に、置換アルキル基、置換アリール基、置換複素環基、置換アルキルチオ基、置換アリールチオ基、又は置換複素環チオ基が好ましく、その中でも置換アリール基、又は置換アリールチオ基が好ましく、特に置換アリール基が好ましい。該置換アリール基は少なくとも２つ（好ましくは２つ）がスルホ基又はカルボキシル基を有するフェニル基が好ましい。
（ハ）ＭＡはアルカリ金属イオンが好ましく、アルカリ金属イオンの中でも、リチウムイオン又はカリウムイオンが更に好ましい。なお、一般式（１−７）で表される化合物は、種々の置換基の少なくとも１つが前記の好ましい基である化合物が好ましく、置換基のより多くが前記の好ましい基である化合物がより好ましく、全ての置換基が前記の好ましい基である化合物が最も好ましい。
【０２０１】
以下に一般式（１−３）で表される化合物について具体例を挙げるが、本発明はこれらによって限定されるものではない。
【０２０２】
【化４３】
0005835965.tif 000060
【０２０３】
【化４４】
0005835965.tif 000061
【０２０４】
【化４５】
0005835965.tif 000062
【０２０５】
【化４６】
0005835965.tif 000063
【０２０６】
上記化合物については、特開２００６−５７０７６号公報、特開２００７−２１７６８１号公報に記載の合成法により合成される。
【０２０７】
上記一般式（１−３）の化合物を使用する場合、更に、Ｃ．Ｉ．ダイレクトイエロー５９、同８６、同１３２、同１７３、Ｃ．Ｉ．アシッドイエロー２３及び下記一般式（１−３−１）〜（１−３−５）で表される化合物から選ばれる少なくとも一つを併用することが好ましい。以下、これらの化合物を成分（Ｃ）と呼ぶ。なお、一般式（１−３−１）〜
（１−３−５）中のＭＡは水素原子又は金属イオンを表す。一般式１−３−１）のＲＡは水素原子又はメチル基を表す。一般式（１−３−５）のＭＡ’−はハロゲンイオン、無機アニオン、又は有機アニオンを表す。
一般式（１−３−１）：
【０２０８】
【化４７】
0005835965.tif 000064
【０２０９】
一般式（１−３−２）：
【０２１０】
【化４８】
0005835965.tif 000065
【０２１１】
一般式（１−３−３）：
【０２１２】
【化４９】
0005835965.tif 000066
【０２１３】
一般式（１−３−４）：
【０２１４】
【化５０】
0005835965.tif 000067
【０２１５】
一般式（１−３−５）：
【０２１６】
【化５１】
0005835965.tif 000068
【０２１７】
成分（Ｃ）を添加した場合、成分（Ｃ）は、（１−３）の化合物とともに会合体を形成していると推測され、かつ一般式（１−３）の化合物の色再現域を害さないことが分かった。これは、成分（Ｃ）のπ平面性が他の色材よりも高いことが要因と推測される。ただし、本発明はこのような推測によって限定されない。
【０２１８】
ここで一般式（１−３−１）〜（１−３−４）中のＭＡについて説明する。ＭＡは水素原子又は金属イオンを表し、ＭＡとして好ましくは、金属イオンである。ＭＡの表す金属イオンの中でも、アルカリ金属イオンが好ましい。ＭＡの表すアルカリ金属イオンには、リチウムイオン、ナトリウムイオン、カリウムイオンが含まれるが、リチウムイオン又はカリウムイオンが好ましい。
一般式（１−３−５）中のＭＡ’−について説明する。ＭＡ’−はハロゲンイオン、無機アニオン又は有機アニオンを表す。ハロゲンイオンとしてはフッ素イオン、塩素イオン、臭素イオンを挙げることでき、無機アニオンとしては硝酸アニオン、硫酸アニオン、テトラフルオロホウ酸アニオン、ヘキサフルオロリン酸アニオン等が、有機アニオンとしてはメタンスルホン酸アニオン、トリフルオロメタンスルホン酸アニオン、ノナフルオロブタンスルホン酸アニオン、ｐ−トルエンスルホン酸アニオン等が好適に挙げられる。ＭＡ’−としてはハロゲンイオンが好ましく、塩素イオンがより好ましい。
【０２１９】
成分（Ｃ）の添加量について説明する。成分（Ｃ）の添加量は、一般式（１−３）で表される化合物に対し０．０１〜１０質量倍が好ましく、０．０５〜５質量倍がより好ましく、０．５〜４質量倍が更に好ましい。
一般式（２）：
【０２２０】
【化５２】
0005835965.tif 000069
【０２２１】
（一般式（２）中、ＧＢはヘテロ環基を表し、ｎ２は１〜３の整数を表す。ｎ２が１の時は、ＲＢ、ＸＢ、ＹＢ、ＺＢ、ＱＢ、ＧＢは一価の基を表す。ｎ２が２の時は、ＲＢ、ＸＢ、ＹＢ、ＺＢ、ＱＢ、ＧＢは一価又は２価の置換基を表し、少なくとも１つは２価の置換基を表す。ｎ２が３の時は、ＲＢ、ＸＢ、ＹＢ、ＺＢ、ＱＢ、ＧＢは一価、２価又は３価の置換基を表し、少なくとも二つが２価の置換基を表すか又は少なくとも１つが３価の置換基を表す。）
【０２２２】
以下に、前記一般式（２）について更に詳しく説明する。
【０２２３】
一般式（２）中、ＧＢの好ましい置換基例は、５〜８員ヘテロ環基が好ましく、その中でも５又は６員の置換若しくは無置換の、芳香族若しくは非芳香族のヘテロ環基が好ましく、それらは更に縮環していてもよい。更に好ましくは、炭素数３から３０の５若しくは６員の芳香族のヘテロ環基である。
【０２２４】
前記ＧＢで表されるヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリン、スルホランなどが挙げられる。
【０２２５】
前記ヘテロ環基が、更に置換基を有することが可能な基であるときは、以下に挙げたような置換基を更に有してもよい。
【０２２６】
炭素数１〜１２の直鎖又は分岐鎖アルキル基、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基、炭素数３〜１２の直鎖又は分岐鎖シクロアルケニル基（以上の各基は分岐鎖を有するものが染料の溶解性及びインクの安定性を向上させる理由から好ましく、不斉炭素を有するものが特に好ましい。例えばメチル、エチル、プロピル、イソプロピル、ｓｅｃ−ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基
（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メチルスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェニルオキシ、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アリールアミノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、アルキルスルホニルアミノ基及びアリールスルホニルアミノ基（例えば、メチルスルホニルアミノ、フェニルスルホニルアミノ、ｐ−トルエンスルホニルアミノ）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基（例えば、メチルスルホニル、オクチルスルホニル、フェニルスルホニル、ｐ−トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基及び４級アンモニウム基）が挙げられる。
【０２２７】
一般式（２）中、ＱＢ、ＲＢ、ＸＢ、ＹＢ及びＺＢの好ましい置換基例を詳細に説明する。
【０２２８】
ＱＢ、ＲＢ、ＸＢ、ＹＢ及びＺＢが一価の基を示す場合、一価の基としては、水素原子、又は一価の置換基を表す。一価の置換基を更に詳しく説明する。この一価の置換基の例としては、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、又はイミド基を挙げることができ、各々は更に置換基を有していてもよい。
【０２２９】
中でも特に好ましいものは、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、又はアルコキシカルボニル基であり、特に水素原子、ハロゲン原子、アルキル基、アリール基、シアノ基、アルキルスルホニル基、アリールスルホニル基、又はヘテロ環基が好ましく、水素原子、アルキル基、アリール基、シアノ基、又はアルキルスルホニル基が最も好ましい。
【０２３０】
以下に、前記ＱＢ、ＲＢ、ＸＢ、ＹＢ及びＺＢを更に詳しく説明する。
【０２３１】
ＱＢ、ＲＢ、ＸＢ、ＹＢ及びＺＢで表されるハロゲン原子は、塩素原子、臭素原子、又はヨウ素原子を表す。中でも塩素原子、又は臭素原子が好ましく、特に塩素原子が好ましい。
【０２３２】
ＱＢ、ＲＢ、ＸＢ、ＹＢ及びＺＢで表されるアルキル基は、置換若しくは無置換のアルキル基が含まれる。置換又は無置換のアルキル基は、炭素原子数が１〜３０のアルキル基が好ましい。置換基の例としては、上記ＧＢが更に置換基を有することが可能な基であるときに挙げたような置換基と同じものが挙げられる。中でも、ヒドロキシ基、アルコキシ基、シアノ基、及びハロゲン原子、スルホ基（塩の形でもよい）、又はカルボキシル基（塩の形でもよい）が好ましい。前記アルキル基の例には、メチル、エチル、ブチル、ｔ−ブチル、ｎ−オクチル、エイコシル、２−クロロエチル、ヒドロキシエチル、シアノエチル又は４−スルホブチルを挙げることが出来る。
【０２３３】
ＱＢ、ＲＢ、ＸＢ、ＹＢ及びＺＢで表されるシクロアルキル基は、置換若しくは無置換のシクロアルキル基が含まれる。置換基又は無置換のシクロアルキル基は、炭素原子数が５〜３０のシクロアルキル基が好ましい。置換基の例としては、上記ＧＢが更に置換基を有することが可能な基であるときに挙げたような置換基と同じものが挙げられる。前記シクロアルキル基の例にはシクロヘキシル、シクロペンチル、又は４−ｎ−ドデシルシクロヘキシルを挙げることができる。
【０２３４】
ＱＢ、ＲＢ、ＸＢ、ＹＢ及びＺＢで表されるアラルキル基は、置換若しくは無置換のアラルキル基が含まれる。置換若しくは無置換のアラルキル基としては、炭素原子数が７〜３０のアラルキル基が好ましい。置換基の例としては、上記ＧＢが更に置換基を有することが可能な基であるときに挙げたような置換基と同じものが挙げられる。前記アラルキルの例にはベンジル及び２−フェネチルを挙げることが出来る。
【０２３５】
ＱＢ、ＲＢ、ＸＢ、ＹＢ及びＺＢで表されるアルケニル基は、直鎖、分岐、環状の置換若しくは無置換のアルケニル基を表す。好ましくは炭素数２−３０の置換又は無置換のアルケニル基、例えば、ビニル、アリル、プレニル、ゲラニル、オレイル、２−シクロペンテンー１−イル、２−シクロヘキセンー１−イルなどを挙げることが出来る。
【０２３６】
ＱＢ、ＲＢ、ＸＢ、ＹＢ及びＺＢで表されるアルキニル基は、炭素数２から３０の置換又は無置換のアルキニル基であり、例えば、エチニル、又はプロパルギルを挙げることが出来る。
【０２３７】
ＱＢ、ＲＢ、ＸＢ、ＹＢ及びＺＢで表されるアリール基は、炭素数６から３０の置換若しくは無置換のアリール基、例えばフェニル、ｐ−トリル、ナフチル、ｍ−クロロフェニル、又はｏ−ヘキサデカノイルアミノフェニルである。置換基の例としては、上記ＧＢが更に置換基を有することが可能な基であるときに挙げたような置換基と同じものが挙げられる。
【０２３８】
ＱＢ、ＲＢ、ＸＢ、ＹＢ及びＺＢで表されるヘテロ環基は、５又は６員の置換若しくは無置換の、芳香族若しくは非芳香族のヘテロ環化合物から一個の水素原子を取り除いた一価の基であり、それらは更に縮環していてもよい。更に好ましくは、炭素数３から３０の５若しくは６員の芳香族のヘテロ環基である。置換基の例としては、上記ＧＢが更に置換基を有することが可能な基であるときに挙げたような置換基と同じものが挙げられる。前記ヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
【０２３９】
ＱＢ、ＲＢ、ＸＢ、ＹＢ及びＺＢで表されるアルコキシ基は、置換若しくは無置換のアルコキシ基が含まれる。置換若しくは無置換のアルコキシ基としては、炭素原子数が１〜３０のアルコキシ基が好ましい。置換基の例としては、上記ＧＢが更に置換基を有することが可能な基であるときに挙げたような置換基と同じものが挙げられる。前記アルコキシ基の例には、メトキシ、エトキシ、イソプロポキシ、ｎ−オクチルオキシ、メトキシエトキシ、ヒドロキシエトキシ及び３−カルボキシプロポキシなどを挙げることが出来る。
【０２４０】
ＱＢ、ＲＢ、ＸＢ、ＹＢ及びＺＢで表されるアリールオキシ基は、炭素数６から３０の置換若しくは無置換のアリールオキシ基が好ましい。置換基の例としては、上記ＧＢが更に置換基を有することが可能な基であるときに挙げたような置換基と同じものが挙げられる。前記アリールオキシ基の例には、フェノキシ、２−メチルフェノキシ、４−ｔ−ブチルフェノキシ、３−ニトロフェノキシ、２−テトラデカノイルアミノフェノキシなどを挙げることが出来る。
【０２４１】
ＱＢ、ＲＢ、ＸＢ、ＹＢ及びＺＢで表されるシリルオキシ基は、炭素数３から２０のシリルオキシ基が好ましく、例えば、トリメチルシリルオキシ、ｔ−ブチルジメチルシリルオキシなどを挙げることが出来る。
【０２４２】
ＱＢ、ＲＢ、ＸＢ、ＹＢ及びＺＢで表されるで表されるヘテロ環オキシ基は、炭素数２から３０の置換若しくは無置換のヘテロ環オキシ基が好ましい。置換基の例としては、上記ＧＢが更に置換基を有することが可能な基であるときに挙げたような置換基と同じものが挙げられる。前記ヘテロ環オキシ基の例には、例えば、１−フェニルテトラゾールー５−オキシ、２−テトラヒドロピラニルオキシなどを挙げることが出来る。
【０２４３】
ＱＢ、ＲＢ、ＸＢ、ＹＢ及びＺＢで表されるアシルオキシ基は、ホルミルオキシ基、炭素数２から３０の置換若しくは無置換のアルキルカルボニルオキシ基、炭素数６から３０の置換若しくは無置換のアリールカルボニルオキシ基が好ましく、置換基の例としては、上記ＧＢが更に置換基を有することが可能な基であるときに挙げたような置換基と同じものが挙げられる。前記アシルオキシ基の例には、例えば、ホルミルオキシ、アセチルオキシ、ピバロイルオキシ、ステアロイルオキシ、ベンゾイルオキシ、ｐ−メトキシフェニルカルボニルオキシなどを挙げることが出来る。
【０２４４】
ＱＢ、ＲＢ、ＸＢ、ＹＢ及びＺＢで表されるカルバモイルオキシ基は、炭素数１から３０の置換若しくは無置換のカルバモイルオキシ基が好ましく、置換基の例としては、上記ＧＢが更に置換基を有することが可能な基であるときに挙げたような置換基と同じものが挙げられる。前記カルバモイルオキシ基の例には、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることが出来る。
【０２４５】
ＱＢ、ＲＢ、ＸＢ、ＹＢ及びＺＢで表されるアルコキシカルボニルオキシ基は、炭素数２から３０の置換若しくは無置換アルコキシカルボニルオキシ基が好ましく、置換基の例としては、上記ＧＢが更に置換基を有することが可能な基であるときに挙げたような置換基と同じものが挙げられる。前記アルコキシカルボニルオキシ基の例には、例えばメトキシカルボニルオキシ、エトキシカルボニルオキシ、ｔ−ブトキシカルボニルオキシ、ｎ−オクチルカルボニルオキシなどを挙げることが出来る。
【０２４６】
ＱＢ、ＲＢ、ＸＢ、ＹＢ及びＺＢで表されるで表されるアリールオキシカルボニルオキシ基は、炭素数７から３０の置換若しくは無置換のアリールオキシカルボニルオキシ基が好ましく、置換基の例としては、上記ＧＢが更に置換基を有することが可能な基であるときに挙げたような置換基と同じものが挙げられる。前記アリールオキシカルボニルオキシ基の例には、例えば、フェノキシカルボニルオキシ、ｐ−メトキシフェノキシカルボニルオキシ、ｐ−ｎ−ヘキサデシルオキシフェノキシカルボニルオキシなどを挙げることが出来る。
【０２４７】
ＱＢ、ＲＢ、ＸＢ、ＹＢ及びＺＢで表されるアミノ基は、炭素数１から３０の置換若しくは無置換のアルキルアミノ基、炭素数６から３０の置換若しくは無置換のアリールアミノ基が好ましく、置換基の例としては、上記ＧＢが更に置換基を有することが可能な基であるときに挙げたような置換基と同じものが挙げられる。前記アミノ基の例には、例えば、アミノ、メチルアミノ、ジメチルアミノ、アニリノ、Ｎ−メチル−アニリノ、ジフェニルアミノ、ヒドロキシエチルアミノ、カルボキシエチルアミノ、スルフォエチルアミノ、３，５−ジカルボキシアニリノなどを挙げることが出来る。
【０２４８】
ＱＢ、ＲＢ、ＸＢ、ＹＢ及びＺＢで表されるアシルアミノ基は、ホルミルアミノ基、炭素数１から３０の置換若しくは無置換のアルキルカルボニルアミノ基、炭素数６から３０の置換若しくは無置換のアリールカルボニルアミノ基が好ましく、置換基の例としては、上記ＧＢが更に置換基を有することが可能な基であるときに挙げたような置換基と同じものが挙げられる。前記アシルアミノ基の例には、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることが出来る。
【０２４９】
ＱＢ、ＲＢ、ＸＢ、ＹＢ及びＺＢで表されるアミノカルボニルアミノ基は、炭素数１から３０の置換若しくは無置換のアミノカルボニルアミノ基が好ましく、置換基の例としては、上記ＧＢが更に置換基を有することが可能な基であるときに挙げたような置換基と同じものが挙げられる。前記アミノカルボニルアミノ基の例には、例えば、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることが出来る。
【０２５０】
ＱＢ、ＲＢ、ＸＢ、ＹＢ及びＺＢで表されるアルコキシカルボニルアミノ基は、炭素数２から３０の置換若しくは無置換アルコキシカルボニルアミノ基が好ましく、置換基の例としては、上記ＧＢが更に置換基を有することが可能な基であるときに挙げたような置換基と同じものが挙げられる。前記アルコキシカルボニルアミノ基の例には、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノなどを挙げることが出来る。
【０２５１】
ＱＢ、ＲＢ、ＸＢ、ＹＢ及びＺＢで表されるアリールオキシカルボニルアミノ基は、炭素数７から３０の置換若しくは無置換のアリールオキシカルボニルアミノ基が好ましく、置換基の例としては、上記ＧＢが更に置換基を有することが可能な基であるときに挙げたような置換基と同じものが挙げられる。前記アリールオキシカルボニルアミノ基の例には、例えば、フェノキシカルボニルアミノ、ｐ−クロロフェノキシカルボニルアミノ、ｍ−ｎ−オクチルオキシフェノキシカルボニルアミノなどを挙げることが出来る。
【０２５２】
ＱＢ、ＲＢ、ＸＢ、ＹＢ及びＺＢで表されるスルファモイルアミノ基は、炭素数０から３０の置換若しくは無置換のスルファモイルアミノ基が好ましく、置換基の例としては、上記ＧＢが更に置換基を有することが可能な基であるときに挙げたような置換基と同じものが挙げられる。前記スルファモイルアミノ基の例には、例えば、スルファモイルアミノ、Ｎ，Ｎ−ジメチルアミノスルホニルアミノ、Ｎ−ｎ−オクチルアミノスルホニルアミノなどを挙げることが出来る。
【０２５３】
ＱＢ、ＲＢ、ＸＢ、ＹＢ及びＺＢで表されるアルキル及びアリールスルホニルアミノ基は、炭素数１から３０の置換若しくは無置換のアルキルスルホニルアミノ基、炭素数６から３０の置換若しくは無置換のアリールスルホニルアミノ基が好ましく、置換基の例としては、上記ＧＢが更に置換基を有することが可能な基であるときに挙げたような置換基と同じものが挙げられる。前記アルキルスルホニルアミノ基及びアリールスルホニルアミノ基の例には、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノなどを挙げることが出来る。
【０２５４】
ＱＢ、ＲＢ、ＸＢ、ＹＢ及びＺＢで表されるアルキルチオ基は、炭素数１から３０の置換若しくは無置換のアルキルチオ基が好ましく、置換基の例としては、上記ＧＢが更に置換基を有することが可能な基であるときに挙げたような置換基と同じものが挙げられる。前記アルキルチオ基の例には、例えばメチルチオ、エチルチオ、ｎ−ヘキサデシルチオなどを挙げることが出来る。
【０２５５】
ＱＢ、ＲＢ、ＸＢ、ＹＢ及びＺＢで表されるアリールチオ基は炭素数６から３０の置換若しくは無置換のアリールチオ基が好ましく、置換基の例としては、上記ＧＢが更に置換基を有することが可能な基であるときに挙げたような置換基と同じものが挙げられる。前記アリールチオ基の例には、例えば、フェニルチオ、ｐ−クロロフェニルチオ、ｍ−メトキシフェニルチオなどを挙げることが出来る。
【０２５６】
ＱＢ、ＲＢ、ＸＢ、ＹＢ及びＺＢで表されるヘテロ環チオ基は、炭素数２から３０の置換又は無置換のヘテロ環チオ基が好ましく、置換基の例としては、上記ＧＢが更に置換基を有することが可能な基であるときに挙げたような置換基と同じものが挙げられる。前記ヘテロ環チオ基の例には、例えば、２−ベンゾチアゾリルチオ、１−フェニルテトラゾール−５−イルチオなどを挙げることが出来る。
【０２５７】
ＱＢ、ＲＢ、ＸＢ、ＹＢ及びＺＢで表されるスルファモイル基は、炭素数０から３０の置換若しくは無置換のスルファモイル基が好ましく、置換基の例としては、上記ＧＢが更に置換基を有することが可能な基であるときに挙げたような置換基と同じものが挙げられる。前記スルファモイル基の例には、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ‘−フェニルカルバモイル）スルファモイル）などを挙げることが出来る。
【０２５８】
ＱＢ、ＲＢ、ＸＢ、ＹＢ及びＺＢで表されるアルキル及びアリールスルフィニル基は、炭素数１から３０の置換又は無置換のアルキルスルフィニル基、６から３０の置換又は無置換のアリールスルフィニル基が好ましく、置換基の例としては、上記ＧＢが更に置換基を有することが可能な基であるときに挙げたような置換基と同じものが挙げられる。前記アルキル及びアリールスルフィニル基の例には、例えば、メチルスルフィニル、エチルスルフィニル、フェニルスルフィニル、ｐ−メチルフェニルスルフィニルなどを挙げることが出来る。
【０２５９】
ＱＢ、ＲＢ、ＸＢ、ＹＢ及びＺＢで表されるアルキル及びアリールスルホニル基は、炭素数１から３０の置換又は無置換のアルキルスルホニル基、６から３０の置換又は無置換のアリールスルホニル基が好ましく、置換基の例としては、上記ＧＢが更に置換基を有することが可能な基であるときに挙げたような置換基と同じものが挙げられる。前記アルキル及びアリールスルホニル基の例には、例えば、メチルスルホニル、エチルスルホニル、フェニルスルホニル、ｐ−トルエンスルホニルなどを挙げることが出来る。
【０２６０】
ＱＢ、ＲＢ、ＸＢ、ＹＢ及びＺＢで表されるアシル基は、ホルミル基、炭素数２から３０の置換又は無置換のアルキルカルボニル基、炭素数７から３０の置換若しくは無置換のアリールカルボニル基、炭素数４から３０の置換若しくは無置換の炭素原子でカルボニル基と結合しているヘテロ環カルボニル基が好ましく、置換基の例としては、上記ＧＢが更に置換基を有することが可能な基であるときに挙げたような置換基と同じものが挙げられる。前記アシル基の例には、例えば、アセチル、ピバロイル、２−クロロアセチル、ステアロイル、ベンゾイル、ｐ−ｎ−オクチルオキシフェニルカルボニル、２―ピリジルカルボニル、２―フリルカルボニルなどを挙げることが出来る。
【０２６１】
ＱＢ、ＲＢ、ＸＢ、ＹＢ及びＺＢで表されるアリールオキシカルボニル基は、炭素数７から３０の置換若しくは無置換のアリールオキシカルボニル基が好ましく、置換基の例としては、上記ＧＢが更に置換基を有することが可能な基であるときに挙げたような置換基と同じものが挙げられる。前記アリールオキシカルボニル基の例には、例えば、フェノキシカルボニル、ｏ−クロロフェノキシカルボニル、ｍ−ニトロフェノキシカルボニル、ｐ−ｔ−ブチルフェノキシカルボニルなどを挙げることが出来る。
【０２６２】
ＱＢ、ＲＢ、ＸＢ、ＹＢ及びＺＢで表されるアルコキシカルボニル基は、炭素数２から３０の置換若しくは無置換アルコキシカルボニル基が好ましく、置換基の例としては、上記ＧＢが更に置換基を有することが可能な基であるときに挙げたような置換基と同じものが挙げられる。前記アルコキシカルボニル基の例には、例えば、メトキシカルボニル、エトキシカルボニル、ｔ−ブトキシカルボニル、ｎ−オクタデシルオキシカルボニルなどを挙げることが出来る。
【０２６３】
ＱＢ、ＲＢ、ＸＢ、ＹＢ及びＺＢで表されるカルバモイル基は、炭素数１から３０の置換若しくは無置換のカルバモイル基が好ましく、置換基の例としては、上記ＧＢが更に置換基を有することが可能な基であるときに挙げたような置換基と同じものが挙げられる。前記カルバモイル基の例には、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることが出来る。
【０２６４】
ＱＢ、ＲＢ、ＸＢ、ＹＢ及びＺＢで表されるホスフィノ基は、炭素数２から３０の置換若しくは無置換のホスフィノ基が好ましく、置換基の例としては、上記ＧＢが更に置換基を有することが可能な基であるときに挙げたような置換基と同じものが挙げられる。前記ホスフィノ基の例には、例えば、ジメチルホスフィノ、ジフェニルホスフィノ、メチルフェノキシホスフィノなどを挙げることが出来る。
【０２６５】
ＱＢ、ＲＢ、ＸＢ、ＹＢ及びＺＢで表されるホスフィニル基は、炭素数２から３０の置換若しくは無置換のホスフィニル基が好ましく、置換基の例としては、上記ＧＢが更に置換基を有することが可能な基であるときに挙げたような置換基と同じものが挙げられる。前記ホスフィニル基の例には、例えば、ホスフィニル、ジオクチルオキシホスフィニル、ジエトキシホスフィニルなどを挙げることが出来る。
【０２６６】
ＱＢ、ＲＢ、ＸＢ、ＹＢ及びＺＢで表されるホスフィニルオキシ基は、炭素数２から３０の置換若しくは無置換のホスフィニルオキシ基が好ましく、置換基の例としては、上記ＧＢが更に置換基を有することが可能な基であるときに挙げたような置換基と同じものが挙げられる。前記ホスフィニルオキシ基の例には、例えば、ジフェノキシホスフィニルオキシ、ジオクチルオキシホスフィニルオキシなどを挙げることが出来る。
【０２６７】
ＱＢ、ＲＢ、ＸＢ、ＹＢ及びＺＢで表されるホスフィニルアミノ基は、炭素数２から３０の置換若しくは無置換のホスフィニルアミノ基が好ましく、置換基の例としては、上記ＧＢが更に置換基を有することが可能な基であるときに挙げたような置換基と同じものが挙げられる。前記ホスフィニルアミノ基の例には、例えば、ジメトキシホスフィニルアミノ、ジメチルアミノホスフィニルアミノなどを挙げることが出来る。
【０２６８】
ＱＢ、ＲＢ、ＸＢ、ＹＢ及びＺＢで表されるシリル基は、炭素数３から３０の置換若しくは無置換のシリル基が好ましく、置換基の例としては、上記ＧＢが更に置換基を有することが可能な基であるときに挙げたような置換基と同じものが挙げられる。前記シリル基の例には、例えば、トリメチルシリル、ｔ−ブチルジメチルシリル、フェニルジメチルシリルなどを挙げることが出来る。
【０２６９】
ＱＢ、ＲＢ、ＸＢ、ＹＢ及びＺＢで表されるアゾ基は、例えば、フェニルアゾ、４−メトキシフェニルアゾ、４−ピバロイルアミノフェニルアゾ、２−ヒドロキシ−４−プロパノイルフェニルアゾなどを挙げることが出来る。
【０２７０】
ＱＢ、ＲＢ、ＸＢ、ＹＢ及びＺＢで表されるイミド基は、例えば、Ｎ−スクシンイミド、Ｎ−フタルイミドなどを挙げることが出来る。
【０２７１】
ＱＢ、ＲＢ、ＸＢ、ＹＢ及びＺＢが二価の基を示す場合、二価の基としては、アルキレン基（例、メチレン、エチレン、プロピレン、ブチレン、ペンチレン）、アルケニレン基
（例、エテニレン、プロぺニレン）、アルキニレン基（例、エチニレン、プロピニレン）、アリーレン基（例、フェニレン、ナフチレン）、二価のヘテロ環基（例、６−クロロ−１、３、５−トリアジン−２、４−ジイル基、ピリミジン−２、４−ジイル基、ピリミジン−４、６−ジイル基、キノキサリン−２、３−ジイル基、ピリダジン−３，６−ジイル）、−Ｏ−、−ＣＯ−、−ＮＲＢ’−（ＲＢ’は水素原子、アルキル基又はアリール基）、−Ｓ−、−ＳＯ２−、−ＳＯ−又はこれらの組み合わせ（例えば−ＮＨＣＨ２ＣＨ２ＮＨ−、−ＮＨＣＯＮＨ−等）であることが好ましい。
【０２７２】
アルキレン基、アルケニレン基、アルキニレン基、アリーレン基、二価のヘテロ環基、ＲＢのアルキル基又はアリール基は、置換基を有していてもよい。
【０２７３】
置換基の例としては、上記ＧＢで説明したの置換基と同義である。
【０２７４】
上記ＲＢ’のアルキル基及びアリール基は、上記ＧＢの置換基例と同義である。
【０２７５】
更に好ましくは、炭素数１０以下のアルキレン基、炭素数１０以下のアルケニレン基、炭素数１０以下のアルキニレン基、炭素数６以上１０以下のアリーレン基、二価のヘテロ環基、−Ｓ−、−ＳＯ−、―ＳＯ２−又はこれらの組み合わせ（例えば−ＳＣＨ２ＣＨ２Ｓ−、−ＳＣＨ２ＣＨ２ＣＨ２Ｓ−等）であることが更に好ましい。
【０２７６】
二価の連結基の総炭素数は０〜５０であることが好ましく、０〜３０であることがより好ましく、０〜１０であることが最も好ましい。
【０２７７】
ＱＢ、ＲＢ、ＸＢ、ＹＢ及びＺＢが三価の基を示す場合、三価の基としては、３価の炭化水素基、三価のヘテロ環基、＞Ｎ−、又はこれと２価の基の組み合わせ（例えば＞ＮＣＨ２ＣＨ２ＮＨ−、＞ＮＣＯＮＨ−等）であることが好ましい。
【０２７８】
三価の連結基の総炭素数は０〜５０であることが好ましく、０〜３０であることがより好ましく、０〜１０であることが最も好ましい。
【０２７９】
一般式（２）中、ｎ２の好ましい例は、１又は２であり、特に２が好ましい。
【０２８０】
一般式（２）中、ＸＢの好ましい置換基例は電子求引性基である。特に、ハメットの置換基定数σｐ値が０．２０以上の電子求引性基であり、より好ましくは、σｐ値が０．３０以上の電子求引性基であることが好ましい。上限としては１．０以下の電子求引性基である。
【０２８１】
σｐ値が０．２０以上の電子求引性基であるＸＢの具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．２０以上の他の電子求引性基で置換されたアリール基、ヘテロ環基、ハロゲン原子、アゾ基、又はセレノシアネート基が挙げられる。
【０２８２】
ＸＢの好ましいものとしては、炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、ニトロ基、炭素数１〜１２のアルキルスルフイニル基、炭素数６〜１８のアリールスルフイニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基、炭素数１〜１２のハロゲン化アルキルチオ基、炭素数７〜１８のハロゲン化アリールオキシ基、２つ以上のσｐ０．２０以上の他の電子求引性基で置換された炭素数７〜１８のアリール基、及び窒素原子、酸素原子、又はイオウ原子を有する５〜８員環で炭素数１〜１８のヘテロ環基を挙げることができる。
【０２８３】
更に好ましくは、シアノ基、炭素数１〜１２のアルキルスルホニル基、炭素数６〜１８のアリールスルホニル基、又は炭素数０〜１２のスルファモイル基である。
【０２８４】
ＸＢとして特に好ましいものは、シアノ基、炭素数１〜１２のアルキルスルホニル基、又は炭素数０〜１２のスルファモイル基であり、最も好ましいものは、シアノ基、又は炭素数１〜１２のアルキルスルホニル基である。
【０２８５】
一般式（２）中、ＺＢの好ましい置換基例は、水素原子、置換若しくは無置換のアルキル基、置換若しくは無置換のシクロアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基を示す。
【０２８６】
ＺＢが表す詳細な置換基例は、前述のＧＢで表されるヘテロ環基の例で説明した対応する置換基例と同義であり、好ましい例も同じである。
【０２８７】
ＺＢが表す特に好ましい置換基は置換アリール基、又は置換基へテロ環基であり、その中でも特に置換基アリール基が好ましい。
【０２８８】
一般式（２）中、ＱＢの好ましい置換基例は、水素原子、置換若しくは無置換のアルキル基、置換若しくは無置換のアシル基、置換若しくは無置換のアルキルスルホニル基、又は置換若しくは無置換のアリールスルホニル基が好ましく、特に水素原子、置換若しくは無置換のアルキル基、又は置換若しくは無置換のアシル基が好ましく、その中でも特に水素原子が好ましい。
【０２８９】
一般式（２）中、ＲＢは置換若しくは無置換の総炭素数１〜１２のアルキル基、置換若しくは無置換の総炭素数６〜１８のアリール基、又は置換若しくは無置換の総炭素数４〜１２のヘテロ環基が好ましく、その中でも、総炭素原子数１〜８の直鎖アルキル基又は分岐のアルキル基が好ましく、特に２級又は３級アルキル基が好ましく、ｔ−ブチル基が最も好ましい。
【０２９０】
一般式（２）中、ＹＢは水素原子、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、その中でも、水素原子、総炭素原子数１〜８の直鎖アルキル基及び又は分岐のアルキル基が好ましく、特に水素原子、又は総炭素原子数１〜８のアルキル基が好ましく、水素原子が最も好ましい。
【０２９１】
本発明の一般式（２）で表される化合物の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０２９２】
本発明の一般式（２）で表される色素として特に好ましい組み合わせは、以下の（イ）〜（ト）を含むものである。
【０２９３】
（イ）ＧＢは、５〜８員含窒素ヘテロ環が好ましく、特にＳ−トリアジン環、ピリミジン環、ピリダジン環、ピラジン環、ピリジン環、イミダゾール環、ピラゾール環、又はピロール環が好ましく、その中でもＳ−トリアジン環、ピリミジン環、ピリダジン環、又はピラジン環が好ましく、Ｓ−トリアジン環が最も好ましい。
【０２９４】
（ロ）ＲＢは置換若しくは無置換の総炭素数１〜１２のアルキル基、置換若しくは無置換の総炭素数６〜１８のアリール基、又は置換若しくは無置換の総炭素数４〜１２のヘテロ環基が好ましく、その中でも、総炭素原子数１〜８の直鎖アルキル基又は分岐のアルキル基が好ましく、特に２級又は３級アルキル基が好ましく、ｔ−ブチル基が最も好ましい。
【０２９５】
（ハ）ＸＢとして特に好ましいものは、シアノ基、炭素数１〜１２のアルキルスルホニル基、炭素数６〜１８のアリールスルホニル基、又は炭素数０〜１２のスルファモイル基であり、その中でも、シアノ基、又は炭素数１〜１２のアルキルスルホニル基が好ましく、最も好ましいものは、シアノ基である。
【０２９６】
（ニ）ＹＢは水素原子、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、その中でも、水素原子、総炭素原子数１〜８の直鎖アルキル基又は分岐のアルキル基が好ましく、特に水素原子、又は１〜８のアルキル基が好ましく、水素原子が最も好ましい。
【０２９７】
（ホ）ＺＢは、水素原子、置換若しくは無置換のアルキル基、置換若しくは無置換のシクロアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基が好ましく、特に好ましい置換基は置換アリール基、又は置換基へテロ環基であり、その中でも特に置換基アリール基が好ましい。
【０２９８】
（ヘ）ＱＢは、水素原子、置換若しくは無置換のアルキル基、置換若しくは無置換のアシル基、置換若しくは無置換のアルキルスルホニル基、又は置換若しくは無置換のアリールスルホニル基が好ましく、特に水素原子、置換若しくは無置換のアルキル基、又は置換若しくは無置換のアシル基が好ましく、その中でも特に水素原子が好ましい。
【０２９９】
（ト）ｎ２は１〜３の整数を表し、好ましくは１又は２であり、特に２が最も好ましい。
【０３００】
一般式（２）で表される化合物（アゾ色素）のうち、好ましくは下記一般式（２−１）〜（２−５）で表される色素である。
【０３０１】
以下、一般式（２−１）について詳細に説明する。
一般式（２−１）：
【０３０２】
【化５３】
0005835965.tif 000070
【０３０３】
一般式（２−１）中、ＲＢ１、ＲＢ２、ＸＢ１、ＸＢ２、ＹＢ１、ＹＢ２、ＺＢ１、及びＺＢ２は一価の基を示す。
一価の基としては、水素原子、又は一価の置換基を表す。一価の置換基の例としては、上記一般式（２）中、ＲＢ、ＸＢ、ＹＢ及びＺＢの一価の置換基例と同義であり好ましい例も同じである。ｍＢ１は０〜３の整数を表す。
【０３０４】
以下に、前記ＲＢ１、ＲＢ２、ＸＢ１、ＸＢ２、ＹＢ１、ＹＢ２、ＺＢ１、及びＺＢ２を更に詳しく説明する。
【０３０５】
ＲＢ１、ＲＢ２の置換基例は、それぞれ独立に上記一般式（２）中のＲＢの例と同義であり、好ましい例も同じである。
【０３０６】
ＹＢ１、ＹＢ２の置換基例は、それぞれ独立に上記一般式（２）中のＹＢの例と同義であり、好ましい例も同じである。
【０３０７】
ＺＢ１、ＺＢ２の置換基例は、それぞれ独立に上記一般式（２）中のＺＢの例と同義であり、好ましい例も同じである。
【０３０８】
ＧＢは５〜８員含窒素ヘテロ環を構成する原子団を表す。
【０３０９】
以下に、前記ＧＢ及びｍＢ１を更に詳しく説明する。
【０３１０】
ＧＢの表す５〜８員含窒素ヘテロ環の好ましい例は、Ｓ−トリアジン環、ピリミジン環、ピリダジン環、ピラジン環、ピリジン環、イミダゾール環、ピラゾール環、又はピロール環であり、その中でもＳ−トリアジン環、ピリミジン環、ピリダジン環、又はピラジン環がより好ましく、Ｓ−トリアジン環が最も好ましい。
【０３１１】
ｍＢ１は、０〜３の整数を表し、ＧＢの表す５〜８員含窒素ヘテロ環の好ましい例の構造に、−ＯＭＢ基が置換可能な場合は、０〜２が好ましく、その中でも０又は１が好ましく、特にｍＢ１＝１が最も好ましい。
【０３１２】
ＭＢは水素原子又はカチオンを示す。
【０３１３】
以下に、前記ＭＢを更に詳しく説明する。
【０３１４】
ＭＢで表されるカチオンとしては、アルカリ金属イオン、アンモニウム又は第４級アンモニウムカチオンであり、好ましくはＬｉ、Ｎａ、Ｋ、ＮＨ４、又はＮＲＢ４である。但し、ＲＢはアルキル基及びアリール基であり上述したＲＢ、ＹＢで表されるアルキル基及びアリール基の例と同じである。その中でも好ましいＭＢのカチオン例はＬｉ、Ｎａ、Ｋ、又はＮＨ４であり、Ｌｉ、Ｎａ、又はＫが特に好ましい。
【０３１５】
本発明の一般式（２−１）で表される化合物（色素）の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０３１６】
本発明の一般式（２−１）で表される色素として特に好ましい組み合わせは、以下の（イ）〜（ヘ）を含むものである。
【０３１７】
（イ）ＲＢ１、ＲＢ２は同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、その中でも、総炭素原子数１〜８の直鎖アルキル基又は分岐のアルキル基が好ましく、特に２級又は３級アルキル基が好ましく、ｔ−ブチル基が最も好ましい。
【０３１８】
（ロ）ＸＢ１、ＸＢ２は同一又は異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、又は炭素数０〜１２のスルファモイル基が好ましく、最も好ましいものは、シアノ基、又は炭素数１〜１２のアルキルスルホニル基である。
【０３１９】
（ハ）ＹＢ１、ＹＢ２は同一又は異なっていてもよく、水素原子、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に水素原子、又は置換若しくは無置換のアルキル基が好ましく、その中でも水素原子が最も好ましい。
【０３２０】
（ニ）ＺＢ１、ＺＢ２は、同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に置換若しくは無置換のアリール基、又は置換若しくは無置換のヘテロ環基が好ましく、特に置換アリール基が最も好ましい。
【０３２１】
（ホ）ＧＢは５〜８員含窒素ヘテロ環を構成する原子団を表し、５〜８員含窒素ヘテロ環の好ましい例は、Ｓ−トリアジン環、ピリミジン環、ピリダジン環、ピラジン環、ピリジン環、イミダゾール環、ピラゾール環、又はピロール環であり、その中でもＳ−トリアジン環、ピリミジン環、ピリダジン環、又はピラジン環がより好ましく、Ｓ−トリアジン環が最も好ましい。
【０３２２】
（ヘ）ｍＢ１は、０〜３の整数を表し、ＧＢの表す５〜８員含窒素ヘテロ環の好ましい例の構造に、−ＯＭＢ基が置換可能な場合は、０〜２が好ましく、その中でも０又は１が好ましく、特にｍＢ１＝１が最も好ましい。
【０３２３】
（ト）ＭＢは水素原子又はカチオンが好ましく、特に好ましくは水素原子、アルカリ金属イオン、アンモニウム又は第４級アンモニウムカチオンであり、更に好ましくはＬｉ、Ｎａ、Ｋ、又はＮＨ４である。
【０３２４】
以下、一般式（２−２）について詳細に説明する。
一般式（２−２）：
【０３２５】
【化５４】
0005835965.tif 000071
【０３２６】
ＲＢ１、ＲＢ２、ＲＢ１１、ＲＢ１２、ＸＢ１、ＸＢ２、ＺＢ１、及びＺＢ２は一価の基を示す。
【０３２７】
一価の基としては、水素原子、又は一価の置換基を表す。
【０３２８】
ＬＢ１は、２価の連結基を表す。
【０３２９】
ＧＢ１、ＧＢ２は、はそれぞれ独立に５〜８員含窒素ヘテロ環を構成する原子団を示す。
【０３３０】
ｍＢ２１，ｍＢ２２は、それぞれ独立に０〜３の整数を表し、ＧＢ１、ＧＢ２の表す５〜８員含窒素ヘテロ環の好ましい例の構造に、−ＯＭＢ基が置換可能な場合は、０〜２が好ましく、その中でも０又は１が好ましく、特にｍＢ２１＝１、ｍＢ２２＝１が最も好ましい。
【０３３１】
ＭＢは水素原子又はカチオンを示す。
【０３３２】
以下に、前記一般式（２−２）について更に詳しく説明する。
【０３３３】
一般式（２−２）中、ＲＢ１及びＲＢ２の好ましい置換基例は、上記一般式（２−１）で説明したＲＢ１、ＲＢ２、ＹＢ１、及びＹＢ２の置換基例と同義であり、好ましい例も同じである。
【０３３４】
一般式（２−２）中、ＸＢ１及びＸＢ２の好ましい置換基例は、上記一般式（２−１）で説明したＸＢ１及びＸＢ２の置換基例と同義であり、好ましい例も同じである。
【０３３５】
一般式（２−２）中、ＺＢ１及びＺＢ２の好ましい置換基例は、上記一般式（２−１）で説明したＺＢ１及びＺＢ２の置換基例と同義であり、好ましい例も同じである。
【０３３６】
一般式（２−２）中、ＧＢ１及びＧＢ２の好ましい例は、上記一般式（２−１）で説明したＧＢの例と同義であり、好ましい例も同じである。
【０３３７】
一般式（２−２）中、ｍＢ２１、ｍＢ２２は、それぞれ独立に０〜３の整数を表し、ＧＢ１、ＧＢ２の表す５〜８員含窒素ヘテロ環の好ましい例の構造に、−ＯＭＢ基が置換可能な場合は、０〜２が好ましく、その中でも０又は１が好ましく、特にｍＢ２１＝１、ｍＢ２２＝１が最も好ましい。
【０３３８】
一般式（２−２）中、ＭＢの好ましい例は、上記一般式（２−１）で説明したＭＢの例と同義であり、好ましい例も同じである。
【０３３９】
一般式（２−２）中、ＲＢ１１及びＲＢ１２の好ましい置換基例は、上記一般式（２−１）で説明したＲＢ１、ＲＢ２、ＹＢ１、及びＹＢ２の置換基例と同義であり、好ましい例は、−ＯＭＢ基（ＭＢは水素原子又はカチオン）、置換若しくは無置換のアミノ基；炭素数１から１２のアルキルアミノ基、炭素数６から１８のアリールアミノ基、置換若しくは無置換の炭素数１から１２のアルキルチオ基、置換若しくは無置換の炭素数６から１８のアリールチオ基等が挙げられる。
【０３４０】
一般式（２−２）中、ＬＢ１で表される二価の連結基はアルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６ークロロー１、３、５ートリアジンー２、４ージイル基、ピリミジンー２、４ージイル基、ピリミジンー４、６ージイル基、キノキサリンー２、３ージイル基、ピリダジンー３，６−ジイル）、−Ｏ−、−ＣＯ−、−ＮＲＢ−（ＲＢは水素原子、アルキル基又はアリール基）、−Ｓ−、−ＳＯ２−、−ＳＯ−又はこれらの組み合わせ（例えば−ＮＨＣＨ２ＣＨ２ＮＨ−、−ＮＨＣＯＮＨ−等）であることが好ましい。
【０３４１】
アルキレン基、アルケニレン基、アルキニレン基、アリーレン基、二価のヘテロ環基、ＲＢのアルキル基又はアリール基は、置換基を有していてもよい。
【０３４２】
置換基の例としては、上記一般式（２−１）中のＲＢ１、ＲＢ２、ＹＢ１及びＹＢ２の置換基と同義である。
【０３４３】
上記ＲＢのアルキル基及びアリール基は、上記一般式（２−１）中のＲＢ１、ＲＢ２、ＹＢ１及びＹＢ２の置換基例と同義である。
【０３４４】
更に好ましくは、炭素数１０以下のアルキレン基、炭素数１０以下のアルケニレン基、炭素数１０以下のアルキニレン基、炭素数６以上１０以下のアリーレン基、−Ｓ−、−ＳＯ−、―ＳＯ２−又はこれらの組み合わせ（例えば−ＳＣＨ２ＣＨ２Ｓ−、−ＳＣＨ２ＣＨ２ＣＨ２Ｓ−等）であることが更に好ましい。
【０３４５】
二価の連結基の総炭素数は０〜５０であることが好ましく、０〜３０であることがより好ましく、０〜１０であることが最も好ましい。
【０３４６】
本発明の一般式（２−２）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０３４７】
本発明の一般式（２−２）で表される色素として特に好ましい組み合わせは、以下の（イ）〜（チ）を含むものである。
【０３４８】
（イ）ＲＢ１、ＲＢ２は同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、その中でも、総炭素原子数１〜８の直鎖アルキル基又は分岐のアルキル基が好ましく、特に２級又は３級アルキル基が好ましく、ｔ−ブチル基が最も好ましい。
【０３４９】
（ロ）ＸＢ１、ＸＢ２は同一又は異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、又は炭素数０〜１２のスルファモイル基が好ましく、最も好ましいものは、シアノ基、又は炭素数１〜１２のアルキルスルホニル基である。
【０３５０】
（ハ）ＺＢ１、ＺＢ２は、同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に置換若しくは無置換のアリール基、又は置換若しくは無置換のヘテロ環基が好ましく、特に置換アリール基が最も好ましい。
【０３５１】
（ニ）ＧＢ１、ＧＢ２は同一又は異なっていてもよく、５〜８員含窒素ヘテロ環を構成する原子団を表し、５〜８員含窒素ヘテロ環の好ましい例は、Ｓ−トリアジン環、ピリミジン環、ピリダジン環、ピラジン環、ピリジン環、イミダゾール環、ピラゾール環、又はピロール環であり、その中でもＳ−トリアジン環、ピリミジン環、ピリダジン環、又はピラジン環がより好ましく、Ｓ−トリアジン環が最も好ましい。
【０３５２】
（ホ）ｍＢ２１、ｍＢ２２は、それぞれ独立に０〜３の整数を表し、ＧＢ１、ＧＢ２の表す５〜８員含窒素ヘテロ環の好ましい例の構造に、−ＯＭＢ基が置換可能な場合は、０〜２が好ましく、その中でも０又は１が好ましく、特にｍＢ２１＝１、ｍＢ２２＝１が最も好ましい。
【０３５３】
（ヘ）ＭＢは水素原子又はカチオンが好ましく、特に好ましくは水素原子、アルカリ金属イオン、アンモニウム又は第４級アンモニウムカチオンであり、更に好ましくはＬｉ、Ｎａ、Ｋ、又はＮＨ４である。
【０３５４】
（ト）ＲＢ１１、ＲＢ１２は同一又は異なっていてもよく、−ＯＭＢ基（ＭＢは水素原子又はカチオン）、置換若しくは無置換のアミノ基（炭素数１から１２のアルキルアミノ基、炭素数６から１８のアリールアミノ基等）、置換若しくは無置換の炭素数１から１２のアルキルチオ基、又は置換若しくは無置換の炭素数６から１８のアリールチオ基が好ましく、その中でも無置換のアミノ基、炭素数１から１２のアルキルアミノ基、炭素数６から１８のアリールアミノ基、置換若しくは無置換の炭素数１から１２のアルキルチオ基、又は置換若しくは無置換の炭素数６から１８のアリールチオ基が好ましく、特に無置換のアミノ基、炭素数１から１２のジアルキルアミノ基、炭素数６から１８のアリールアミノ基、又は置換若しくは無置換の炭素数１から１２のアルキルチオ基が好ましい。
【０３５５】
（チ）ＬＢ１は、炭素数１０以下のアルキレン基、炭素数１０以下のアルケニレン基、炭素数１０以下のアルキニレン基、炭素数６以上１０以下のアリーレン基、−Ｓ−、−ＳＯ−、―ＳＯ２−又はこれらの組み合わせ（例えば−ＳＣＨ２ＣＨ２Ｓ−、−ＳＣＨ２ＣＨ２ＣＨ２Ｓ−等）であることが好ましく、更に炭素数１０以下のアルキレン基、炭素数６以上１０以下のアリーレン基、−Ｓ−、−ＳＯ−、―ＳＯ２−又はこれらの組み合わせ（例えば−ＳＣＨ２ＣＨ２Ｓ−、−ＳＣＨ２ＣＨ２ＣＨ２Ｓ−等）であることが好ましく、特に炭素数１０以下のアルキレン基、−ＳＣＨ２ＣＨ２Ｓ−、−ＳＣＨ２ＣＨ２ＣＨ２Ｓ−であることが好ましい。
【０３５６】
以下、一般式（２−３）について詳細に説明する。
一般式（２−３）：
【０３５７】
【化５５】
0005835965.tif 000072
【０３５８】
ＲＢ１、ＲＢ２、ＲＢ１１、ＲＢ１２、ＸＢ１、ＸＢ２、ＹＢ１、及びＹＢ２は一価の基を示す。
【０３５９】
一価の基としては、水素原子、又は一価の置換基を表す。
【０３６０】
ＬＢ２は、２価の連結基を表す。
【０３６１】
ＧＢ１、ＧＢ２は、はそれぞれ独立に５〜８員含窒素ヘテロ環を構成する原子団を示す。
【０３６２】
ｍＢ３１、ｍＢ３２は、それぞれ独立に０〜３の整数を表す。
【０３６３】
ＭＢは水素原子又はカチオンを示す。
【０３６４】
以下に、前記一般式（２−３）について更に詳しく説明する。
【０３６５】
一般式（２−３）中、ＲＢ１、ＲＢ２、ＹＢ１、及びＹＢ２の好ましい置換基例は、上記一般式（２−１）で説明したＲＢ１、ＲＢ２、ＹＢ１、及びＹＢ２の置換基例と同じであり、好ましい例も同じである。
【０３６６】
一般式（２−３）中、ＸＢ１及びＸＢ２の好ましい置換基例は、上記一般式（２−１）で説明したＸＢ１及びＸＢ２の置換基例と同じであり、好ましい例も同じである。
【０３６７】
一般式（２−３）中、ＧＢ１及びＧＢ２の好ましい例は、上記一般式（２−１）で説明したＧＢの例と同じであり、好ましい例も同じである。
【０３６８】
一般式（２−３）中、ｍＢ３１及びｍＢ３２の好ましい例は、上記一般式（２−２）で説明したｍＢ２１、ｍＢ２２の例と同じであり、好ましい例も同じである。
【０３６９】
一般式（２−３）中、ＭＢの好ましい例は、上記一般式（２−１）で説明したＭＢの例と同じであり、好ましい例も同じである。
【０３７０】
一般式（２−３）中、ＲＢ１１及びＲＢ１２の好ましい置換基例は、上記一般式（２−２）で説明したＲＢ１１、ＲＢ１２の置換基例と同じであり、好ましい例も同じである。
【０３７１】
一般式（２−３）中、ＬＢ２で表される二価の連結基は、上記一般式（２−２）で説明したＬＢ１の例と同義であり、好ましい例も同じである。
【０３７２】
本発明の一般式（２−３）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０３７３】
本発明の一般式（２−３）で表される色素として特に好ましい組み合わせは、以下の（イ）〜（チ）を含むものである。
【０３７４】
（イ）ＲＢ１、ＲＢ２は同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、その中でも、総炭素原子数１〜８の直鎖アルキル基又は分岐のアルキル基が好ましく、特に２級又は３級アルキル基が好ましく、ｔ−ブチル基が最も好ましい。
【０３７５】
（ロ）ＸＢ１、ＸＢ２は同一又は異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、又は炭素数０〜１２のスルファモイル基が好ましく、最も好ましいものは、シアノ基、又は炭素数１〜１２のアルキルスルホニル基である。
【０３７６】
（ハ）ＹＢ１、ＹＢ２は同一又は異なっていてもよく、水素原子、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に水素原子、又は置換若しくは無置換のアルキル基が好ましく、その中でも水素原子が最も好ましい。
【０３７７】
（ニ）ＧＢ１、ＧＢ２は同一又は異なっていてもよく、５〜８員含窒素ヘテロ環を構成する原子団を表し、５〜８員含窒素ヘテロ環の好ましい例は、Ｓ−トリアジン環、ピリミジン環、ピリダジン環、ピラジン環、ピリジン環、イミダゾール環、ピラゾール環、又はピロール環であり、その中でもＳ−トリアジン環、ピリミジン環、ピリダジン環、又はピラジン環がより好ましく、Ｓ−トリアジン環が最も好ましい。
【０３７８】
（ホ）ｍＢ３１、ｍＢ３２は、それぞれ独立に０〜３の整数を表し、ＧＢ１、ＧＢ２の表す５〜８員含窒素ヘテロ環の好ましい例の構造に、−ＯＭＢ基が置換可能な場合は、０〜２が好ましく、その中でも０又は１が好ましく、特にｍＢ３１＝１、ｍＢ３２＝１が最も好ましい。
【０３７９】
（ヘ）ＭＢは水素原子又はカチオンが好ましく、特に好ましくは水素原子、アルカリ金属イオン、アンモニウム又は第４級アンモニウムカチオンであり、更に好ましくはＬｉ、Ｎａ、Ｋ、又はＮＨ４である。
【０３８０】
（ト）ＲＢ１１、ＲＢ１２は同一又は異なっていてもよく、−ＯＭＢ基（ＭＢは水素原子又はカチオン）、置換若しくは無置換のアミノ基（炭素数１から１２のアルキルアミノ基、炭素数６から１８のアリールアミノ基等）、置換若しくは無置換の炭素数１から１２のアルキルチオ基、又は置換若しくは無置換の炭素数６から１８のアリールチオ基が好ましく、その中でも無置換のアミノ基、炭素数１から１２のアルキルアミノ基、炭素数６から１８のアリールアミノ基、置換若しくは無置換の炭素数１から１２のアルキルチオ基、又は置換若しくは無置換の炭素数６から１８のアリールチオ基が好ましく、特に無置換のアミノ基、炭素数１から１２のジアルキルアミノ基、炭素数６から１８のアリールアミノ基、又は置換若しくは無置換の炭素数１から１２のアルキルチオ基が好ましい。
【０３８１】
（チ）ＬＢ２は、炭素数１０以下のアルキレン基、炭素数１０以下のアルケニレン基、炭素数１０以下のアルキニレン基、炭素数６以上１０以下のアリーレン基、−Ｓ−、−ＳＯ−、―ＳＯ２−又はこれらの組み合わせ（例えば−ＳＣＨ２ＣＨ２Ｓ−、−ＳＣＨ２ＣＨ２ＣＨ２Ｓ−等）であることが好ましく、更に炭素数１０以下のアルキレン基、炭素数６以上１０以下のアリーレン基、−Ｓ−、−ＳＯ−、―ＳＯ２−又はこれらの組み合わせ（例えば−ＳＣＨ２ＣＨ２Ｓ−、−ＳＣＨ２ＣＨ２ＣＨ２Ｓ−等）であることが好ましく、特に炭素数１０以下のアルキレン基、−ＳＣＨ２ＣＨ２Ｓ−、−ＳＣＨ２ＣＨ２ＣＨ２Ｓ−であることが好ましい。
【０３８２】
以下、一般式（２−４）について詳細に説明する。
一般式（２−４）：
【０３８３】
【化５６】
0005835965.tif 000073
【０３８４】
ＲＢ１１、ＲＢ１２、ＸＢ１、ＸＢ２、ＹＢ１、ＹＢ２、ＺＢ１及びＺＢ２は一価の基を示す。
【０３８５】
一価の基としては、水素原子、又は一価の置換基を表す。
【０３８６】
ＬＢ３は、２価の連結基を表す。
【０３８７】
ＧＢ１、ＧＢ２は、はそれぞれ独立に５〜８員含窒素ヘテロ環を構成する原子団を示す。
【０３８８】
ｍＢ４１、ｍＢ４２は、それぞれ独立に０〜３の整数を表す。
【０３８９】
ＭＢは水素原子又はカチオンを示す。
【０３９０】
以下に、前記一般式（２−４）について更に詳しく説明する。
【０３９１】
一般式（２−４）中、ＹＢ１、及びＹＢ２の好ましい置換基例は、上記一般式（２−１）で説明したＲＢ１、ＲＢ２、ＹＢ１、及びＹＢ２の置換基例と同じであり、好ましい例も同じである。
【０３９２】
一般式（２−４）中、ＸＢ１及びＸＢ２の好ましい置換基例は、上記一般式（２−１）で説明したＸＢ１及びＸＢ２の置換基例と同じであり、好ましい例も同じである。
【０３９３】
一般式（２−４）中、ＧＢ１及びＧＢ２の好ましい例は、上記一般式（２−１）で説明したＧＢの例と同じであり、好ましい例も同じである。
【０３９４】
一般式（２−４）中、ｍＢ４１及びｍＢ４２の好ましい例は、上記一般式（２−２）で説明したｍＢ２１、ｍＢ２２の例と同じであり、好ましい例も同じである。
【０３９５】
一般式（２−４）中、ＭＢの好ましい例は、上記一般式（２−１）で説明したＭＢの例と同じであり、好ましい例も同じである。
【０３９６】
一般式（２−４）中、ＲＢ１１及びＲＢ１２の好ましい置換基例は、上記一般式（２−２）で説明したＲＢ１１、ＲＢ１２の置換基例と同じであり、好ましい例も同じである。
【０３９７】
一般式（２−４）中、ＬＢ３で表される二価の連結基の例は、上記一般式（２−２）で説明したＬＢ１の例と同じであり、好ましい例も同じである。
【０３９８】
本発明の一般式（２−４）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０３９９】
本発明の一般式（２−４）で表される色素として特に好ましい組み合わせは、以下の（イ）〜（チ）を含むものである。
【０４００】
（イ）ＹＢ１、ＹＢ２は同一又は異なっていてもよく、水素原子、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に水素原子、又は置換若しくは無置換のアルキル基が好ましく、その中でも水素原子が最も好ましい
【０４０１】
（ロ）ＸＢ１、ＸＢ２は同一又は異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、又は炭素数０〜１２のスルファモイル基が好ましく、最も好ましいものは、シアノ基、又は炭素数１〜１２のアルキルスルホニル基である。
【０４０２】
（ハ）ＺＢ１、ＺＢ２は、同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に置換若しくは無置換のアリール基、又は置換若しくは無置換のヘテロ環基が好ましく、特に置換アリール基が最も好ましい。
【０４０３】
（ニ）ＧＢ１、ＧＢ２は同一又は異なっていてもよく、５〜８員含窒素ヘテロ環を構成する原子団を表し、５〜８員含窒素ヘテロ環の好ましい例は、Ｓ−トリアジン環、ピリミジン環、ピリダジン環、ピラジン環、ピリジン環、イミダゾール環、ピラゾール環、又はピロール環であり、その中でもＳ−トリアジン環、ピリミジン環、ピリダジン環、又はピラジン環がより好ましく、Ｓ−トリアジン環が最も好ましい。
【０４０４】
（ホ）ｍＢ４１、ｍＢ４２は、それぞれ独立に０〜３の整数を表し、ＧＢ１、ＧＢ２の表す５〜８員含窒素ヘテロ環の好ましい例の構造に、−ＯＭＢ基が置換可能な場合は、０〜２が好ましく、その中でも０又は１が好ましく、特にｍＢ４１＝１、ｍＢ４２＝１が最も好ましい。
【０４０５】
（ヘ）ＭＢは水素原子又はカチオンが好ましく、特に好ましくは水素原子、アルカリ金属イオン、アンモニウム又は第４級アンモニウムカチオンであり、更に好ましくはＬｉ、Ｎａ、Ｋ、又はＮＨ４である。
【０４０６】
（ト）ＲＢ１１、ＲＢ１２は同一又は異なっていてもよく、−ＯＭＢ基（ＭＢは水素原子又はカチオン）、置換若しくは無置換のアミノ基（炭素数１から１２のアルキルアミノ基、炭素数６から１８のアリールアミノ基等）、置換若しくは無置換の炭素数１から１２のアルキルチオ基、又は置換若しくは無置換の炭素数６から１８のアリールチオ基が好ましく、その中でも無置換のアミノ基、炭素数１から１２のアルキルアミノ基、炭素数６から１８のアリールアミノ基、置換若しくは無置換の炭素数１から１２のアルキルチオ基、又は置換若しくは無置換の炭素数６から１８のアリールチオ基が好ましく、特に無置換のアミノ基、炭素数１から１２のジアルキルアミノ基、炭素数６から１８のアリールアミノ基、又は置換若しくは無置換の炭素数１から１２のアルキルチオ基が好ましい。
【０４０７】
（チ）ＬＢ３は、炭素数１０以下のアルキレン基、炭素数１０以下のアルケニレン基、炭素数１０以下のアルキニレン基、炭素数６以上１０以下のアリーレン基、−Ｓ−、−ＳＯ−、―ＳＯ２−又はこれらの組み合わせ（例えば−ＳＣＨ２ＣＨ２Ｓ−、−ＳＣＨ２ＣＨ２ＣＨ２Ｓ−等）であることが好ましく、更に炭素数１０以下のアルキレン基、炭素数６以上１０以下のアリーレン基、−Ｓ−、−ＳＯ−、―ＳＯ２−又はこれらの組み合わせ（例えば−ＳＣＨ２ＣＨ２Ｓ−、−ＳＣＨ２ＣＨ２ＣＨ２Ｓ−等）であることが好ましく、特に炭素数１０以下のアルキレン基、−ＳＣＨ２ＣＨ２Ｓ−、−ＳＣＨ２ＣＨ２ＣＨ２Ｓ−であることが好ましい。
【０４０８】
以下、一般式（２−５）について詳細に説明する。
一般式（２−５）：
【０４０９】
【化５７】
0005835965.tif 000074
【０４１０】
ＲＢ１、ＲＢ２、ＲＢ１１、ＲＢ１２、ＹＢ１、ＹＢ２、ＺＢ１、及びＺＢ２は一価の基を示す。
【０４１１】
一価の基としては、水素原子、又は一価の置換基を表す。
【０４１２】
ＬＢ４は、２価の連結基を表す。
【０４１３】
ＧＢ１、ＧＢ２は、はそれぞれ独立に５〜８員含窒素ヘテロ環を構成する原子団を示す。
【０４１４】
ｍＢ５１、ｍＢ５２は、それぞれ独立に０〜３の整数を表す。
【０４１５】
ＭＢは水素原子又はカチオンを示す。
【０４１６】
以下に、前記一般式（２−５）について更に詳しく説明する。
【０４１７】
一般式一般式（２−５）中、ＲＢ１、ＲＢ２、ＹＢ１及びＹＢ２の好ましい置換基例は、上記一般式（２−１）で説明したＲＢ１、ＲＢ２、ＹＢ１、及びＹＢ２の置換基例と同じであり、好ましい例も同じである。
【０４１８】
一般式（２−５）中、ＺＢ１及びＺＢ２の好ましい置換基例は、上記一般式（２−１）で説明したＺＢ１及びＺＢ２の置換基例と同じであり、好ましい例も同じである。
【０４１９】
一般式（２−５）中、ＧＢ１及びＧＢ２の好ましい例は、上記一般式（２−１）で説明したＧＢの例と同じであり、好ましい例も同じである。
【０４２０】
一般式（２−５）中、ｍＢ５１及びｍＢ５２の好ましい例はは、上記一般式（２−２）で説明したｍＢ２１、ｍＢ２２の例と同じであり、好ましい例も同じである。
【０４２１】
一般式（２−５）中、ＭＢの好ましい例は、上記一般式（２−１）で説明したＭＢの例と同じであり、好ましい例も同じである。
【０４２２】
一般式（２−５）中、ＲＢ１１及びＲＢ１２の好ましい置換基例は、上記一般式（２−２）で説明したＲＢ１１及びＲＢ１２の置換基例と同じであり、好ましい例も同じである。
【０４２３】
一般式（２−５）中、ＬＢ４で表される二価の連結基の例は、上記一般式（２−２）で説明したＬＢ１の例と同じであり、好ましい例も同じである。
【０４２４】
本発明の一般式（２−５）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０４２５】
本発明の一般式（２−５）で表される色素として特に好ましい組み合わせは、以下の（イ）〜（チ）を含むものである。
【０４２６】
（イ）ＲＢ１、ＲＢ２は同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、その中でも、総炭素原子数１〜８の直鎖アルキル基又は分岐のアルキル基が好ましく、特に２級又は３級アルキル基が好ましく、ｔ−ブチル基が最も好ましい。
【０４２７】
（ロ）ＹＢ１、ＹＢ２は同一又は異なっていてもよく、水素原子、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に水素原子、又は置換若しくは無置換のアルキル基が好ましく、その中でも水素原子が最も好ましい。
【０４２８】
（ハ）ＺＢ１、ＺＢ２は、同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に置換若しくは無置換のアリール基、又は置換若しくは無置換のヘテロ環基が好ましく、特に置換アリール基が最も好ましい。
【０４２９】
（ニ）ＧＢ１、ＧＢ２は同一又は異なっていてもよく、５〜８員含窒素ヘテロ環を構成する原子団を表し、５〜８員含窒素ヘテロ環の好ましい例は、Ｓ−トリアジン環、ピリミジン環、ピリダジン環、ピラジン環、ピリジン環、イミダゾール環、ピラゾール環、又はピロール環であり、その中でもＳ−トリアジン環、ピリミジン環、ピリダジン環、又はピラジン環がより好ましく、Ｓ−トリアジン環が最も好ましい。
【０４３０】
（ホ）ｍＢ５１、ｍＢ５２は、それぞれ独立に０〜３の整数を表し、ＧＢ１、ＧＢ２の表す５〜８員含窒素ヘテロ環の好ましい例の構造に、−ＯＭＢ基が置換可能な場合は、０〜２が好ましく、その中でも０又は１が好ましく、特にｍＢ５１＝１、ｍＢ５２＝１が最も好ましい。
【０４３１】
（ヘ）ＭＢは水素原子又はカチオンが好ましく、特に好ましくは水素原子、アルカリ金属イオン、アンモニウム又は第４級アンモニウムカチオンであり、更に好ましくはＬｉ、Ｎａ、Ｋ、又はＮＨ４である。
【０４３２】
（ト）ＲＢ１１、ＲＢ１２は同一又は異なっていてもよく、−ＯＭＢ基（ＭＢは水素原子又はカチオン）、置換若しくは無置換のアミノ基；炭素数１から１２のアルキルアミノ基、炭素数６から１８のアリールアミノ基、置換若しくは無置換の炭素数１から１２のアルキルチオ基、置換若しくは無置換の炭素数６から１８のアリールチオ基が好ましく、その中でも無置換のアミノ基、炭素数１から１２のアルキルアミノ基、炭素数６から１８のアリールアミノ基、置換若しくは無置換の炭素数１から１２のアルキルチオ基、又は置換若しくは無置換の炭素数６から１８のアリールチオ基が好ましく、特に無置換のアミノ基、炭素数１から１２のジアルキルアミノ基、炭素数６から１８のアリールアミノ基、又は置換若しくは無置換の炭素数１から１２のアルキルチオ基が好ましい。
【０４３３】
（チ）ＬＢ４は、２価の連結基でかつハメットの置換基定数σｐ値が０．２０以上の電子求引性基が好ましく、更に０．３０以上の電子求引性基が好ましく、上限としては１．０以下の電子求引性基である。その中でも、炭素数１〜１２のアルキルスルホニル基：｛−ＳＯ２−（ＣＨ２）ｎＢ−Ｏ２Ｓ−；ｎＢ＝１〜１０の整数｝、炭素数６〜１８のアリールスルホニル基：｛−ＳＯ２−ＡｒＢ−Ｏ２Ｓ−；ＡｒＢは置換又は無置換のアリール基が好ましく、最も好ましいものは、炭素数１〜１２のアルキルスルホニル基アルキルスルホニル基：｛−ＳＯ２−（ＣＨ２）ｎＢ−Ｏ２Ｓ−；ｎＢ＝１〜５の整数｝である。
【０４３４】
上記一般式（２−１）で表されるアゾ色素のうち、好ましくは一般式（２−６）で表される色素である。
一般式（２−６）：
【０４３５】
【化５８】
0005835965.tif 000075
【０４３６】
以下、一般式（２−６）について詳細に説明する。
【０４３７】
ＲＢ１、ＲＢ２、ＹＢ１、及びＹＢ２は一価の基を示し、ＸＢ１、ＸＢ２はそれぞれ独立にハメットのσｐ値０．２０以上の電子求引性基を示す。ＺＢ１、ＺＢ２はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基を示す。ＭＢは水素原子又はカチオンを示す。
【０４３８】
以下に、ＲＢ１、ＲＢ２、ＸＢ１、ＸＢ２、ＹＢ１、ＹＢ２、ＺＢ１、ＺＢ２及びＭＢについて詳細に説明する。
【０４３９】
ＲＢ１、ＲＢ２、ＹＢ１、及びＹＢ２の置換基の例は、上記一般式（２−１）中で説明したＲＢ１、ＲＢ２、ＹＢ１、及びＹＢ２の置換基例と同じであり好ましい例も同じである。
【０４４０】
ＸＢ１及びＸＢ２の置換基の例は、上記一般式（２−１）中で説明したＸＢ１及びＸＢ２の置換基例と同じであり好ましい例も同じである。
【０４４１】
ＺＢ１及びＺＢ２の置換基の例は、上記一般式（２−１）中で説明したＺＢ１及びＺＢ２の置換基例と同じであり好ましい例も同じである。
【０４４２】
ＭＢの例は、上記一般式（２−１）中で説明したＭＢの例と同じであり好ましい例も同じである。
【０４４３】
本発明の一般式（２−６）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０４４４】
本発明の一般式（２−６）で表される色素として特に好ましい組み合わせは、以下の（イ）〜（ホ）を含むものである。
【０４４５】
（イ）ＲＢ１、ＲＢ２は同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、その中でも、総炭素原子数１〜８の直鎖アルキル基又は分岐のアルキル基が好ましく、特に２級又は３級アルキル基が好ましく、ｔ−ブチル基が最も好ましい。
【０４４６】
（ロ）ＸＢ１、ＸＢ２は同一又は異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、又は炭素数０〜１２のスルファモイル基が好ましく、最も好ましいものは、シアノ基、又は炭素数１〜１２のアルキルスルホニル基である。
【０４４７】
（ハ）ＹＢ１、ＹＢ２は同一又は異なっていてもよく、水素原子、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に水素原子、又は置換若しくは無置換のアルキル基が好ましく、その中でも水素原子が最も好ましい。
【０４４８】
（ニ）ＺＢ１、ＺＢ２は、同一又は異なっていてもよく、置換若しくは無置換の総炭素数１〜１２のアルキル基、置換若しくは無置換の総炭素数６〜１８のアリール基、又は置換若しくは無置換の総炭素数４〜１２のヘテロ環基が好ましく、更に置換若しくは無置換のアリール基、又は置換若しくは無置換のヘテロ環基が好ましく、特に置換アリール基が好ましい。
【０４４９】
（ホ）ＭＢは水素原子又はカチオンが好ましく、特に好ましくは水素原子、アルカリ金属イオン、アンモニウム又は第４級アンモニウムカチオンであり、更に好ましくはＬｉ、Ｎａ、Ｋ、又はＮＨ４である。
【０４５０】
本発明において、一般式（２）、（２−１）、（２−２）、（２−３）、（２−４）、
（２−５）及び（２−６）で表される化合物が親水性を必要とする場合は、分子内に２個以上のイオン性親水性基を有することが好ましく、２〜１０個のイオン性親水性基を有することが更に好ましく、３〜６個のイオン性親水性基を有することが特に好ましい。
【０４５１】
但し、媒体として水を使用しない場合はイオン性親水性基を有していなくてよい。
【０４５２】
イオン性親水性基としては、イオン性解離基である限りいかなるものであってもよい。
具体的にはスルホ基、カルボキシル基（それらの塩を含む）、水酸基（塩でもよい）、ホスホノ基（塩でもよい）又は４級アンモニウムを挙げることが出来る。
【０４５３】
好ましくはスルホ基、カルボキシル基、又は水酸基（それらの塩を含む）である。イオン性親水性基が塩の場合、好ましいカウンターカチオンはアルカリ金属（例えば、リチウム、ナトリウム、カリウム）、アンモニウム、及び有機のカチオン（例えばピリジニウム、テトラメチルアンモニウム、グアニジニウム）を挙げることができ、その中でもアルカリ金属が好ましく、特にスルホ基の場合はリチウム塩、カルボキシ基の場合はナトリウム塩及び又はカリウム塩が好ましい。
【０４５４】
前記一般式一般式（２）、（２−１）、（２−２）、（２−３）、（２−４）、（２−５）及び（２−６）で表される水溶性色素の場合は、色再現性の観点から、Ｈ２Ｏ中で３８０〜４９０ｎｍの最大吸収波長（λｍａｘ）を有することが好ましく、４００〜４８０ｎｍのλｍａｘを有することが更に好ましく、４２０〜４６０ｎｍにλｍａｘを有することが特に好ましい。
【０４５５】
前記一般式（２）、（２−１）、（２−２）、（２−３）、（２−４）、（２−５）及び（２−６）で表される色素の具体例（例示色素ＤＹＥ−１〜２６）を以下に示すが、本発明に用いられる色素は、下記の例に限定されるものではない。
【０４５６】
また、以下の具体例の構造は遊離の酸の形で示されるが、任意の塩として用いても良いことは言うまでもない。
【０４５７】
好ましいカウンターカチオンとしては、アルカリ金属（例えば、リチウム、ナトリウム、カリウム）、アンモニウム、又は有機のカチオン（例えばピリジニウム、テトラメチルアンモニウム、グアニジニウム）を挙げることができる。
【０４５８】
【化５９】
0005835965.tif 000076
【０４５９】
【化６０】
0005835965.tif 000077
【０４６０】
【化６１】
0005835965.tif 000078
【０４６１】
【化６２】
0005835965.tif 000079
【０４６２】
【化６３】
0005835965.tif 000080
【０４６３】
【化６４】
0005835965.tif 000081
【０４６４】
【化６５】
0005835965.tif 000082
【０４６５】
【化６６】
0005835965.tif 000083
【０４６６】
【化６７】
0005835965.tif 000084
【０４６７】
また一般式（２）で表される化合物（アゾ色素）として、下記一般式（２−７）で表される色素を挙げることができる。
【０４６８】
以下、一般式（２−７）について詳細に説明する。
一般式（２−７）：
【０４６９】
【化６８】
0005835965.tif 000085
【０４７０】
前記一般式（２−７）で表される化合物は、化合物とその塩及びこれらの水和物を含む。
【０４７１】
前記一般式（２−７）中、ＭＢ、ＲＢ３、ＲＢ４はそれぞれ独立に前記一般式（２−２）で表されるＭＢ、ＲＢ１、ＲＢ２と同義であり、好ましい例も同じである。
前記一般式（２−７）中、ＰＢ１、ＰＢ２はそれぞれ独立に水素原子、又は離脱基を表す。
【０４７２】
本明細書中、離脱基とは、化学反応で脱離する基を意味し例えばジアゾニウム塩とのカップリング反応で脱離する基、フェニレンジアミン誘導体の酸化体と付加脱離反応を容易に引起す基のことである。ＰＢ１、ＰＢ２の好ましい例は水素原子、ハロゲン原子、アルキルオキシ基、アリールオキシ基、アルキルチオ基、又はアリールチオ基を挙げることができ、その中でも水素原子、又はハロゲン原子が好ましく、その中でも水素原子が好ましい。
【０４７３】
一般式（２）で表される化合物は、例えば、特開２００７−０６３５２０号公報に記載の方法により合成できる。
【０４７４】
一般式（３）：
【０４７５】
【化６９】
0005835965.tif 000086
【０４７６】
（一般式（３）中、ＲＣは炭素数１〜４のアルキル基、ｎ３は１又は２、ｘ３は２から４の整数、ｍ３及びｐ３は、それぞれ独立に１から３の整数を表す。）
【０４７７】
一般式（３）で表される化合物について、詳細に説明する。
一般式（３）中、ＲＣにおける炭素数１〜４のアルキル基としては、直鎖、分岐鎖又は環状のものが挙げられ、直鎖又は分岐鎖のものが好ましく、直鎖のものがより好ましい。具体例としては、メチル、エチル、ｎ−プロピル、ｎ−ブチルといった直鎖のもの；イソプロピル、イソブチル、ｓｅｃ−ブチル、ｔ−ブチルといった分岐鎖のもの；シクロプロピル、シクロブチルといった環状のもの；が挙げられる。特に好ましくはメチルである。
【０４７８】
一般式（３）においてｎ３は１又は２を表し、好ましくは１である。なお、−（ＣＯ２Ｈ）ｎ３で表されるカルボキシ基の置換位置は特に制限されず、アゾ基に対して、オルト位、メタ位又はパラ位の何れでもよいが、好ましくはｎ３が１のときメタ位、ｎ３が２のとき２つのメタ位に置換するのがよい。
ｘ３は２から４を表し、好ましくは３である。
【０４７９】
一般式（３）におけるｍ３及びｐ３は、それぞれ独立に１から３の整数を表す。ｍ３及びｐ３は同じ数であるのが好ましく、両者が共に１であるのがより好ましい。
【０４８０】
一般式（３）における置換位置が特定されていない、スルホ基の置換位置は特に制限されず、アゾ基に対してオルト位、メタ位又はパラ位の何れでもよいが、好ましくはパラ位である。
【０４８１】
上記のＲＣ、ｎ３、ｘ３、ｍ３及びｐ３のうち、好ましいものを組み合せた化合物はより好ましく、より好ましいものを組み合せた化合物は更に好ましい。好ましいものと、より好ましいものとの組み合わせ等についても同様である。
【０４８２】
一般式（３）で表される化合物は、ＲＣがメチル基であり、ｎ３が１であり、ｘ３が３であり、ｍ３及びｐ３が１である下記式（３−１）であることが好ましい。
一般式（３−１）：
【０４８３】
【化７０】
0005835965.tif 000087
【０４８４】
一般式（３）の化合物は遊離酸、あるいはその塩としても存在する。一般式（３）の化合物の塩としては、無機又は有機の陽イオンとの塩が挙げられる。無機陽イオンの塩の具体例としてはアルカリ金属塩、例えばリチウム塩、ナトリウム塩、カリウム塩などの塩、及びアンモニウム塩が挙げられる。また、有機の陽イオンとしては、たとえば下記一般式
（３―Ａ）で表される４級アンモニウムが挙げられるがこれらに限定されるものではない。一般式（３―Ａ）：
【０４８５】
【化７１】
0005835965.tif 000088
【０４８６】
上記一般式（３―Ａ）中、ＺＣ１〜ＺＣ４はそれぞれ独立に水素原子、炭素数１〜４のアルキル基、ヒドロキシアルキル基（炭素数１〜４）又はヒドロキシアルコキシ（炭素数１〜４）アルキル基（炭素数１〜４）を表わし、ＺＣ１〜ＺＣ４の少なくとも１つは水素原子以外の基である。
【０４８７】
ここで、ＺＣ１〜ＺＣ４における上記アルキル基の例としてはメチル、エチル等があげられ、同じく上記ヒドロキシアルキル基の例としてはヒドロキシメチル、ヒドロキシエチル、３−ヒドロキシプロピル、２−ヒドロキシプロピル、４−ヒドロキシブチル、３−ヒドロキシブチル、２−ヒドロキシブチル等があげられ、更に上記ヒドロキシアルコキシアルキル基の例としては、ヒドロキシエトキシメチル、２−ヒドロキシエトキシエチル、３−（ヒドロキシエトキシ）プロピル、３−（ヒドロキシエトキシ）ブチル、２−（ヒドロキシエトキシ）ブチル等が挙げられる。
【０４８８】
前記塩のうち好ましいものは、ナトリウム、カリウム、リチウム等のアルカリ金属塩；モノエタノールアミン、ジエタノールアミン、トリエタノールアミン、モノイソプロパノールアミン、ジイソプロパノールアミン、トリイソプロパノールアミンの塩等の有機の４級アンモニウム塩；及び、アンモニウム塩；等が挙げられる。これらのうち、より好ましくは、リチウム塩、ナトリウム塩、及びアンモニウム塩であり、アンモニウム塩が更に好ましい。
【０４８９】
当業者においては明らかなように、前記一般式（３）の化合物の塩又は遊離酸は、例えば、特開２０１０−１８４９８５号公報に記載の方法などにより容易に得ることができる。
【０４９０】
次に本発明の上記一般式（３）の化合物の具体例を下記表に示す。下表において、カルボキシ基及びスルホ基等の酸性官能基は、遊離酸の形で表す。なお、表中、「Ｍｅ」はメチル基を表し、ｎ３、ｘ３、ｍ３及びｐ３は、一般式（３）におけるのと同じ意味を表す。
【０４９１】
【表３】
0005835965.tif 000089
【０４９２】
【表４】
0005835965.tif 000090
【０４９３】
【表５】
0005835965.tif 000091
【０４９４】
本発明の前記一般式（３）の化合物は、反応終了後、塩酸などの鉱酸の添加により固体の遊離酸として単離する事ができ、得られた遊離酸の固体を水又は例えば塩酸水などの酸性水で洗浄することなどにより、不純物として含有する無機塩（無機不純物）、例えば塩化ナトリウムや硫酸ナトリウムなどを除去することができる。
上記のようにして得られる本発明の化合物の遊離酸は、前記の通り、得られたウェットケーキを、水中で所望の無機又は有機塩基と処理することにより、対応する化合物の塩の溶液を得ることができる。
無機塩基としては、例えば水酸化リチウム、水酸化ナトリウム、水酸化カリウムなどのアルカリ金属の水酸化物；炭酸リチウム、炭酸ナトリウム、炭酸カリウムなどのアルカリ金属の炭酸塩；及び水酸化アンモニウム（アンモニア水）などが挙げられる。
有機塩基の例としては、例えば前記一般式（３―Ａ）で表される４級アンモニウムに対応する有機アミン、例えばジエタノールアミン、トリエタノールアミンなどのアルカノールアミンなどが挙げられるがこれらに限定されるものではない。
【０４９５】
一般式（４）：
【０４９６】
【化７２】
0005835965.tif 000092
【０４９７】
（一般式（４）中、ｎは１又は２、ｘは２から４の整数、Ａは下記式（Ａ−１）〜（Ａ−３）のいずれか１つで表される二価の結合基を示す。）
【０４９８】
【化７３】
0005835965.tif 000093
【０４９９】
式（Ａ−２）：
【０５００】
【化７４】
0005835965.tif 000094
【０５０１】
式（Ａ−３）：
【０５０２】
【化７５】
0005835965.tif 000095
【０５０３】
（式（Ａ−１）及び（Ａ−３）中、ｙは２から６の整数、ｗは１から４の整数を示す。）
【０５０４】
一般式（４）で表される化合物について、詳細に説明する。
一般式（４）中、ｎは１又は２、ｘは２から４の整数、Ａは上記式（Ａ−１）〜（Ａ−３）のいずれか１つで表される二価の結合基を示す。
【０５０５】
一般式（４）においてｎは１又は２を表し、好ましくは１である。また、−（ＣＯ２Ｈ）ｎで表されるカルボキシ基の置換位置は、アゾ基に対して、オルト位、メタ位、パラ位の何れでもよいが、メタ位がより好ましい。
ｘは２から４の整数を表し、好ましくは３である。
【０５０６】
一般式（４）におけるＡが、上記式（Ａ−１）である場合、式（Ａ−１）中のｙは２から６の整数を示す。好ましくは２から４であり、特に好ましくは２である。
【０５０７】
一般式（４）におけるＡが、上記式（Ａ−３）である場合、式（Ａ−３）中のｗは１から４の整数を示す。好ましくは３又は４である。
【０５０８】
一般式（４）におけるＡとして、上記式（Ａ−１）〜（Ａ−３）の中では、上記式（Ａ−２）がより好ましい。
また、上記のｎ、ｘ及びＡの何れか一つの好ましいものと他のものとは組み合わせは好ましく、何れか２者の好ましいもの同士を組合わせた化合物はより好ましく、３者の好ましいものを組み合わせたものは最も好ましい。
【０５０９】
一般式（４）で表される化合物は、下記式（４−１）であることが好ましい。
式（４−１）：
【０５１０】
【化７６】
0005835965.tif 000096
【０５１１】
上記の組合せの中でも、特に好ましい組合せの一般式（４）の化合物は、上記式（４−１）の化合物である。
【０５１２】
上記一般式（４）の化合物は遊離酸、あるいはその塩としても存在する。上記一般式（４）の化合物の塩としては、無機又は有機の陽イオンとの塩が挙げられる。無機陽イオンとの塩の具体例としてはアルカリ金属塩、例えばリチウム塩、ナトリウム塩、カリウム塩などの塩が挙げられる。また、有機の陽イオンとしては、たとえば上述の一般式（３−Ａ）で表される化合物の塩が挙げられるがこれらに限定されるものではない。
【０５１３】
当業者においては明らかなように、上記一般式（４）の化合物の塩は、例えば、国際公開第２００８／１４２９８９号に記載の方法などにより容易に得ることができる。
【０５１４】
次に前記一般式（４）で表される色素の具体例を下表に示す。下表において、カルボキシ及びスルホ等の酸は、遊離酸の形で表す。
【０５１５】
【表６】
0005835965.tif 000097
【０５１６】
【表７】
0005835965.tif 000098
【０５１７】
【表８】
0005835965.tif 000099
【０５１８】
【表９】
0005835965.tif 000100
【０５１９】
【表１０】
0005835965.tif 000101
【０５２０】
【表１１】
0005835965.tif 000102
【０５２１】
【表１２】
0005835965.tif 000103
【０５２２】
上記一般式（４）の色素は、カップリング反応後、塩酸などの鉱酸の添加により固体の遊離酸として単離する事ができ、得られた遊離酸の固体を水又は例えば塩酸水などの酸性水で洗浄することなどにより、不純物として含有する無機塩、例えば塩化ナトリウムや硫酸ナトリウムなどを除去することができる。
上記のようにして得られる本発明の色素の遊離酸は、前記のように、得られたウエットケーキを、水中で所望の無機又は有機塩基と処理することにより、対応する色素の塩の溶液を得ることができるが、インク、特にインクジェット用インクの色素溶液としたいときには、水の代わりに水性媒体を使用することも出来る。なお水性媒体とは、通常の場合、水溶性の有機溶剤と水との混合溶液を意味する。しかし通常有機溶剤とは分類されないが、例えば尿素などのように水との混合により水溶液となり、染料の溶解性を向上させ、本発明のインク組成物の障害とならない化合物については上記の塩基処理の媒体として使用が可能である。従ってこのような物質の水溶液を含めて、本明細書中では水性媒体と表記する。なお、インク組成物においては、尿素については一般的には染料溶解剤として分類される。
【０５２３】
無機塩基としては、例えば水酸化リチウム、水酸化ナトリウム、水酸化カリウムなどのアルカリ金属の水酸化物、あるいは炭酸リチウム、炭酸ナトリウム、炭酸カリウムなどのアルカリ金属の炭酸塩、及び水酸化アンモニウムなどが挙げられる。
有機塩基の例としては、例えば前記式（４−Ａ）で表される有機アミンの塩、例えばジエタノールアミン、トリエタノールアミンなどのアルカノールアミンの塩などが挙げられるがこれらに限定されるものではない。
【０５２４】
一般式（５）：
【０５２５】
【化７７】
0005835965.tif 000104
【０５２６】
（一般式（５）中、ＡＥ１及びＡＥ２は各々独立して、置換されていてよいフェニル基又はナフチル基であり；各ＱＥは独立して、置換されていてよいフェニレン基であり；各ＲＥ１は独立して、Ｈ又は置換されていてよいアルキル基であり；ＲＥ２は、Ｈ又は置換されていてよいアルキル基であり；ＲＥ３は、スルホ基を有するアルキル基であり；但し、一般式（５）の化合物は、少なくとも１つのカルボン酸基を有し；但し、一般式（５）の化合物は、
一般式（Ｂ−１）：
【０５２７】
【化７８】
0005835965.tif 000105
【０５２８】
ここで、ｍ５は１又は２であり；ｎ５は１又は２であり；ｘ５は２〜４である；の化合物ではない。）
【０５２９】
一般式（５）の１具体例においては、ＡＥ１及びＡＥ２は互いに同じである。
一般式（５）のさらなる具体例においては、ＡＥ１及びＡＥ２は互いに異なる。
好適な具体例においては、ＡＥ１及びＡＥ２のうちの１つは、置換されていてよいナフチル基であり、他のものは置換されていてよいフェニル基である。
【０５３０】
別の好適な具体例においては、ＡＥ１及びＡＥ２のうちの１つは少なくとも１つのカルボン酸基を有し、他のものはカルボン酸基を含まない。
一般式（Ｂ−１）の化合物においては、ｍ５、ｎ５及びｘ５は好ましくは２である。
【０５３１】
好ましい塩類は、アルカリ金属塩類（特にリチウム、ナトリウム及びカリウム塩類）、アンモニウム及び置換アンモニウム塩類並びにこれらの混合物である。特に好ましい塩類は、ナトリウム、カリウム及びリチウム塩、アンモニア及び揮発性アミン類を有する塩類並びにこれらの混合物である。リチウム塩類は良好な溶解度を有し、低い毒性及びインクジェットノズルを閉塞させる低い傾向を有し特に貯蔵安定なインクを形成する。
【０５３２】
本化合物を、周知の技術を使用して所望の塩へと転換してよい。例えば、化合物のアルカリ金属塩を水中に溶解させ、鉱酸を用いて酸性化し、アンモニア又はアミンを用いて溶液のｐＨをｐＨ９〜９．５に調節し、透析によるか又はイオン交換樹脂の使用によってアルカリ金属陽イオンを除去することで、化合物のアルカリ金属塩をアンモニウム又は置換アンモニア塩へと転換してよい。
【０５３３】
このような塩類を形成するために使用してよいアミン類の例としては、メチルアミン、ジメチルアミン、トリメチルアミン、エチルアミン、ｎ−プロピルアミン、イソ−プロピルアミン、ｎ−ブチルアミン、イソ−ブチルアミン、ｓｅｃ−ブチルアミン、ｔｅｒｔ−ブチルアミン、ピペリジン、ピリジン、モルホリン、アリルアミン、ジエチルアミン、トリエチルアミン、テトラメチルアミン及びこれらの混合物が挙げられる。染料が完全にアンモニウム塩又は置換アンモニウム塩の形態であることは必須ではなく、混合アルカリ金属及びアンモニウム塩又は置換アンモニウム塩、特に陽イオンの少なくとも５０％がアンモニウム又は置換アンモニウムイオンであるものが有効である。
【０５３４】
上記の化合物は好ましくは黄色染料である。
一般式（５）の化合物は、例えば、特表２００５−５３３１４７号公報に記載の方法により合成できる。
【０５３５】
一般式（６）：
【０５３６】
【化７９】
0005835965.tif 000106
【０５３７】
（一般式（６）中、各ＳＦ１、ＳＦ２、ＳＦ３及びＳＦ４は、独立して水分散性置換基以外の置換基であり；各ＷＦ１、ＷＦ２、ＷＦ３及びＷＦ４は、独立して水分散性置換基であり；ａ６、ｂ６、ｃ６及びｄ６は、それぞれ独立して０〜４であり；ｍ６、ｎ６、ｏ６及びｐ６は、それぞれ独立して０〜４であり；
（ａ６＋ｍ６）は、０〜４の値を有し；
（ｂ６＋ｎ６）は、０〜４の値を有し；
（ｃ６＋ｏ６）は、０〜４の値を有し；
（ｄ６＋ｐ６）は、０〜４の値を有し；そして
（ｎ６＋ｏ６）は、１〜８の値を有する）
【０５３８】
ＷＦ１、ＷＦ２、ＷＦ３及びＷＦ４で表される水分散性置換基は、一般式（６）の化合物又はその塩の水を含む液体媒質中での分散性を促進する傾向のあるどのような置換基でもよい。特に好ましい置換基は、一般式（６）の化合物の水中における分散性を促進する傾向のあるものである。
【０５３９】
好ましくは、水分散性置換基は非イオン及び／又はイオン基であるか、あるいはそれを含み、より好ましくは、水分散性置換基はイオン基であるか、あるいはそれを含み、更に特に、水分散性置換基は陰イオン基であるか、あるいはそれを含む。非イオン水分散性基の例には、ヒドロキシ、ポリエチレンオキシ、及び非置換スルホンアミド（−ＳＯ２ＮＨ２）基が含まれる。
【０５４０】
陰イオン水分散性基の好ましい例は、ホスフェート、カルボキシ及びスルホ基である。遊離酸の形で書かれるとき、これらの基はカルボン酸（−ＣＯ２Ｈ）、スルホン酸（−ＳＯ３Ｈ）及びホスホン酸（−ＰＯ３Ｈ２）である。
【０５４１】
１つの態様では、水分散性置換基は炭素数１〜４のアルキル基及び１つ以上の水分散性基、特にスルホ、ホスフェート、カルボキシ、ヒドロキシ及びポリエチレンオキシ基から選択されるものを含みうる。
【０５４２】
ＷＦ１、ＷＦ２、ＷＦ３及びＷＦ４で表される水分散性置換基の全ては、ホスフェート、カルボキシ及びスルホ置換基からそれぞれ独立して選択されるのが好ましく、水分散性置換基の全てはカルボキシ及びスルホ置換基からそれぞれ独立して選択されるのがより好ましい。水分散性置換基の全てがスルホ置換基であるのが特に好ましい。
【０５４３】
好ましくは、ＷＦ１、ＷＦ２、ＷＦ３及びＷＦ４で表されるどの基も、式−ＳＯ２ＮＨ−ＧＦ（ＧＦは水分散性を付与する置換されたアリール（特にフェニル）基を表す）で表される基ではない。ＧＦはどのようなチオール基でも置換されていないのが特に好ましい。そのような基は加水分解及び酸化に不安定である。
【０５４４】
好ましくは、ＷＦ１、ＷＦ２、ＷＦ３及びＷＦ４で表されるどの基も陽イオン基ではない。好ましくは、一般式（６）の化合物は共有結合した陽イオン基をもたない。
一般式（６）の化合物又はその塩は１つ以上の水分散性置換基を有しうる。この場合、水分散性置換基は異なる種類のものでもよい。例えば、一般式（６）の化合物又はその塩はスルホ及びカルボキシ置換基を共に有していてもよい。しかしながら、全ての水分散性置換基が同じであるのが好ましい。
【０５４５】
好ましくは、（ｎ６＋ｏ６）は１〜４、より好ましくは（ｎ６＋ｏ６）は２であり、特に好ましくはｎ６＝１及びｏ６＝１である。
好ましくは、ＷＦ２及びＷＦ３で集合的に表される水分散性置換基の少なくとも１つはアゾ基に対してオルト位置にある。
【０５４６】
より好ましくは、ＷＦ２で表される水分散性置換基の少なくとも１つはフェニレン環に結合したアゾ基に対してオルト位置にあり、そしてＷＦ３で表される水分散性置換基の少なくとも１つは他のフェニレン環に結合したアゾ基に対してオルト位置にある。
【０５４７】
１つの態様では、（ｍ６＋ｐ６）は１〜４であり、この態様では、ｍ６＝１及びｐ６＝１であるのが好ましい。
好ましくは、（ｍ６＋ｎ６＋ｏ６＋ｐ６）は１〜４であり、より好ましくは、２〜４、特に２又は４である。これは、とりわけ水性インクに対して、特に良好な可溶特性をもたらす。
【０５４８】
ＳＦ１、ＳＦ２、ＳＦ３及びＳＦ４で表される任意の置換基は、上記の水分散性置換基以外のどのような置換基でもよい。
好ましい任意の置換基には、置換されていてよいアルキル、アルコキシ、アミド、エステル、ケトン及びチオエーテル、ハロ、ニトロ、シアノ、アゾ及びＣＦ３基が含まれる。
【０５４９】
好ましくは、置換されていてよいアルキル基は置換されていてよい炭素数１〜８のアルキル基、より好ましくは、置換されていてよい炭素数１〜４のアルキル基、特に非置換メチルである。好ましくは、置換されていてよいアルコキシ基は置換されていてよい炭素数１〜８のアルコキシ基、より好ましくは、置換されていてよい炭素数１〜４のアルコキシ基である。
【０５５０】
好ましくは、置換されていてよいアミド基は、式−ＮＨＣ（Ｏ）ＮＲＦ１ＲＦ２、−Ｃ
（Ｏ）ＮＲＦ１ＲＦ２、−Ｓ（Ｏ）２ＮＲＦ１ＲＦ２、−ＮＨＣ（Ｏ）ＲＦ３を有する基であり、ここで、ＲＦ１、ＲＦ２及びＲＦ３は、それぞれ独立してＨ又は置換されていてよいアルキル、アリール又はヘテロアリールであるか、あるいはＲＦ１及びＲＦ２はそれらが結合した窒素原子と一緒になって置換されていてよい５−又は６−員環（例えば、ピペリジン、ピロリドン、ピリジン、ピペリジン又はモルホリン環）を形成する。−Ｓ（Ｏ）２ＮＲＦ１ＲＦ２基の場合、ＲＦ１及びＲＦ２は共にＨではない。
【０５５１】
好ましい置換されていてよいエステル基は式−Ｃ（Ｏ）ＯＲＦ４又は−Ｓ（Ｏ）２ＯＲＦ４を有し、ここで、ＲＦ４は置換されていてよいアルキル、アリール又はヘテロアリールである。
【０５５２】
好ましい置換されていてよいケトン基は式−Ｃ（Ｏ）ＲＦ４を有し、ここで、ＲＦ４は上記定義どおりである。
好ましい置換されていてよいチオエーテル基は式−ＳＲＦ４を有し、ここで、ＲＦ４は上記定義どおりである。
【０５５３】
ＲＦ１、ＲＦ２、ＲＦ３及びＲＦ４で表される基の１つ以上が置換されていてよいアルキル基であるとき、各基は、好ましくは独立して置換されていてよい炭素数１〜８のアルキル基、より好ましくは置換されていてよい炭素数１〜４のアルキル基である。
【０５５４】
ＲＦ１、ＲＦ２、ＲＦ３及びＲＦ４で表される基の１つ以上が置換されていてよいアリール基であるとき、各基は、好ましくは独立して置換されていてよいフェニル又はナフチル基、より好ましくは置換されていてよいフェニル基である。
【０５５５】
置換されていてよいアリール、ヘテロアリール、アルキル、アルコキシ、アミド、エステル、ケトン又はチオエーテル置換基は、１つ以上のハロ、炭素数１〜４のアルコキシ、シアノ及びニトロ基で置換されていてもよい。
【０５５６】
好ましいハロ基はＣｌ、Ｆ及びＢｒである。
好ましくは、（ａ６＋ｂ６＋ｃ６＋ｄ６）は０〜４、より好ましくは０〜２である。
好ましくは、（ｍ６＋ｎ６＋ｏ６＋ｐ６）≧（ａ６＋ｂ６＋ｃ６＋ｄ６）、より好ましくは、（ｍ６＋ｎ６＋ｏ６＋ｐ６）−（ａ６＋ｂ６＋ｃ６＋ｄ６）は少なくとも１、特に少なくとも２である。このようにして、水分散性基は、非水分散性置換基が存在するときでも一般式（６）の化合物又はその塩に全体的な水分散性（特に水溶性）を提供する。
【０５５７】
好ましくは、（ｍ６＋ｎ６＋ｏ６＋ｐ６）−（ａ６＋ｂ６＋ｃ６＋ｄ６）は多くても４、より好ましくは、多くても２である。このようにして、化合物又はその塩の耐水堅牢性が改善される。好ましい態様では、一般式（６）の化合物又はその塩は式（６−２）若しくは（６−３）の化合物又はそれらの塩である：
式（６−２）：
【０５５８】
【化８０】
0005835965.tif 000107
【０５５９】
式（６−３）：
【０５６０】
【化８１】
0005835965.tif 000108
【０５６１】
式（６−２）若しくは（６−３）の化合物は特に高い溶解性、良好な耐オゾン及び耐光堅牢性を有し、そしてインクジェット印刷インクの要件に特に合っている。
一般式（７）：
【０５６２】
【化８２】
0005835965.tif 000109
【０５６３】
一般式（８）：
【０５６４】
【化８３】
0005835965.tif 000110
【０５６５】
（一般式（７）及び（８）中、ＡＧは、アリール又はヘテロアリール基であるか、あるいはアリール又はヘテロアリール基を含む基であり；ＱＧ１及びＱＧ２は、それぞれ独立して置換されていてよいフェニレン基であり；ＲＧ１、ＲＧ２、ＲＧａ及びＲＧｂは、それぞれ独立してＨ、置換されていてよいアルキル基、置換されていてよいアリール基又は置換されていてよいアリールアルキル基であり；各ＷＧ１、ＷＧ２、ＷＧ３及びＷＧ４は、独立して−ＣＯ２Ｈ、−ＳＯ３Ｈ、−ＰＯ３Ｈ２基、又は−ＣＯ２Ｈ、−ＳＯ３Ｈ、−ＰＯ３Ｈ２から選択される１つ以上の基で置換されたアルキル基であり；各ＳＧ１、ＳＧ２、ＳＧ３及びＳＧ４は、独立してＷＧ１、ＷＧ２、ＷＧ３及びＷＧ４で定義された基以外の置換基であり；ａ７及びｄ７は、それぞれ独立して１〜５であり；ｂ７及びｃ７は、それぞれ独立して０〜４であり；
（ａ７＋ｂ７）は、１〜５の値であり；
（ｃ７＋ｄ７）は、１〜５の値であり；ｅ７及びｈ７は、それぞれ独立して１〜７であり；ｆ７及びｇ７は、それぞれ独立して０〜６であり；
（ｅ７＋ｆ７）は、１〜７の値を有し；かつ
（ｇ７＋ｈ７）は、１〜７の値を有する。）
【０５６６】
一般式（７）において、ｂ７及びｃ７はそれぞれ独立して、好ましくは０、１又は２、より好ましくは０又は１である。
一般式（７）において、ａ７及びｄ７はそれぞれ独立して、好ましくは１、２又は３、より好ましくは１又は２である。
【０５６７】
（ａ７＋ｂ７）は、好ましくは１、２又は３、より好ましくは１又は２である。（ｃ７＋ｄ７）は、好ましくは１、２又は３、より好ましくは２又は３である。
一般式（７）の化合物又はその塩はモノアゾ化合物（すなわち、アゾ（−Ｎ＝Ｎ−）基を１つだけ含む）であるのが好ましい。
【０５６８】
１つの態様では、ＡＧはアリール基、より好ましくはナフチル又はフェニル基、特にフェニル基である。
別の態様では、ＡＧはインダニル基、より好ましくは式（１ａ）のインダニル基である：
【０５６９】
【化８４】
0005835965.tif 000111
【０５７０】
（式中、星印は、一般式（７）の化合物におけるアゾ基の結合位置を表す）。
好ましくは、各ＷＧ１及び各ＷＧ２は独立して−ＣＯ２Ｈ、−ＳＯ３Ｈ、−ＰＯ３Ｈ２、又は−ＣＯ２Ｈ、−ＳＯ３Ｈ、−ＰＯ３Ｈ２から選択される１、２又は３つ（より好ましくは１つ）の基で置換された炭素数１〜１０のアルキル（より好ましくは炭素数１〜６のアルキル）である。
【０５７１】
より好ましくは、各ＷＧ１及び各ＷＧ２は独立して−ＣＯ２Ｈ、−ＳＯ３Ｈ、又は−ＣＯ２Ｈ若しくは−ＳＯ３Ｈで置換された炭素数１〜６のアルキルである。各ＷＧ１は独立して−ＣＯ２Ｈ又は−ＳＯ３Ｈであるのが特に好ましい。
【０５７２】
各ＷＧ２は−ＣＯ２Ｈであるのが特に好ましい。
好ましくは、少なくとも１つのＷＧ１は、アゾ基（−Ｎ＝Ｎ−）に対してオルト位置で結合している。
【０５７３】
好ましくは、ＳＧ１及びＳＧ２は、それぞれ独立して、置換されていてよいアリール、置換されていてよいアラルキル、ハロゲン（特に、Ｆ及びＣｌ）、ニトロ、シアノ、−ＣＦ３、−ＯＲＧ３、−ＮＲＧ４ＲＧ５、−ＳＲＧ６、−Ｃ（Ｏ）ＲＧ７、−Ｃ（Ｏ）ＯＲＧ８、−ＳＯ２ＲＧ９、−ＳＯＲＧ１０；−ＳＯ３Ｈ、−ＣＯ２Ｈ、−ＰＯ３Ｈ２以外の基で置換されていてよいアルキル；又は式（１ｂ）の基であり、ここで、
ＲＧ３及びＲＧ６は、それぞれ独立して、Ｈ、置換されていてよいアルキル又は置換されていてよいアリールであり；
ＲＧ４及びＲＧ５は、それぞれ独立して、Ｈ、置換されていてよいアルキル、置換されていてよいアリール、−ＣＯ（炭素数１〜６のアルキル）、−ＣＯＮＨ２であるか、あるいはＲＧ４及びＲＧ５は、それらが結合している窒素と共に５員又は６員環を形成し；
ＲＧ７、ＲＧ８、ＲＧ９及びＲＧ１０は、それぞれ独立して置換されていてよいアルキル又は置換されていてよいアリールであり；
式（１ｂ）の基は
【０５７４】
【化８５】
0005835965.tif 000112
【０５７５】
である。
（式中、ＬＧ１及びＬＧ２は、それぞれ独立して−ＯＲＧ１１、−ＳＲＧ１２又は−ＮＲＧ１３ＲＧ１４であり；ＲＧ１１及びＲＧ１２は、それぞれ独立してＨ、置換されていてよいアリール基又は置換されていてよいアルキル基であり；そしてＲＧ１３及びＲＧ１４は、それぞれ独立してＨ、置換されていてよいアリール基、置換されていてよいアルキル基、−ＣＯ（炭素数１〜６のアルキル基）、−ＣＯＮＨ２であるか、あるいはＲＧ１３及びＲＧ１４は、それらが結合している窒素と共に置換されていてよいモルホリン又はピペラジン環を形成し；ＶＧは、−Ｎ（ＲＧ１５）−又は−Ｓ−であり；ＲＧ１５は、Ｈ、置換されていてよいアルキル基又は置換されていてよいアリール基であり；かつ星印（＊）は、ＡＧで表される基の結合位置を表す。）
好ましい態様では、ＳＧ１及びＳＧ２は、それぞれ独立して、置換されていてよいアリール基、置換されていてよいアラルキル基、ハロゲン（特にＦ及びＣｌ）、ニトロ基、シアノ基、−ＣＦ３、−ＯＲＧ３、−ＮＲＧ４ＲＧ５、−ＳＲＧ６、−Ｃ（Ｏ）ＲＧ７、−Ｃ（Ｏ）ＯＲＧ８、−ＳＯ２ＲＧ９、−ＳＯＲＧ１０；−ＳＯ３Ｈ、−ＣＯ２Ｈ、−ＰＯ３Ｈ２以外の基で置換されていてよいアルキル基であり、ここで、ＲＧ３、ＲＧ４、ＲＧ５、ＲＧ６、ＲＧ７、ＲＧ８、ＲＧ９及びＲＧ１０は上記定義どおりである。
【０５７６】
好ましくは、ＲＧ７、ＲＧ８、ＲＧ９及びＲＧ１０は、それぞれ独立して、置換されていてよいアルキル基である。
ＳＧ１及びＳＧ２のいずれかが置換されていてよいアルキル基であるとき、それは、好ましくは置換されていてよい炭素数１〜１０のアルキル基、より好ましくは−ＯＨ、ニトロ基、シアノ基、ハロゲン（特にＦ又はＣｌ）、アミノ基、−ＮＨ（炭素数１〜４のヒドロキシアルキル基）又は−ＮＨ（炭素数１〜４のアルキル基）で置換されていてよい炭素数１〜６のアルキル基、である。
【０５７７】
ＲＧ３、ＲＧ４、ＲＧ５、ＲＧ６、ＲＧ７、ＲＧ８、ＲＧ９、ＲＧ１０、ＲＧ１１、ＲＧ１２、ＲＧ１３、ＲＧ１４及びＲＧ１５のいずれか１つが置換されていてよいアルキル基であるとき、それは、好ましくは置換されていてよい炭素数１〜１０のアルキル基、より好ましくは置換されていてよい炭素数１〜６のアルキル基である。好ましい任意的な置換基は、−ＯＨ、ニトロ基、シアノ基、アミノ基及びハロゲン（好ましくはＦ又はＣｌ）、より好ましくはＣｌ及び−ＯＨである。
【０５７８】
ＲＧ３、ＲＧ４、ＲＧ５、ＲＧ６、ＲＧ７、ＲＧ８、ＲＧ９、ＲＧ１０、ＲＧ１１、ＲＧ１２、ＲＧ１３、ＲＧ１４及びＲＧ１５のいずれか１つが置換されていてよいアリール基であるとき、それは、好ましくは置換されていてよいフェニル基又は置換されていてよいナフチル基、特に置換されていてよいフェニル基である。好ましい任意的な置換基は、炭素数１〜４のアルコキシ基、（炭素数１〜４のヒドロキシアルコキシ基）−炭素数１〜４のアルコキシ基−、−ＯＨ、−ＣＯ２Ｈ、−ＳＯ３Ｈ、−ＣＦ３、アミノ基、−ＮＨ（炭素数１〜４のアルキル基）、−ＮＨ（炭素数１〜４のヒドロキシアルキル基）、−ＮＨ（−ＣＯ（炭素数１〜４のアルキル基））、ハロゲン（特に、Ｆ又はＣｌ）、ニトロ、−ＣＯ（炭素数１〜４のアルキル基）、−ＳＯ２（炭素数１〜４のアルキル基）、及び−ＯＨ、−ＣＯ２Ｈ、−ＳＯ３Ｈで置換されていてよい炭素数１〜４のアルキル基である。
【０５７９】
ＲＧ４及びＲＧ５が、それらの結合している窒素と共に５員又は６員環を形成する場合、環は置換されていてよいモルホリン又は置換されていてよいピペラジンであることが好ましい。
【０５８０】
ＲＧ４及びＲＧ５が、それらの結合している窒素と共に形成することが可能な環に結合する好ましい任意的な置換基は、−ＯＨ、−ＣＯ２Ｈ、−ＳＯ３Ｈ、炭素数１〜４のアルコキシ基、及び−ＯＨ、−ＣＯ２Ｈ、−ＳＯ３Ｈで置換されていてよい炭素数１〜４のアルキル基から選択される。
【０５８１】
ＲＧ７、ＲＧ８、ＲＧ９及びＲＧ１０は、それぞれ独立して、好ましくは炭素数１〜４のアルキル基、より好ましくはメチル基又はエチル基である。
ＳＧ１及びＳＧ２のいずれか１つがアラルキル基である場合、それは、好ましくは置換されていてよいフェニル基−（アルキレン基）−又は置換されていてよいナフチル基−（アルキレン基）−、より好ましくは置換されていてよいフェニル基−（炭素数１〜６のアルキレン基）−又は置換されていてよいナフチル基−（炭素数１〜６のアルキレン基）−である。アラルキル基に結合する好ましい任意的な置換基は、アリール基について上に列挙したもの、より好ましくは炭素数１〜４のアルキル基、炭素数１〜４のアルコキシ基、−ＳＯ３Ｈ、−ＣＯ２Ｈ、アミノ基、ニトロ基、Ｆ又はＣｌである。
【０５８２】
好ましくは、各ＳＧ１及び各ＳＧ２は−ＣＯ２Ｈ、−ＳＯ３Ｈ及び−ＰＯ３Ｈ２基をもたない。
好ましくは、各ＳＧ１及びＳＧ２は独立して炭素数１〜４のアルキル基又は炭素数１〜４のアルコキシ基である。
【０５８３】
好ましくは、ｃ７は０〜３、より好ましくは、ｃ７は０である。
好ましくは、ｂ７は０〜３、より好ましくは、ｂ７は０である。
好ましくは、ＲＧ１は、Ｈ、置換されていてよい炭素数１〜１０のアルキル基、置換されていてよいフェニル基又は置換されていてよいフェニル基−（炭素数１〜６のアルキレン基）−、より好ましくはＨ、フェニル基、又はＯＨ、−ＳＯ３Ｈ若しくは−ＣＯ２Ｈ、で置換されていてよい炭素数１〜６のアルキル基、特にＨ又は炭素数１〜４のアルキル基、とりわけ特にＨである。
【０５８４】
好ましくは、ＲＧ２は、置換されていてよい炭素数１〜１０のアルキル基、置換されていてよいフェニル基、より好ましくはフェニル基、又は−ＯＨ、−ＣＯ２Ｈ若しくは−ＳＯ３Ｈで置換されていてよい炭素数１〜６のアルキル基、特に炭素数１〜４のアルキル基、とりわけ特にメチル基又はエチル基である。
ＲＧ２がメチル基であることが最も好ましい。
【０５８５】
一般式（７）の好ましい化合物又はその塩において、
ＡＧは、上記定義のとおりであり；
各ＷＧ１及び各ＷＧ２は、独立して−ＣＯ２Ｈ、−ＳＯ３Ｈ、又は−ＣＯ２Ｈ若しくは−ＳＯ３Ｈ基で置換された炭素数１〜６のアルキル基であり；
各ＳＧ１及びＳＧ２は、独立して炭素数１〜６のアルキル基、フェニル基、ニトロ基、ハロ（特にＦ及びＣｌ）、シアノ基、−ＣＦ３、−ＮＨ２、炭素数１〜６のアルコキシ基、−ＳＣ１−６アルキル基（炭素数１〜６のアルキルチオ基）、−ＯＨで置換された−Ｃ１−６アルキル基（水酸基で置換された炭素数１〜６のアルキル基）又は−ＮＨＣ（Ｏ）Ｃ１−６アルキル基（アルキル部分の炭素数が１〜６のアルキルアミド基）であり；
ＲＧ１は、Ｈ、又は−ＯＨ、−ＳＯ３Ｈ又は−ＣＯ２Ｈ、で置換されていてよい炭素数１〜６のアルキル基であり；
ＲＧ２は炭素数１〜４のアルキル基であり；
ａ７及びｄ７は、それぞれ独立して１又は２であり；
ｂ７及びｃ７は、それぞれ独立して０、１又は２である。
【０５８６】
好ましくは、ＷＧ２は−ＣＯ２Ｈである。
好ましくは、各ＷＧ１は独立して−ＣＯ２Ｈ又は−ＳＯ３Ｈである。
好ましくは、ＲＧ１は、Ｈ又は炭素数１〜４のアルキル基、より好ましくはＨである。
【０５８７】
好ましくは、ＲＧ２はメチル基又はエチル基、より好ましくはメチル基である。
ａ７が１であり、かつ、ＷＧ２が、ピリジニウム環に３位で結合している−ＣＯ２Ｈであることが特に好ましい。
【０５８８】
好ましくは、ＡＧはフェニル基又はインダニル基である。
一般式（７）の化合物又はその塩は、式（７―３）の化合物又はその塩である：
式（７―３）：
【０５８９】
【化８６】
0005835965.tif 000113
【０５９０】
式（７―３）の化合物は、特に鮮やかな黄色及び高い彩度を有し、また特に良好な耐光堅牢性を示す。
１つの態様では、一般式（７）の化合物又はその塩は、式（１ｃ）の化合物又はその塩である：
式（１ｃ）：
【０５９１】
【化８７】
0005835965.tif 000114
【０５９２】
（式中、ＷＧ１、ＷＧ２、ＳＧ１、ＳＧ２、ＲＧ１及びＲＧ２、ａ７、ｂ７、ｃ７及びｄ７は上記定義のとおりである）。
【０５９３】
好ましくは、ｄ７は１〜３であり、ｃ７は０〜３であり、（ｃ７＋ｄ７）は１〜３である。この態様では、各ＷＧ１及び各ＳＧ１で表される全ての基は、式（１ｃ）の化合物中に存在するベンジル環に結合していることが好ましい。
【０５９４】
好ましくは、各ＳＧ１は、独立して、それぞれが−ＯＨで任意に置換されている炭素数１〜６のアルキル基又は炭素数１〜６のアルコキシ基である。
式（１ｃ）において、ｃ７は０であることが好ましい。好ましくは、ｄ７は１又は２である。
式（１ｃ）において、ｃ７が０であり、ａ７が１又は２であり、そして少なくとも１つのＷＧ１が式（１ｃ）中のアゾ基に対してオルトにあるのが特に好ましい。
【０５９５】
一般式（７）の化合物又はその塩は、米国特許第６，４８８，７５２号の第５欄に記載の合成法によって製造しうる。
式（７―３）の化合物又はその塩は、米国特許第６，４８８，７５２号の第１０欄で始まる実施例１に記載のような方法によって製造することができる。
【０５９６】
一般式（８）の化合物又はその塩は２つのアゾ基のみを含むことが好ましい。好ましくは、一般式（８）の化合物又はその塩中に存在するナフチル基の一方又は両方は、一般式（８）の化合物中に存在するアゾ基に対して２−ナフチル位置で結合している。
【０５９７】
従って、一般式（８）の好ましい化合物又はその塩は、式（２ａ）の化合物又はその塩である。
【０５９８】
【化８８】
0005835965.tif 000115
【０５９９】
（式中、ＱＧ１、ＱＧ２、ＷＧ３、ＷＧ４、ＳＧ３、ＳＧ４、ＲＧａ、ＲＧｂ、ｅ７、ｆ７、ｇ７及びｈ７は上記定義のとおりである。）ＱＧ１は、式（２ａ）の化合物中に存在する−Ｎ＝Ｎ−基及び−ＮＲＧａ−基にパラ結合しているフェニレン基であることが好ましい。
【０６００】
同様に、ＱＧ２は、式（２ａ）の化合物中に存在する−Ｎ＝Ｎ−基及び−ＮＲＧｂ−基にパラ結合しているフェニレン基であることが好ましい。ＱＧ１及びＱＧ２は、ＷＧ１及びＳＧ１について上に定義したいずれかの基からそれぞれ独立して選択される１〜４個の基（より好ましくは１又は２個の基）で置換されていてよい。
【０６０１】
好ましくは、ＱＧ１及びＱＧ２は、−ＣＯ２Ｈ、−ＳＯ３Ｈ及び−ＰＯ３Ｈ２基をどれも含まない。
好ましくは、ＱＧ１及びＱＧ２は、それぞれ独立して炭素数１〜６のアルキル基、炭素数１〜６のアルコキシ基、−Ｃ（Ｏ）ＯＣ１−６アルキル基（アルキル部分の炭素数が１〜６のアルキルエステル基）及び−Ｃ（Ｏ）ＮＨＣ１−６アルキル基（アルキル部分の炭素数が１〜６のアルキルアミド基）から選択される１つ又は２つの基で置換されている。
【０６０２】
好ましくは、ＱＧ１及びＱＧ２は少なくとも１つの炭素数１〜６のアルキル基、より好ましくは少なくとも１つのメチル基で置換されている。好ましくは、炭素数１〜６のアルキル基は、式（２ａ）の化合物中のアゾ（−Ｎ＝Ｎ−）基に対してオルトの位置でＱ１及びＱ２中に存在する。
【０６０３】
好ましくは、ＱＧ１は式（２ｂ）の基である。
【０６０４】
【化８９】
0005835965.tif 000116
【０６０５】
（式中、ＲＧ１６はＨ又はメチル基であり；星印（＊）はアゾ基の結合位置を表し、ナンバー（＃）記号は式（２ａ）の化合物に存在する−ＮＲＧａ−基の結合位置を表す。）同様に、ＱＧ２は、好ましくは式（２ｃ）の基である。
【０６０６】
【化９０】
0005835965.tif 000117
【０６０７】
（式中、ＲＧ１７は、Ｈ又はメチル基であり；星印（＊）はアゾ基の結合位置を表し、ナンバー（＃）記号は式（２ａ）の化合物中に存在する−ＮＲＧｂ−基の結合位置を表す。）ＲＧａ及びＲＧｂは、それぞれ独立して、ＲＧ１について上に定義したとおりの基であってよい。
【０６０８】
好ましくは、ＲＧａ及びＲＧｂは、それぞれ独立して、Ｈ、又は１〜３個（特に１個）の−ＣＯ２Ｈ、−ＯＨ又は−ＳＯ３Ｈで置換されていてよい炭素数１〜６のアルキル基である。
好ましくは、ＲＧａ及びＲＧｂはＨである。
【０６０９】
好ましくは、ｈ７は１、２又は３、より好ましくは２である。
好ましくは、ｅ７は１、２又は３、より好ましくは２である。
ＷＧ３又はＷＧ４が、−ＣＯ２Ｈ、−ＳＯ３Ｈ及び−ＰＯ３Ｈ２から選択される１以上の基で置換されたアルキル基であるとき、アルキル基は炭素数１〜６のアルキル基であることが好ましい。
【０６１０】
好ましくは、ＷＧ３及びＷＧ４は、それぞれ独立して、−ＣＯ２Ｈ、−ＰＯ３Ｈ２又は−ＳＯ３Ｈであり、より好ましくは、ＷＧ３及びＷＧ４は−ＳＯ３Ｈである。好ましくは、一般式（８）の化合物又はその塩中に存在するナフチル基の一方又は両方は式（２ｄ）の基である。
【０６１１】
【化９１】
0005835965.tif 000118
【０６１２】
（式中、星印（＊）は、一般式（８）の化合物中のアゾ基の結合位置を表す。）
好ましくは、ｆ７は０、１又は２、より好ましくは０である。
好ましくは、ｇ７は０、１又は２、より好ましくは０である。
【０６１３】
好ましくは、ｆ７及びｇ７は共に０である。
ＳＧ３又はＳＧ４は、それぞれ独立して、ＳＧ１について前に定義したとおりの基であってよい。
【０６１４】
一般式（８）の好ましい化合物又はその塩において、
各ＷＧ１又はＷＧ２は、独立して、−ＣＯ２Ｈ、−ＰＯ３Ｈ２又は−ＳＯ３Ｈであり；
各ＳＧ３及びＳＧ４は、独立して、炭素数１〜４のアルキル又は炭素数１〜４のアルコキシであり：
ｅ７及びｈ７は、それぞれ独立して、１、２又は３であり；
ｆ７及びｇ７は、それぞれ独立して、０、１又は２である。
【０６１５】
一般式（８）の化合物又はその塩は、式（８−４）の化合物又はその塩であることが最も好ましい。
式（８−４）：
【０６１６】
【化９２】
0005835965.tif 000119
【０６１７】
一般式（１）〜（８）で表される化合物は、色再現性の観点から、水溶液中で３８０〜４９０ｎｍの最大吸収波長（λｍａｘ）を有することが好ましく、４００〜４８０ｎｍのλｍａｘを有することが更に好ましく、４２０〜４６０ｎｍにλｍａｘを有することが特に好ましい。
【０６１８】
また、インク中の第１の染料と、第３の染料との含有量の合計（質量％）が、インク全質量を基準として、１．０質量％以上２０．０質量％以下であることが好ましい。更には、これらの含有量の合計（質量％）が、１．５質量％以上６．０質量％以下であることが特に好ましい。この範囲とすることで、形成する画像の耐光性、対オゾン性、耐水性が良好となり、色調にも優れ、良好なインクジェット特性を得ることができる傾向にある。
【０６１９】
前記した第１の染料と第３の染料とを特定の質量比で用いることで、相乗効果が発揮され、予測を上回る耐光性、耐オゾン性、色調、受像紙への浸透性、印画物のブロンズ光沢も改良が得られる理由は明確には明らかではないが、本発明者らは以下のように推測している。
【０６２０】
一般式（Ｙ）で表される化合物は、ヘテロ原子を多く含んでおり分子間相互作用が働き易く、もともと水への溶解性が低い。そのため、これらの化合物を含有するインクを記録媒体に付与すると、その直後から速やかに水溶性染料の会合や凝集、或いは受像層構成素材との相互作用も起こり易い。会合や凝集は、画像を形成している記録媒体上の水溶性染料の堅牢性を向上させる傾向があるため好ましいが、一方で、過度の会合や凝集は、化合物本来の耐光性の能力を低下させたり、更に受像紙への浸透性を極度に阻害したりする場合がある。これに対して、一般式（１）〜（８）で表される化合物が堅牢性や浸透性に関して最適な会合や凝集の状態を形成し、受像層構成素材との相互作用をも適度に抑制するため、浸透性や耐ブロンズ性までもが、これにより向上したものと考えられる。
【０６２１】
なお、本発明のインクジェット用インクはイエローインクであるが、イエローインクとして好ましい色調とは、以下の二つのことを意味する。すなわち、イエローインクのみを用いて形成した画像が赤味や緑味を帯びていないことを意味する。更に、これに加えて、イエローインクを用いて形成する２次色の画像、つまりレッド領域やグリーン領域の画像を形成する際に、レッド領域及びグリーン領域の色域をいずれも大きく損失することがない色調を有することを意味する。より具体的には、イエローインクのみを用いて形成した画像の色相角が、８５°以上９２°以下、更には８８°以上９０°以下であることが好ましい。
【０６２２】
本発明のインク組成物（好ましくはインクジェット記録用インク）には、前記一般式（Ｙ）で表されるアゾ染料及び前記一般式（１）〜（８）のいずれかで表される第３の染料とともに、色調を整えるためや性能のバランスをとるために他の染料を併用してもよい。また、フルカラーの画像を得る目的で、本発明のインク組成物とともに他の染料や色素を含むインクを併用してもよい。併用することが出来る染料や色素の例としては以下を挙げることが出来る。
【０６２３】
イエロー染料としては、例えばカップリング成分としてフェノール類、ナフトール類、アニリン類、ピラゾロン類、ピリドン類、開鎖型活性メチレン化合物類を有するアリール若しくはヘテリルアゾ染料；例えばカップリング成分として開鎖型活性メチレン化合物類を有するアゾメチン染料；例えばベンジリデン染料やモノメチンオキソノール染料等のようなメチン染料；例えばナフトキノン染料、アントラキノン染料等のようなキノン系染料などがあり、これ以外の染料種としてはキノフタロン染料、ニトロ・ニトロソ染料、アクリジン染料、アクリジノン染料等を挙げることができる。これらの染料は、クロモフォアの一部が解離して初めてイエローを呈するものであってもよく、その場合のカウンターカチオンはアルカリ金属や、アンモニウムのような無機のカチオンであってもよいし、ピリジニウム、４級アンモニウム塩のような有機のカチオンであってもよく、更にはそれらを部分構造に有するポリマーカチオンであってもよい。
【０６２４】
マゼンタ染料としては、例えばカップリング成分としてフェノール類、ナフトール類、アニリン類を有するアリール若しくはヘテリルアゾ染料；例えばカップリング成分としてピラゾロン類、ピラゾロトリアゾール類を有するアゾメチン染料；例えばアリーリデン染料、スチリル染料、メロシアニン染料、オキソノール染料のようなメチン染料；ジフェニルメタン染料、トリフェニルメタン染料、キサンテン染料のようなカルボニウム染料、例えばナフトキノン、アントラキノン、アントラピリドンなどのようなキノン系染料、例えばジオキサジン染料等のような縮合多環系染料等を挙げることができる。これらの染料は、クロモフォアの一部が解離して初めてマゼンタを呈するものであってもよく、その場合のカウンターカチオンはアルカリ金属や、アンモニウムのような無機のカチオンであってもよいし、ピリジニウム、４級アンモニウム塩のような有機のカチオンであってもよく、更にはそれらを部分構造に有するポリマーカチオンであってもよい。
【０６２５】
シアン染料としては、例えばインドアニリン染料、インドフェノール染料のようなアゾメチン染料；シアニン染料、オキソノール染料、メロシアニン染料のようなポリメチン染料；ジフェニルメタン染料、トリフェニルメタン染料、キサンテン染料のようなカルボニウム染料；フタロシアニン染料；アントラキノン染料；例えばカップリング成分としてフェノール類、ナフトール類、アニリン類を有するアリール若しくはヘテリルアゾ染料、インジゴ・チオインジゴ染料を挙げることができる。これらの染料は、クロモフォアの一部が解離して初めてシアンを呈するものであってもよく、その場合のカウンターカチオンはアルカリ金属や、アンモニウムのような無機のカチオンであってもよいし、ピリジニウム、４級アンモニウム塩のような有機のカチオンであってもよく、更にはそれらを部分構造に有するポリマーカチオンであってもよい。
また、ポリアゾ染料などのブラック染料も使用することができる。
【０６２６】
水溶性染料としては、直接染料、酸性染料、食用染料、塩基性染料、反応性染料等が挙げられる。好ましいものとしては、Ｃ．Ｉ．ダイレクトレッド２、４、９、２３、２６、３１、３９、６２、６３、７２、７５、７６、７９、８０、８１、８３、８４、８９、９２、９５、１１１、１７３、１８４、２０７、２１１、２１２、２１４、２１８、２１、２２３、２２４、２２５、２２６、２２７、２３２、２３３、２４０、２４１、２４２、２４３、２４７Ｃ．Ｉ．ダイレクトバイオレット７、９、４７、４８、５１、６６、９０、９３、９４、９５、９８、１００、１０１Ｃ．Ｉ．ダイレクトイエロー８、９、１１、１２、２７、２８、２９、３３、３５、３９、４１、４４、５０、５３、５８、５９、６８、８６、８７、９３、９５、９６、９８、１００、１０６、１０８、１０９、１１０、１３０、１３２、１４２、１４４、１６１、１６３Ｃ．Ｉ．ダイレクトブルー１、１０、１５、２２、２５、５５、６７、６８、７１、７６、７７、７８、８０、８４、８６、８７、９０、９８、１０６、１０８、１０９、１５１、１５６、１５８、１５９、１６０、１６８、１８９、１９２、１９３、１９４、１９９、２００、２０１、２０２、２０３、２０７、２１１、２１３、２１４、２１８、２２５、２２９、２３６、２３７、２４４、２４８、２４９、２５１、２５２、２６４、２７０、２８０、２８８、２８９、２９１Ｃ．Ｉ．ダイレクトブラック９、１７、１９、２２、３２、５１、５６、６２、６９、７７、８０、９１、９４、９７、１０８、１１２、１１３、１１４、１１７、１１８、１２１、１２２、１２５、１３２、１４６、１５４、１６６、１６８、１７３、１９９Ｃ．Ｉ．アシッドレッド３５、４２、５２、５７、６２、８０、８２、１１１、１１４、１１８、１１９、１２７、１２８、１３１、１４３、１５１、１５４、１５８、２４９、２５４、２５７、２６１、２６３、２６６、２８９、２９９、３０１、３０５、３３６、３３７、３６１、３９６、３９７Ｃ．Ｉ．アシッドバイオレット５、３４、４３、４７、４８、９０、１０３、１２６Ｃ．Ｉ．アシッドイエロー１７、１９、２３、２５、３９、４０、４２、４４、４９、５０、６１、６４、７６、７９、１１０、１２７、１３５、１４３、１５１、１５９、１６９、１７４、１９０、１９５、１９６、１９７、１９９、２１８、２１９、２２２、２２７Ｃ．Ｉ．アシッドブルー９、２５、４０、４１、６２、７２、７６、７８、８０、８２、９２、１０６、１１２、１１３、１２０、１２７：１、１２９、１３８、１４３、１７５、１８１、２０５、２０７、２２０、２２１、２３０、２３２、２４７、２５８、２６０、２６４、２７１、２７７、２７８、２７９、２８０、２８８、２９０、３２６Ｃ．Ｉ．アシッドブラック７、２４、２９、４８、５２：１、１７２Ｃ．Ｉ．リアクティブレッド３、１３、１７、１９、２１、２２、２３、２４、２９、３５、３７、４０、４１、４３、４５、４９、５５Ｃ．Ｉ．リアクティブバイオレット１、３、４、５、６、７、８、９、１６、１７、２２、２３、２４、２６、２７、３３、３４Ｃ．Ｉ．リアクティブイエロー２、３、１３、１４、１５、１７、１８、２３、２４、２５、２６、２７、２９、３５、３７、４１、４２Ｃ．Ｉ．リアクティブブルー２、３、５、８、１０、１３、１４、１５、１７、１８、１９、２１、２５、２６、２７、２８、２９、３８Ｃ．Ｉ．リアクティブブラック４、５、８、１４、２１、２３、２６、３１、３２、３４Ｃ．Ｉ．ベーシックレッド１２、１３、１４、１５、１８、２２、２３、２４、２５、２７、２９、３５、３６、３８、３９、４５、４６Ｃ．Ｉ．ベーシックバイオレット１、２、３、７、１０、１５、１６、２０、２１、２５、２７、２８、３５、３７、３９、４０、４８Ｃ．Ｉ．ベーシックイエロー１、２、４、１１、１３、１４、１５、１９、２１、２３、２４、２５、２８、２９、３２、３６、３９、４０Ｃ．Ｉ．ベーシックブルー１、３、５、７、９、２２、２６、４１、４５、４６、４７、５４、５７、６０、６２、６５、６６、６９、７１Ｃ．Ｉ．ベーシックブラック８、等が挙げられる。
【０６２７】
更に本発明のインクには、顔料も併用し得る。
本技術に用いられる顔料としては、市販のものの他、各種文献に記載されている公知のものが利用できる。文献に関してはカラーインデックス（Ｔｈｅ  Ｓｏｃｉｅｔｙ  ｏｆ
Ｄｙｅｒｓ  ａｎｄ  Ｃｏｌｏｕｒｉｓｔｓ編）、「改訂新版顔料便覧」日本顔料技術協会編（１９８９年刊）、「最新顔料応用技術」ＣＭＣ出版（１９８６年刊）、「印刷インキ技術」ＣＭＣ出版（１９８４年刊）、Ｗ．Ｈｅｒｂｓｔ，Ｋ．Ｈｕｎｇｅｒ共著によるＩｎｄｕｓｔｒｉａｌ  Ｏｒｇａｎｉｃ  Ｐｉｇｍｅｎｔｓ  （ＶＣＨ  Ｖｅｒｌａｇｓｇｅｓｅｌｌｓｃｈａｆｔ、１９９３年刊）等がある。具体的には、有機顔料ではアゾ顔料（アゾレーキ顔料、不溶性アゾ顔料、縮合アゾ顔料、キレートアゾ顔料）、多環式顔料（フタロシアニン系顔料、アントラキノン系顔料、ペリレン及びペリノン系顔料、インジゴ系顔料、キナクリドン系顔料、ジオキサジン系顔料、イソインドリノン系顔料、キノフタロン系顔料、ジケトピロロピロール系顔料等）、染付けレーキ顔料（酸性又は塩基性染料のレーキ顔料）、アジン顔料等があり、無機顔料では、黄色顔料のＣ．Ｉ．Ｐｉｇｍｅｎｔ  Ｙｅｌｌｏｗ  ３４，３７，４２，５３など、赤系顔料のＣ．Ｉ．Ｐｉｇｍｅｎｔ  Ｒｅｄ  １０１，１０８など、青系顔料のＣ．Ｉ．Ｐｉｇｍｅｎｔ  Ｂｌｕｅ  ２７，２９，１７：１など、黒系顔料のＣ．Ｉ．Ｐｉｇｍｅｎｔ  Ｂｌａｃｋ  ７，マグネタイトなど、白系顔料のＣ．Ｉ．  Ｐｉｇｍｅｎｔ  Ｗｈｉｔｅ  ４，６，１８，２１などを挙げることができる。
【０６２８】
画像形成用に好ましい色調を持つ顔料としては、青ないしシアン顔料ではフタロシアニン顔料、アントラキノン系のインダントロン顔料（たとえばＣ．Ｉ．Ｐｉｇｍｅｎｔ  Ｂｌｕｅ  ６０など）、染め付けレーキ顔料系のトリアリールカルボニウム顔料が好ましく、特にフタロシアニン顔料（好ましい例としては、Ｃ．Ｉ．Ｐｉｇｍｅｎｔ  Ｂｌｕｅ  １５：１、同１５：２、同１５：３、同１５：４、同１５：６などの銅フタロシアニン、モノクロロないし低塩素化銅フタロシアニン、アルニウムフタロシアニンでは欧州特許８６０４７５号に記載の顔料、Ｃ．Ｉ．Ｐｉｇｍｅｎｔ  Ｂｌｕｅ  １６である無金属フタロシアニン、中心金属がＺｎ、Ｎｉ、Ｔｉであるフタロシアニンなど、中でも好ましいものはＣ．Ｉ．Ｐｉｇｍｅｎｔ  Ｂｌｕｅ  １５：３、同１５：４、アルミニウムフタロシアニン）が最も好ましい。
【０６２９】
赤ないし紫色の顔料では、アゾ顔料（好ましい例としては、Ｃ．Ｉ．Ｐｉｇｍｅｎｔ  Ｒｅｄ  ３、同５、同１１、同２２、同３８、同４８：１、同４８：２、同４８：３、同４８：４、同４９：１、同５２：１、同５３：１、同５７：１、同６３：２、同１４４、同１４６、同１８４）など、中でも好ましいものはＣ．Ｉ．Ｐｉｇｍｅｎｔ  Ｒｅｄ  ５７：１、同１４６、同１８４）、キナクリドン系顔料（好ましい例としてはＣ．Ｉ．Ｐｉｇｍｅｎｔ  Ｒｅｄ  １２２、同１９２、同２０２、同２０７、同２０９、Ｃ．Ｉ．Ｐｉｇｍｅｎｔ  Ｖｉｏｌｅｔ  １９、同４２、なかでも好ましいものはＣ．Ｉ．Ｐｉｇｍｅｎｔ  Ｒｅｄ  １２２）、染め付けレーキ顔料系のトリアリールカルボニウム顔料（好ましい例としてはキサンテン系のＣ．Ｉ．Ｐｉｇｍｅｎｔ  Ｒｅｄ  ８１：１、Ｃ．Ｉ．Ｐｉｇｍｅｎｔ  Ｖｉｏｌｅｔ  １、同２、同３、同２７、同３９）、ジオキサジン系顔料
（例えばＣ．Ｉ．Ｐｉｇｍｅｎｔ  Ｖｉｏｌｅｔ  ２３、同３７）、ジケトピロロピロール系顔料（例えばＣ．Ｉ．Ｐｉｇｍｅｎｔ  Ｒｅｄ  ２５４）、ペリレン顔料（例えばＣ．Ｉ．Ｐｉｇｍｅｎｔ  Ｖｉｏｌｅｔ  ２９）、アントラキノン系顔料（例えばＣ．Ｉ．Ｐｉｇｍｅｎｔ  Ｖｉｏｌｅｔ  ５：１、同３１、同３３）、チオインジゴ系（例えばＣ．Ｉ．Ｐｉｇｍｅｎｔ  Ｒｅｄ  ３８、同８８）が好ましく用いられる。
【０６３０】
黄色顔料としては、アゾ顔料（好ましい例としてはモノアゾ顔料系のＣ．Ｉ．Ｐｉｇｍｅｎｔ  Ｙｅｌｌｏｗ  １，３，７４，９８、ジスアゾ顔料系のＣ．Ｉ．ＰｉｇｍｅｎｔＹｅｌｌｏｗ  １２，１３，１４，１６，１７，８３、総合アゾ系のＣ．Ｉ．Ｐｉｇｍｅｎｔ  Ｙｅｌｌｏｗ  ９３，９４，９５，１２８，１５５、ベンズイミダゾロン系のＣ．Ｉ．Ｐｉｇｍｅｎｔ  Ｙｅｌｌｏｗ  １２０，１５１，１５４，１５６，１８０など、なかでも好ましいものはベンジジン系化合物を原料に使用しないもの）、イソインドリン・イソインドリノン系顔料（好ましい例としてはＣ．Ｉ．Ｐｉｇｍｅｎｔ  Ｙｅｌｌｏｗ  １０９，１１０，１３７，１３９など）、キノフタロン顔料（好ましい例としてはＣ．Ｉ．Ｐｉｇｍｅｎｔ  Ｙｅｌｌｏｗ  １３８など）、フラパントロン顔料（例えばＣ．Ｉ．Ｐｉｇｍｅｎｔ  Ｙｅｌｌｏｗ  ２４など）が好ましく用いられる。
【０６３１】
黒顔料としては、無機顔料（好ましくは例としてはカーボンブラック、マグネタイト）やアニリンブラックを好ましいものとして挙げることができる。
この他、オレンジ顔料（Ｃ．Ｉ．Ｐｉｇｍｅｎｔ  Ｏｒａｎｇｅ  １３，１６など）や緑顔料（Ｃ．Ｉ．Ｐｉｇｍｅｎｔ  Ｇｒｅｅｎ  ７など）を使用してもよい。
【０６３２】
本技術に使用できる顔料は、上述の裸の顔料であっても良いし、表面処理を施された顔料でも良い。表面処理の方法には、樹脂やワックスを表面コートする方法、界面活性剤を付着させる方法、反応性物質（例えば、シランカップリング剤やエポキシ化合物、ポリイソシアネート、ジアゾニウム塩から生じるラジカルなど）を顔料表面に結合させる方法などが考えられ、次の文献や特許に記載されている。
（１）  金属石鹸の性質と応用（幸書房）
（２）  印刷インキ印刷（ＣＭＣ出版  １９８４）
（３）  最新顔料応用技術（ＣＭＣ出版  １９８６）
（４）  米国特許５，５５４，７３９号、同５，５７１，３１１号
（５）特開平９−１５１３４２号、同１０−１４００６５号、同１０−２９２１４３号、同１１−１６６１４５号
特に、上記（４）の米国特許に記載されたジアゾニウム塩をカーボンブラックに作用させて調製された自己分散性顔料や、上記（５）の日本特許に記載された方法で調製されたカプセル化顔料は、インク中に余分な分散剤を使用することなく分散安定性が得られるため特に有効である。
【０６３３】
本発明においては、顔料は更に分散剤を用いて分散されていてもよい。分散剤は、用いる顔料に合わせて公知の種々のもの、例えば界面活性剤型の低分子分散剤や高分子型分散剤を用いることが出来る。分散剤の例としては特開平３−６９９４９号、欧州特許５４９４８６号等に記載のものを挙げることができる。また、分散剤を使用する際に分散剤の顔料への吸着を促進するためにシナジストと呼ばれる顔料誘導体を添加してもよい。
本技術に使用できる顔料の粒径は、分散後で０．０１〜１０μの範囲であることが好ましく、０．０５〜１μであることが更に好ましい。
顔料を分散する方法としては、インク製造やトナー製造時に用いられる公知の分散技術が使用できる。分散機としては、縦型あるいは横型のアジテーターミル、アトライター、コロイドミル、ボールミル、３本ロールミル、パールミル、スーパーミル、インペラー、デスパーサー、ＫＤミル、ダイナトロン、加圧ニーダー等が挙げられる。詳細は「最新顔料応用技術」（ＣＭＣ出版、１９８６）に記載がある。
【０６３４】
〔インクのｐＨ〕
本発明のインクは、インクの保存安定性及び吐出性の観点から、ｐＨが７．０以上１０．０以下であることが好ましい。
【０６３５】
〔水性媒体〕
本発明のインクには、水、又は水及び水溶性有機溶剤の混合溶媒である水性媒体を用いることができる。水は、脱イオン水（イオン交換水）を用いることが好ましい。インク中の水の含有量（質量％）は、インク全質量を基準として、１０．０質量％以上９０．０質量％以下であることが好ましい。
【０６３６】
水溶性有機溶剤は、水溶性であれば特に制限はなく、アルコール、多価アルコール、ポリグリコール、グリコールエーテル、含窒素極性溶媒、含硫黄極性溶媒などを用いることができる。インクの吐出安定性などの観点から、インク中の水溶性有機溶剤の含有量（質量％）は、インク全質量を基準として、５．０質量％以上９０．０質量％以下、更には１０．０質量％以上５０．０質量％以下であることが好ましい。
【０６３７】
水溶性有機溶剤は、具体的には、例えば、以下のものを用いることができる。メチルアルコール、エチルアルコール、ｎープロピルアルコール、イソプロピルアルコール、ｎ−ブチルアルコール、ｓｅｃ−ブチルアルコール、ｔｅｒｔ−ブチルアルコールなどの炭素数１〜４のアルキルアルコール類。ジメチルホルムアミド、ジメチルアセトアミドなどのアミド類。アセトン、ジアセトンアルコールなどのケトン又はケトアルコール類。テトラヒドロフラン、ジオキサンなどのエーテル類。ポリエチレングリコール、ポリプロピレングリコールなどのポリアルキレングリコール類。エチレングリコール、プロピレングリコール、ブチレングリコール、ジエチレングリコール、トリエチレングリコール、ヘキシレングリコール、チオジグリコールなどのグリコール類。１，５−ペンタンジオール、１，６−ヘキサンジオール、２−メチルー１，３−プロパンジオール、３−メチルー１，５−ペンタンジオール、１，２，６−ヘキサントリオ−ルなどのアルキレン基が２〜６個の炭素原子を持つアルキレングリコール類。ビス（２−ヒドロキシエチル）スルホン。ポリエチレングリコールモノメチルエーテルアセテートなどの低級アルキルエーテルアセテート類。エチレングリコールモノメチル（又はエチル）エーテル、ジエチレングリコールメチル（又はエチル）エーテル、トリエチレングリコールモノメチル（又はエチル）エーテルなどの多価アルコールのアルキルエーテル類。Ｎ−メチル−２−ピロリドン、２−ピロリドン、１，３−ジメチル−２−イミダゾリジノンなど。勿論、本発明はこれらに限られるものではない。これらの水溶性有機溶剤は、必要に応じて１種又は２種以上を用いることができる。
【０６３８】
〔その他の添加剤〕
本発明のインクは、上記した成分以外にも必要に応じて、トリメチロールプロパン、トリメチロールエタンなどの多価アルコール類や、エチレン尿素などの尿素誘導体などの、常温で固体の水溶性有機化合物を含有してもよい。更に、本発明のインクは必要に応じて、界面活性剤、ｐＨ調整剤、防錆剤、防腐剤、防黴剤、酸化防止剤、還元防止剤、蒸発促進剤、キレート化剤、及び水溶性ポリマーなど、種々の添加剤を含有してもよい。
【０６３９】
＜その他のインク＞
フルカラーの画像などを形成するために、本発明のインクを、本発明のインクとは別の色調を有するインクと組み合わせて用いることができる。本発明のインクは、例えば、ブラックインク、シアンインク、マゼンタインク、イエローインク、レッドインク、グリーンインク及びブルーインクなどから選択される少なくともいずれか１種のインクと共に用いられることが好ましい。また、これらのインクと実質的に同一の色調を有する、所謂淡インクを更に組み合わせて用いることもできる。これらのインク又は淡インクの水溶性染料は、公知の染料であっても、新規に合成された水溶性染料であっても用いることができる。
【０６４０】
＜記録媒体＞
本発明のインクを用いて画像を形成する際に用いる記録媒体は、インクを付与して記録を行う記録媒体であればいずれのものでも用いることができる。本発明においては、染料や顔料などの色材をインク受容層の多孔質構造を形成する微粒子に吸着させる、インクジェット用の記録媒体を用いることが好ましい。特には、支持体上のインク受容層に形成された空隙によりインクを吸収する、所謂、隙間吸収タイプのインク受容層を有する記録媒体を用いることが好ましい。隙間吸収タイプのインク受容層は、微粒子を主体として構成されるものであり、更に必要に応じて、バインダーやその他の添加剤を含有してもよい。
【０６４１】
微粒子は、具体的には、以下のものを用いることができる。シリカ、クレー、タルク、炭酸カルシウム、カオリン、アルミナ又はアルミナ水和物などの酸化アルミニウム、珪藻土、酸化チタン、ハイドロタルサイト、又は酸化亜鉛などの無機顔料。尿素ホルマリン樹脂、エチレン樹脂、スチレン樹脂などの有機顔料。これらの微粒子は、必要に応じて１種又は２種以上を用いることができる。
【０６４２】
バインダーは、水溶性高分子やラテックスなどが挙げられ、具体的には、以下のものを用いることができる。ポリビニルアルコール、澱粉、ゼラチン、又はこれらの変性体。アラビアゴム。カルボキシメチルセルロース、ヒドロキシエチルセルロース、又はヒドロキシプロピルメチルセルロースなどのセルロース誘導体。ＳＢＲラテックス、ＮＢＲラテックス、メチルメタクリレート−ブタジエン共重合体ラテックス、官能基変性重合体ラテックス、又はエチレン酢酸ビニル共重合体などのビニル系共重合体ラテックス。ポリビニルピロリドン。無水マレイン酸若しくはその共重合体、又はアクリル酸エステル共重合体など。これらのバインダーは、必要に応じて１種又は２種以上を用いることができる。
【０６４３】
その他に、必要に応じて添加剤を用いることができる。例えば、分散剤、増粘剤、ｐＨ調整剤、潤滑剤、流動性変性剤、界面活性剤、消泡剤、離型剤、蛍光増白剤、紫外線吸収剤、酸化防止剤、染料定着剤などを用いることができる。
【０６４４】
本発明のインクを用いて画像を形成する際には、平均粒子径が１μｍ以下である微粒子を主体として、インク受容層を形成した記録媒体を用いることが好ましい。前記微粒子の具体例は、シリカ微粒子や酸化アルミニウム微粒子などが挙げられる。シリカ微粒子として好ましいものは、コロイダルシリカに代表されるシリカ微粒子である。コロイダルシリカは市販品を用いることもできるが、特には、例えば、特許第２８０３１３４号公報、同２８８１８４７号公報に記載のコロイダルシリカを用いることが好ましい。また、酸化アルミニウム微粒子として好ましいものは、アルミナ水和物微粒子（アルミナ系顔料）を挙げることができる。
【０６４５】
記録媒体は上記したインク受容層を支持するための支持体を有することが好ましい。支持体は、インク受容層が、上記多孔質の微粒子で形成することが可能であって、かつインクジェット記録装置などの搬送機構によって搬送可能な剛度を与えるものであれば、特に制限はなく、いずれのものも用いることができる。例えば、天然セルロース繊維を主体としたパルプ原料で構成される紙支持体を用いることができる。また、ポリエステル（例えば、ポリエチレンテレフタラート）、セルローストリアセテート、ポリカーボネート、ポリ塩化ビニル、ポリプロピレン、ポリイミドなどの材料で構成されるプラスチック支持体を用いることができる。更に、基紙の少なくとも一方の面に白色顔料などを添加したポリオレフィン樹脂被覆層を有する樹脂被覆紙（例：ＲＣペーパー）を用いることができる。
【０６４６】
＜インクジェット記録方法＞
本発明は、本発明に係るインクジェット記録用インクを用いるインクジェット記録方法にも関する。
本発明のインクはインクジェットの記録方式に制限はなく、公知の方式例えば静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、及びインクを加熱して気泡を形成し、生じた圧力を利用するサーマルインクジェット方式等に用いられる。
インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
好ましい被記録材と記録方式の組み合わせは、支持体上に白色無機顔料粒子を含有する受像層を有する受像材料にインク滴を記録信号に応じて吐出させ、受像材料上に画像を記録するインクジェット記録方法である。
【０６４７】
本発明のインクジェット記録用インクは、インクジェット記録以外の用途に使用することもできる。例えば、ディスプレイ画像用材料、室内装飾材料の画像形成材料及び屋外装飾材料の画像形成材料などに使用が可能である。
【０６４８】
ディスプレイ画像用材料としては、ポスター、壁紙、装飾小物（置物や人形など）、商業宣伝用チラシ、包装紙、ラッピング材料、紙袋、ビニール袋、パッケージ材料、看板、交通機関（自動車、バス、電車など）の側面に描画や添付した画像、ロゴ入りの洋服、等各種の物を指す。本発明の染料をディスプレイ画像の形成材料とする場合、その画像とは狭義の画像の他、抽象的なデザイン、文字、幾何学的なパターンなど、人間が認知可能な染料によるパターンをすべて含む。
【０６４９】
室内装飾材料としては、壁紙、装飾小物（置物や人形など）、照明器具の部材、家具の部材、床や天井のデザイン部材等各種の物を指す。本発明の染料を画像形成材料とする場合、その画像とは狭義の画像の他、抽象的なデザイン、文字、幾何学的なパターンなど、人間が認知可能な染料によるパターンをすべて含む。
【０６５０】
屋外装飾材料としては、壁材、ルーフィング材、看板、ガーデニング材料屋外装飾小物
（置物や人形など）、屋外照明器具の部材等各種の物を指す。本発明の染料を画像形成材料とする場合、その画像とは狭義の画像ののみならず、抽象的なデザイン、文字、幾何学的なパターンなど、人間が認知可能な染料によるパターンをすべて含む。
【０６５１】
以上のような用途において、パターンが形成されるメディアとしては、紙、繊維、布（不織布も含む）、プラスチック、金属、セラミックス等種々の物を挙げることができる。染色形態としては、媒染、捺染、若しくは反応性基を導入した反応性染料の形で色素を固定化することもできる。この中で、好ましくは媒染形態で染色されることが好ましい。
【実施例】
【０６５２】
以下、実施例及び比較例を用いて本発明を更に詳細に説明するが、本発明は、その要旨を超えない限り、下記の実施例によって何ら限定されるものではない。
【０６５３】
（合成例）
以下、実施例に本発明の染料混合物の合成法を詳しく説明するが、本発明はこれらの実施例に何ら限定されるものではない。
【０６５４】
本発明の式（Ｙ−１）で表される染料は、例えば下記合成ルートから誘導することができる。
以下の実施例において、λｍａｘは吸収極大波長であり、εｍａｘは吸収極大波長におけるモル吸光係数を意味する。また、単に％と記載しているものは質量％を表す。
【０６５５】
【化９３】
0005835965.tif 000120
【０６５６】
（合成例１）
ＤＭＦ（Ｎ，Ｎ−ジメチルホルムアミド）４５０ｍＬと１，２−ジクロロエタン２４．７５ｇ中に、室温で化合物（ａ）（２−アミノ−５−メルカプト−１，３，４−チアジアゾール（和光純薬工業（株）製／カタログ番号０１９−１１１２５））７６．５ｇを加え、炭酸カリウム７９．５ｇを添加後に７０℃まで昇温して同温度で３０分間撹拌した。引き続き、８０℃の温水３７５ｍＬを上記反応液中に１０分間かけて滴下し、内温２５℃まで冷却した。析出した結晶をろ別し、イオン交換水２５０ｍＬ、引き続きメタノール１５０ｍＬで洗浄後７０℃にて一晩乾燥して化合物（ｂ）６５．１ｇを得た。
【０６５７】
（合成例２）
アミノイソフタル酸（（和光純薬工業（株）製／カタログ番号３２２−２６１７５））（Ａ）１８１．２ｇをイオン交換水１０００ｍｌに懸濁後、濃塩酸２５７ｍＬを添加し、氷浴で５℃に保った。そこへ亜硝酸ナトリウム６９．７ｇの水溶液１１６ｍｌを滴下した（反応液Ａ）。亜硫酸ナトリウム３７８．１ｇの水溶液１３００ｍｌを内温２５℃で攪拌し、そこへ上記反応液Ａを注入した。この状態で３０分攪拌した後、内温を３０℃まで加熱して、６０分攪拌した。この反応液に塩酸５００ｍＬを添加し、すぐに内温５０℃まで昇温した（反応液Ｂ）。この状態で９０分攪拌した後に、ピバロイルアセトニトリル（東京化成（株）製／カタログ番号Ｐ１１１２）１２５．２ｇとイソプロパノール１００ｍＬを上記反応液Ｂに添加後、内温を９３℃まで昇温し、２４０分間攪拌した。室温まで冷却後、析出した結晶（Ｃ）を吸引濾過し、結晶をイオン交換水１５００ｍＬ、続いてイソプロパノール１０００ｍＬで洗浄後乾燥した。単離収率２２３．５ｇ。収率７３．７％。
【０６５８】
（合成例３）
メタンスルホン酸１００ｍＬ、酢酸１２０ｍＬ、プロピオン酸１８０ｍＬ中に、室温で化合物（ｂ）２９．２ｇを添加し、内温を４５℃まで昇温して均一溶液にした後に内温０℃まで冷却した。引き続き、ＮａＮＯ２１４．７ｇとイオン交換水２７ｍＬの溶液を上記均一溶液中に内温０〜１０℃を保ちながら滴下し、内温５℃で１５分間撹拌して、ジアゾニウム塩を調製した。合成例２で作成したカプラー成分（Ｃ）６０．６ｇ、メタノール６００ｍＬ、エチレングリコール６００ｍＬから予め作成した溶液に、内温０〜１０℃を保つ速度で上記ジアゾニウム塩溶液を滴下した。引き続き、内温２５℃で３０分間撹拌した。析出した結晶をろ過し、メタノール２５０ｍＬで洗浄後、粗結晶を６５０ｍＬの水に分散し、その後内温８０℃で３０分間撹拌後室温まで冷却し、ろ過、水３００ｍＬで洗浄後、６０℃で一晩乾燥して、６４．４７ｇの色素（Ｄ）を得た。
【０６５９】
（合成例４）
予め調製したＫＯＨ（錠剤）１６．５ｇとイオン交換水４１４．９ｍＬの溶液中に、内温２０〜３０℃で上記合成例３で作成した色素（Ｄ）４６．１ｇを添加して溶解した。
引き続き、酢酸カリウム４０．０ｇとメタノール２００ｍＬの溶液を上記色素水溶液中に内温２５℃で滴下し、引き続き同温で１０分間撹拌した。その後、ＩＰＡ（イソプロパノール）２４８８ｍＬを滴下して造塩し、同温度で３０分間撹拌後にろ過、ＩＰＡ５００ｍＬで洗浄、７０℃で一晩乾燥して、４４ｇの式（Ｙ−１）で表される水溶性染料の粗結晶を得た。
【０６６０】
（合成例５）
イオン交換水７８．３ｍＬに式（Ｙ−１）で表される水溶性染料の粗結晶８．７ｇを室温で溶解後、０．１Ｎ塩酸を用いて水溶液のｐＨ値を８．５に調整し、０．２μｍのメンブランフィルターでろ過後、ろ液中にＩＰＡ３９１．５ｍＬを内温２５℃で滴下した。析出した結晶をろ過、ＩＰＡ１００ｍＬで洗浄後、８０℃で一晩乾燥して、７．８ｇの式（Ｙ−１）で表される水溶性染料の精結晶を得た。｛λｍａｘ：４２８ｎｍ（Ｈ２Ｏ）、εｍａｘ：４．２０×１０４｝
【０６６１】
（合成例６）
合成例４のＫＯＨをＮａＯＨに、酢酸カリウムを酢酸ナトリウムに変更した以外は、合成例４及び合成例５と同様の操作を行い、７．７ｇの水溶性染料（Ｙ−２：一般式（Ｙ）中のＭ＝Ｎａ＋）の精結晶を得た。
【０６６２】
（合成例７）
合成例４のＫＯＨをＬｉＯＨに、酢酸カリウムを酢酸リチウムに変更した以外は、合成例４及び合成例５と同様の操作を行い、７．４ｇの水溶性染料（Ｙ−３：一般式（Ｙ）中のＭ＝Ｌｉ＋）の精結晶を得た。
【０６６３】
（合成例８）
合成例４のＫＯＨをＮＨ４ＯＨに、酢酸カリウムを酢酸アンモニウムに変更した以外は、合成例４及び合成例５と同様の操作を行い、７．３ｇの水溶性染料（Ｙ−４：一般式（Ｙ）中のＭ＝ＮＨ４＋）の精結晶を得た。
【０６６４】
＜インクの調製＞
前述の式（Ｙ−１）で表される水溶性染料（第１の色材）、第２の色材及び第３の水溶性染料（第３の色材）を用い、下記組成に基づき、各成分を常温において３０分間攪拌した後、得られた溶液を目開き１．０μｍのメンブランフィルターを用いて濾過することにより実施例１〜２２及び比較例１〜７の各インク組成物を得た。なお、各成分の数値はインク組成物の質量を１００ｇとした場合の各成分の質量を示し、更に水の量を示す「残り」は水以外の成分とあわせて合計１００ｇになる量を示す。
【０６６５】
（インク組成）
・式（Ｙ−１）で表される水溶性染料（第１の色材）（含有量は表３に記載）
・群Ａ中の１；Ｍ＝Ｋ＋イオン／２；Ｍ＝Ｋ＋イオン／３；Ｍ＝Ｋ＋イオン／８；Ｍ＝Ｋ＋イオン＝１／３／１／２（質量比）（第２の色材、含有量は表３に記載）
・第３の色材（種類、含有量は表３に記載）
・グリセリン：１０ｇ
・ジエチレングリコール：１２ｇ
・トリエチレングリコールモノブチルエーテル：５ｇ
・２−ピロリドン：２ｇ
・サーフィノール１０４ＰＧ６０（商品名；アセチレングリコール系界面活性剤、Ａｉｒ  Ｐｒｏｄｕｃｔｓ  ａｎｄ  Ｃｈｅｍｉｃａｌｓ  Ｉｎｃ  製）：１ｇ
・プロキセルＸＬ２（１，２−ベンズイソチアゾリン−３−オン、ＡＶＥＣＩＡ製）：０．５ｇ
・超純水：残り
なお、表３に記載の実施例１〜２２及び比較例１のインク組成物中における第１の色材の含有量（質量％）に対する第２の色材の含有量（質量％）の質量比率（〔群Ａから選択される少なくとも１種の化合物の含有量〕／〔式（Ｙ−１）の化合物の含有量〕）は０．１００である。
【０６６６】
得られたインクを用いて、インクジェットプリンタ  Ｓｔｙｌｕｓ  Ｃｏｌｏｒ  ８８０（商標）（商品名、セイコーエプソン株式会社製）により、インクジェット専用記録媒体｛写真用紙＜光沢＞（商品名、セイコーエプソン株式会社製）｝にイエロー単色画像、３色グレー画像を印字させ、イエロー単色画像の色調、及び３色グレー画像の画像堅牢性
（耐光性・耐オゾン性）の評価を以下のように行った。
【０６６７】
＜評価＞
（１）色調
色調については、目視にてＡ（最良）、Ｂ（良好）、Ｃ（不良）の３段階で評価した。
＜画像堅牢性＞
上記プリンターのイエローインクに上記のインクを詰め替え、他のカラーインクはそのまま使用してイエロー、マゼンタ、シアンからなる３色が混合したグレーの画像を作成した。このグレーの画像について、耐光性及び耐オゾン性の試験を実施した。
（２）耐光性
画像を形成した光沢紙に、キセノン光（１０万ルックス）を１４日間照射し、１４日間後のグレー画像を評価した。１４日間後のグレー画像について、目視にて、Ａ（グレー調が保たれる）、Ｂ（ほぼグレー調が保たれる）、Ｃ（グレー調が大きく崩れる）の３段階で評価した。
（３）耐オゾン性
画像を形成したフォト光沢紙をオゾンガス濃度５ｐｐｍ（２５℃、６０％ＲＨ）に設定された条件下で７日間放置し、該条件下で７日間放置した後のグレー画像を評価した。該条件下で７日間放置した後のグレー画像について、目視にて、Ａ（グレー調が保たれる）、Ｂ（ほぼグレー調が保たれる）、Ｃ（グレー調が大きく崩れる）の３段階で評価した。
【０６６８】
（４）受像紙への浸透性評価
キヤノン社製  ＰＩＸＵＳ  ｉＰ８６００を使用して、一液滴量を２２ｐＬ〜２８ｐＬの範囲に設定し、実施例及び比較例のインクを用いて普通紙（富士フイルム社製  画彩写真仕上げ  Ｐｒｏ）上に、解像度６００ｄｐｉで１ドット線を印字した。前記１ドット線の線幅を、ＱＥＡ社製のパーソナルＩＡＳにより測定し、下記評価基準に従って評価した。
【０６６９】
浸透性評価  評価基準
○：前記線幅が、１１５μｍ〜１３５μｍであった。
△：前記線幅が、１１５μｍ未満であった。
×：前記線幅が、１３５μｍを超えた。
【０６７０】
（５）ブロンズ評価
インクジェットプリンタ（商品名  キヤノン社製  ＰＩＸＵＳ  ｉＰ４１００）を用いて、専用フィルムＡ（キヤノン社製  フォト光沢フィルム  ＨＧ２０１）にインクジェット記録を行った。なお、試験に用いた専用フィルムＡは、支持体上に白色無機顔料粒子を含有するインク受像層を有する記録媒体である。
当該フィルム上に、１０℃８０％ＲＨの環境下で、黄色ベタ画像を印刷し、同条件下で１晩放置後、目視によりブロンズ（プリント表面の金属光沢）の評価を以下の基準で行った。
○：ブロンズ光沢は全く見られない。
△：僅かながらブロンズ光沢が見られる。
×：明らかにブロンズ光沢が認められる。
【０６７１】
評価結果を表３に示す。
【０６７２】
【表１３】
0005835965.tif 000121
【０６７３】
以下に表３に記載した、第３の色材の構造を示す。
【０６７４】
【化９４】
0005835965.tif 000122
【０６７５】
【化９５】
0005835965.tif 000123
【０６７６】
【化９６】
0005835965.tif 000124
【０６７７】
【化９７】
0005835965.tif 000125
【０６７８】
【化９８】
0005835965.tif 000126
【０６７９】
【化９９】
0005835965.tif 000127
【０６８０】
【化１００】
0005835965.tif 000128
【０６８１】
表３の結果から、実施例１〜２２は一般式（Ｙ）で表される第１の色材と、第２の色材と、第３の色材とを併用することにより、それら３つの色材の全てを用いていない場合より、耐光性、耐オゾン性に優れ、かつ、色調、受像紙への浸透性、印画物のブロンズ光沢抑制性のいずれも良好であった。
【０６８２】
色材１及び色材２を、下記表４〜６に示すように変更した以外は、実施例１と同様にインク組成物を調製した。なお実施例３８〜４０は、実施例１で使用した色材２を表５に記載のカチオン種に変更した実施例であり、その総含有量を表５に記載した。
また、インク組成物中における第１の色材の含有量（質量％）に対する第２の色材の含有量（質量％）の質量比率（〔群Ａから選択される少なくとも１種の化合物の含有量〕／〔一般式（Ｙ）、又は式（Ｙ−１）の化合物の含有量〕）を「色材２／色材１」として下記表４〜６に示した。
これらインク組成物を実施例１と同様に評価した結果を表７に示した。
【０６８３】
【表１４】
0005835965.tif 000129
【０６８４】
【表１５】
0005835965.tif 000130
【０６８５】
【表１６】
0005835965.tif 000131
【０６８６】
【表１７】
0005835965.tif 000132
【０６８７】
実施例１及び２３〜２５の結果より、色材１におけるカウンターカチオンとしてはＫ＋イオンが優れていることが確認できた。
実施例２６〜３１の結果より、色材２として複数種の化合物を種々の組み合わせで使用した際にも、良好な結果が得られることが確認できた。
実施例１及び３２〜３７の結果より、色材２としては群Ａ中の１と２と３と８との組み合わせを含むことが優れていることが確認できた。
実施例１及び３８〜４０の結果より、色材２におけるカウンターカチオンとしてはＫ＋イオンが優れていることが確認できた。
実施例４１〜４３及び比較例８、９の結果より、色材２／色材１の比率が０．００１〜１．０の範囲において良好な結果が得られることが確認できた。